(57)【要約】  呼吸補助１０用の支持装置２００が、ベース２０３、マウント３５１、及びハンドル３０９を有する。マウント３５１は、マウント３５１に対して呼吸補助装置１０を下げることによって、支持装置２００を呼吸補助装置１０に解放自在に結合させるように構成されている。ハンドル３０９は、支持装置２００及び解放自在に結合された呼吸補助装置１０をユーザによって持ち上げて運ぶことができるようにするように構成されている。
2021535790.tif 000002
【特許請求の範囲】
【請求項１】
呼吸補助装置用の支持装置であって：
ベースと；
マウントであって、前記マウントに対して呼吸補助装置を下げることによって、前記支持装置を前記呼吸補助装置に解放自在に結合させるように構成されているマウントと；
前記支持装置及び解放自在に結合された呼吸補助装置をユーザによって持ち上げて運ぶことができるようにするように構成されているハンドルと
を含む、支持装置。
【請求項２】
前記ハンドルは前記マウントよりも高い位置にある、請求項１に記載の支持装置。
【請求項３】
前記ハンドルは中心を有し、及び前記ハンドルの前記中心は、前記支持装置の質量中心と実質的に位置合わせされている、請求項１又は２に記載の支持装置。
【請求項４】
前記ハンドルは、前記支持装置の前記質量中心よりも高い位置にある、請求項３に記載の支持装置。
【請求項５】
前記マウントは、解放自在に結合された呼吸補助装置の質量中心が前記支持装置の前記質量中心に実質的に位置合わせされるか又はそれと一致するように構成されている、請求項３又は４に記載の支持装置。
【請求項６】
前記支持装置は、前記解放自在に結合された呼吸補助装置を前記呼吸補助装置の前記質量中心の周りで実質的に均等に支持するように構成されている、請求項５に記載の支持装置。
【請求項７】
前記呼吸補助装置の支持を支援するために、前記マウントから離間された支持部材を含む、請求項５又は６に記載の支持装置。
【請求項８】
前記マウントは、前記呼吸補助装置の第１の側部を支持するように構成されており、及び前記支持部材は、前記呼吸補助装置の第２の対向する側部を支持するように構成されている、請求項７に記載の支持装置。
【請求項９】
前記マウント、及び任意選択的に前記支持部材は、前記呼吸補助装置の裏面が前記ベースの上側に間隔を有して位置決めされるように、前記呼吸補助装置を支持するように構成されている、請求項１〜８のいずれか１項に記載の支持装置。
【請求項１０】
前記支持装置の第１の側部に又はそれに隣接して第１の直立部材、及び前記支持装置の第２の側部に又はそれに隣接して第２の直立部材を含み、前記呼吸補助装置は、前記呼吸補助装置が前記マウントに取り外し自在に結合されるとき、前記第１の直立部材と前記第２の直立部材との間に位置決めされるように構成されている、請求項１〜９のいずれか１項に記載の支持装置。
【請求項１１】
上方横接続部材が、前記第１の直立部材及び前記第２の直立部材の上方端部間に延在し且つそれらをつなぐ、請求項１０に記載の支持装置。
【請求項１２】
前記上方横接続部材は前記ハンドルを形成する、請求項１１に記載の支持装置。
【請求項１３】
導管及び／又は患者インターフェースなどの呼吸補助装置の付属品を支持するための支持装置であって：
呼吸補助装置と結合するためのマウントと；
前記マウントから上方へ延在する下方直立部材、前記下方直立部材の上方端部にある中間接続部分、及び前記中間接続部分から上方へ延在する上方直立部材であって、前記上方直立部材は、前記下方直立部材からオフセットされており、且つ前記下方直立部材に対して実質的に平行である、下方直立部材、中間接続部分、上方直立部材と
を含む、支持装置。
【請求項１４】
前記上方直立部材上に、呼吸補助装置の付属品を保持するための機械的特徴を含み、及び前記少なくとも１つの機械的特徴は、前記付属品の形状に相補的な形状を有する、請求項１３に記載の支持装置。
【請求項１５】
前記機械的特徴は、前記下方直立部材の実質的に真上に位置決めされている、請求項１４に記載の支持装置。
【請求項１６】
さらに、前記機械的特徴に結合するように構成されている付属品支持延長部を含む、請求項１４又は１５に記載の支持装置。
【請求項１７】
第２の下方直立部材と、前記第２の下方直立部材の上方端部に第２の中間接続部分と、前記第２の中間接続部分から上方へ延在する第２の上方直立部材とを含み、前記第２の上方直立部材は、前記第２の下方直立部材からオフセットされており、且つ前記第２の下方直立部材に対して実質的に平行である、請求項１３〜１６のいずれか１項に記載の支持装置。
【請求項１８】
呼吸補助装置用の支持装置であって：
端部及び横断方向外のり寸法を有するベースと；
前記支持装置を呼吸補助装置に解放自在に結合させるように構成されているマウントと；
前記ベースの前記端部から離間した箇所から、前記ベースから上方に延在する直立構成要素であって、前記直立構成要素は、前記支持装置及び解放自在に結合された呼吸補助装置をユーザによって持ち上げて運ぶことができるようにするように構成されている、横断方向に延在するハンドルを含み、前記ハンドルの長さは、前記ベースの前記横断方向外のり寸法よりも短い、直立構成要素と
を含む、支持装置。
【請求項１９】
前記直立構成要素は、前記ベースの第１の側部に又はそれに隣接して第１の端部を含む第１の直立部材と、前記ベースの対向する第２の側部に又はそれに隣接して第２の端部を含む第２の直立部材とを含む、請求項１８に記載の支持装置。
【請求項２０】
前記直立構成要素は、前記第１の直立部材及び前記第２の直立部材の上方端部間に延在し且つそれらをつなぐ上方横接続部材を含み、前記上方横接続部材は前記ハンドルを形成する、請求項１９に記載の支持装置。
【請求項２１】
前記直立構成要素の各側部は、前記ベースから上方へ延在する下方直立部材と、前記下方直立部材の上方端部にある中間接続部分と、前記中間接続部分から上方へ延在する上方直立部材とを含み、前記上方直立部材は前記下方直立部材からオフセットされている、請求項１９又は２０に記載の支持装置。
【請求項２２】
前記上方直立部材は、前記下方直立部材よりも互いに近くに離間されている、請求項２１に記載の支持装置。
【請求項２３】
前記下方直立部材は前記ベースに取り外し自在に結合されている、請求項２１又は２２に記載の支持装置。
【請求項２４】
前記ハンドルは、前記上方直立部材の上方端部間に延在し且つそれらをつなぐ、請求項２１〜２３のいずれか１項に記載の支持装置。
【請求項２５】
前記ベースは、支持面に載置されるように構成されており、及び前記ハンドルは前記ベースに対して実質的に平行である、請求項１８〜２４のいずれか１項に記載の支持装置。
【請求項２６】
導管及び／又は患者インターフェースなどの呼吸補助装置の付属品を支持するための支持装置であって、前記支持装置は：
前記支持装置を呼吸補助装置に解放自在に結合させるように構成されているマウントと；
前記マウントから上方へ延在する直立構成要素であって、前記直立構成要素はハンドルを含み、前記ハンドルは、前記支持装置及び解放自在に結合された呼吸補助装置をユーザによって持ち上げて運ぶことができるようにするように構成されている、直立構成要素と；
前記直立構成要素にある第１の機械的特徴であって、第１の方向に延在する第１の機械的特徴と；
前記直立構成要素にある第２の機械的特徴であって、前記第１の方向と実質的に反対の第２の方向に延在する第２の機械的特徴と
を含み、
前記第１及び第２の機械的特徴は、呼吸補助装置の付属品が前記第１及び第２の機械的特徴の周りにループで巻き付けられることができるように構成されている、支持装置。
【請求項２７】
前記第１の機械的特徴は、前記第２の機械的特徴を使用せずに、呼吸補助装置の付属品を前記第１の機械的特徴から吊り下げることができるように、上方に延在する、請求項２６に記載の支持装置。
【請求項２８】
前記機械的特徴の少なくとも１つは、前記直立構成要素から延在するベース部分と、遠位支持部分とを含み、この遠位支持部分は、前記遠位支持部分と前記直立構成要素との間に前記付属品を支持するように構成されており、前記遠位支持部分の長さは、前記遠位支持部分と前記直立構成要素との間に形成されたスロットの幅の少なくとも１．５倍である、請求項２６又は２７に記載の支持装置。
【請求項２９】
さらに、前記第１の機械的特徴に結合するように構成されている付属品支持延長部を含む、請求項２６〜２８のいずれか１項に記載の支持装置。
【請求項３０】
液体を保持するための容器であって：
液体を保持するための本体であって、前記容器が液体を保持しているか否かに関わらず、固定形状を有する本体と；
支持装置の相補的な第２の係合特徴と係合して前記容器を前記支持装置と結合するように構成されている第１の係合特徴であって、前記第１の係合特徴は、第１の上向きの方向に延在する前記第２の係合特徴の支持部分と係合するスロット若しくは凹部を含むか、又はその代わりに、前記第１の係合特徴は、前記第２の係合特徴のスロット若しくは凹部と係合するために、第２の下向きの方向に延在する支持部分を含むかのいずれかである、第１の係合特徴と
を含む、容器。
【請求項３１】
前記容器は、前記支持装置に対して前記容器を下方に動かすことにより、前記支持装置と結合するように構成されている、請求項３０に記載の容器。
【請求項３２】
前記本体は剛性材料製である、請求項３０又は３１に記載の容器。
【請求項３３】
前記容器は、前記支持装置の複数の相補的な第２の係合特徴と係合するために複数の第１の係合特徴を含む、請求項３０〜３２のいずれか１項に記載の容器。
【請求項３４】
前記第１の係合特徴は、前記支持装置のそれぞれの部分から上向きの方向に延在する前記第２の係合特徴のそれぞれの支持部分と係合するためのスロット若しくは凹部を含むか；前記第１の係合特徴は、前記第２の係合特徴のそれぞれのスロット若しくは凹部と係合するために、下向きの方向に延在する支持部分を含むか；又は１つの第１の係合特徴は、上向きの方向に延在する１つの第２の係合特徴の支持部分と係合するためのスロット若しくは凹部を含み、及び別の第１の係合特徴は、別の第２の係合特徴のスロット若しくは凹部と係合するために、下向きの方向に延在する支持部分を含むかのいずれかである、請求項３３に記載の容器。
【請求項３５】
前記第１の係合特徴は、前記本体の対向する側面に又はそれに隣接して位置する、請求項３３又は３４に記載の容器。
【請求項３６】
前記容器は液体流出口を有する、請求項３０〜３５のいずれか１項に記載の容器。
【請求項３７】
前記液体流出口は、液体導管アダプターを含むか、又はそれに接続するように構成されている、請求項３６に記載の容器。
【請求項３８】
前記液体導管アダプターは、加湿器液室の液体導管に接続するように構成されている、請求項３７に記載の容器。
【請求項３９】
前記液体導管アダプターは、前記液体導管のスパイクコネクターに接続するように構成されている、請求項３８に記載の容器。
【請求項４０】
前記本体はベースを有し、及び前記液体流出口は前記本体の前記ベースに位置する、請求項３６〜３９のいずれか１項に記載の容器。
【請求項４１】
前記液体流出口は、前記本体の側部に又はそれに隣接して位置する、請求項４０に記載の容器。
【請求項４２】
前記液体流出口は、前記本体の後部に又はそれに隣接して位置する、請求項４１に記載の容器。
【請求項４３】
前記液体流出口は、前記本体の前記側部の方へ向けて角度が付けられている、請求項４１又は４２に記載の容器。
【請求項４４】
前記本体の前記ベースの一部分は傾斜が付けられている、請求項４０〜４３のいずれか１項に記載の容器。
【請求項４５】
前記液体流出口は、前記傾斜部分の底部に又はそれに隣接して位置する、請求項４４に記載の容器。
【請求項４６】
呼吸補助装置用の支持装置であって、１つ以上の第２の係合特徴を含む支持装置と；
ディスプレイを有する呼吸補助装置であって、前記支持装置に結合された呼吸補助装置と；
前記支持装置に結合された請求項４４又は４５に記載の容器であって、前記本体の前記ベースと前記呼吸補助装置の前記ディスプレイとの間には間隔が設けられており、及び前記傾斜部分は、前記容器による前記ディスプレイの妨害を最小限にするか又は回避するように構成されている、容器と
の組み合わせ。
【請求項４７】
前記本体は、上方ハウジング及び下方ハウジングを含み、前記上方ハウジング及び下方ハウジングは結合される、請求項３０〜４５のいずれか１項に記載の容器、又は請求項４６に記載の組み合わせ。
【請求項４８】
前記１つ又は複数の第１の係合特徴は前記下方ハウジング上に位置する、請求項４７に記載の容器又は組み合わせ。
【請求項４９】
液体補充アパーチャを含む、請求項３０〜４８のいずれか１項に記載の容器又は組み合わせ。
【請求項５０】
前記液体補充アパーチャは前記本体の頂部に位置する、請求項４９に記載の容器又は組み合わせ。
【請求項５１】
前記液体補充アパーチャは、前記液体補充アパーチャの入口が前記液体補充アパーチャの出口よりも大きな寸法を有するテーパ付き形状を有する、請求項５０に記載の容器又は組み合わせ。
【請求項５２】
前記液体補充アパーチャと係合する蓋を含む、請求項４９〜５１のいずれか１項に記載の容器又は組み合わせ。
【請求項５３】
前記蓋が前記液体補充アパーチャと係合されると、前記蓋は前記液体補充アパーチャを実質的に封止する、請求項５２に記載の容器又は組み合わせ。
【請求項５４】
前記蓋は、前記本体に接続されるか又は接続可能である、請求項５２又は５３に記載の容器又は組み合わせ。
【請求項５５】
前記蓋は、前記液体補充アパーチャと係合するように偏倚される、請求項５４に記載の容器又は組み合わせ。
【請求項５６】
補助アパーチャを含む、請求項４９〜５５のいずれか１項に記載の容器又は組み合わせ。
【請求項５７】
前記補助アパーチャは、前記容器内のいずれの量の液体よりも上方に位置する、請求項５６に記載の容器又は組み合わせ。
【請求項５８】
前記補助アパーチャは、液体が前記容器から流出している間、周囲空気が前記容器に入ることができるようにするように構成されている、請求項５６又は５７に記載の容器又は組み合わせ。
【請求項５９】
液体を保持するための、及び２つの直立部材と、前記２つの直立部材の上方端部間に延在し且つそれらをつなぐ上方横接続部材と、前記上方横接続部材より下に位置する前記直立部材にある第２の係合特徴とを有する支持装置に結合するための容器であって：
液体を保持するための本体と；
前記支持装置の前記直立部材にある前記第２の係合特徴と係合して前記容器を前記支持装置と結合するように構成されている複数の第１の係合特徴と
を含む、容器。
【請求項６０】
前記上方横接続部材はハンドルを形成する、請求項５９に記載の容器。
【請求項６１】
前記係合特徴は、前記容器が前記支持装置に結合されるとき、前記上方横接続部材と前記容器との間に空間が設けられるように構成されている、請求項５９又は６０に記載の容器。
【請求項６２】
前記容器は、前記支持装置に対して前記容器を下方に動かすことにより、前記支持装置と結合するように構成されている、請求項５９〜６１のいずれか１項に記載の容器。
【請求項６３】
前記容器は、最初は、前記第１の係合特徴が前記第２の係合特徴より上側に位置するまで、前記支持装置に対して水平に動かされ、その後、前記支持装置に対して下方に動かされて、前記容器を前記支持装置に結合するように、構成されている、請求項６２に記載の容器。
【請求項６４】
前記本体は、前記容器が液体を保持しているか否かに関わらず、固定形状を有する、請求項５９〜６３のいずれか１項に記載の容器。
【請求項６５】
前記本体は剛性材料製である、請求項６４に記載の容器。
【請求項６６】
前記第１の係合特徴は、前記支持装置のそれぞれの部分から上向きの方向に延在する前記第２の係合特徴のそれぞれの支持部分と係合するためのスロット若しくは凹部を含むか；前記第１の係合特徴は、前記第２の係合特徴のそれぞれのスロット若しくは凹部と係合するために、下向きの方向に延在する支持部分を含むか；又は１つの第１の係合特徴は、上向きの方向に延在する１つの第２の係合特徴の支持部分と係合するためのスロット若しくは凹部を含み、及び別の第１の係合特徴は、別の第２の係合特徴のスロット若しくは凹部と係合するために、下向きの方向に延在する支持部分を含むかのいずれかである、請求項５９〜６５のいずれか１項に記載の容器。
【請求項６７】
前記第１の係合特徴は、前記本体の対向する側面に又はそれに隣接して位置する、請求項５９〜６６のいずれか１項に記載の容器。
【請求項６８】
前記容器は液体流出口を有する、請求項５９〜６７のいずれか１項に記載の容器。
【請求項６９】
前記液体流出口は、液体導管アダプターを含むか、又はそれに接続するように構成されている、請求項６８に記載の容器。
【請求項７０】
前記液体導管アダプターは、加湿器液室の液体導管に接続するように構成されている、請求項６９に記載の容器。
【請求項７１】
前記液体導管アダプターは、前記液体導管のスパイクコネクターに接続するように構成されている、請求項７０に記載の容器。
【請求項７２】
前記本体はベースを有し、及び前記液体流出口は前記本体の前記ベースに位置する、請求項６９〜７１のいずれか１項に記載の容器。
【請求項７３】
前記液体流出口は、前記本体の側部に又はそれに隣接して位置する、請求項７２に記載の容器。
【請求項７４】
前記液体流出口は、前記本体の後部に又はそれに隣接して位置する、請求項７３に記載の容器。
【請求項７５】
前記液体流出口は、前記本体の前記側部の方へ向けて角度が付けられている、請求項７３又は７４に記載の容器。
【請求項７６】
前記本体の前記ベースの一部分は傾斜が付けられている、請求項７２〜７５のいずれか１項に記載の容器。
【請求項７７】
前記液体流出口は、前記傾斜部分の底部に又はそれに隣接して位置する、請求項７６に記載の容器。
【請求項７８】
呼吸補助装置用の支持装置であって、１つ以上の第２の係合特徴を含む支持装置と；
ディスプレイを有する呼吸補助装置であって、前記支持装置と結合された呼吸補助装置と；
前記支持装置と結合された請求項７６又は７７に記載の容器であって、前記本体の前記ベースと前記呼吸補助装置の前記ディスプレイとの間には間隔が設けられており、及び前記傾斜部分は、前記容器による前記ディスプレイの妨害を最小限にするか又は回避するように構成されている容器と
の組み合わせ。
【請求項７９】
前記本体は、上方ハウジング及び下方ハウジングを含み、前記上方ハウジング及び下方ハウジングは結合される、請求項５９〜７７のいずれか１項に記載の容器又は請求項７８に記載の組み合わせ。
【請求項８０】
前記第１の係合特徴は前記下方ハウジングに位置する、請求項７９に記載の容器又は組み合わせ。
【請求項８１】
液体補充アパーチャを含む、請求項５９〜８０のいずれか１項に記載の容器又は組み合わせ。
【請求項８２】
前記液体補充アパーチャは前記本体の頂部に位置する、請求項８１に記載の容器又は組み合わせ。
【請求項８３】
前記液体補充アパーチャは、前記液体補充アパーチャの入口が前記液体補充アパーチャの出口よりも大きな寸法を有するテーパ付き形状を有する、請求項８２に記載の容器又は組み合わせ。
【請求項８４】
前記液体補充アパーチャと係合する蓋を含む、請求項８１〜８３のいずれか１項に記載の容器又は組み合わせ。
【請求項８５】
前記蓋が前記液体補充アパーチャと係合されると、前記蓋は前記液体補充アパーチャを実質的に封止する、請求項８４に記載の容器又は組み合わせ。
【請求項８６】
前記蓋は、前記本体に接続されるか又は接続可能である、請求項８４又は８５に記載の容器又は組み合わせ。
【請求項８７】
前記蓋は、前記液体補充アパーチャと係合するように偏倚される、請求項８６に記載の容器又は組み合わせ。
【請求項８８】
補助アパーチャを含む、請求項８１〜８７のいずれか１項に記載の容器又は組み合わせ。
【請求項８９】
前記補助アパーチャは、前記容器内のいずれの量の液体よりも上方に位置する、請求項８８に記載の容器又は組み合わせ。
【請求項９０】
前記補助アパーチャは、液体が前記容器から流出している間、周囲空気が前記容器に入ることができるようにするように構成されている、請求項８８又は８９に記載の容器又は組み合わせ。
【発明の詳細な説明】
【技術分野】
【０００１】
本発明は、呼吸補助装置用の及び／又はそのような装置の１つ以上の付属品用の支持装置に関する。
【背景技術】
【０００２】
呼吸補助装置は、病院、医療施設、居住介護（ｒｅｓｉｄｅｎｔｉａｌ  ｃａｒｅ）、又は家庭環境などの様々な環境において、ユーザ又は患者にガスの流れを送給するために使用されている。
【０００３】
呼吸補助装置は、一般に、呼吸導管などの１つ以上の付属品と、患者にガスを送給するための、カニューレなどの患者インターフェースとを有する。導管はかなりの長さであることが多く、呼吸補助装置のハウジングから、装置から程よい距離離れて位置決めされ得る患者へガスを送給できるようにする。例えば、装置は、床又は他の支持面に配置されてもよく、及び患者はベッドにいてもよい。呼吸補助装置の形態に依存して、装置は、１つ以上のチューブを経由して加湿器液室へ液体を送給する可撓性液体袋などの追加的な付属品を有してもよい。
【０００４】
家庭での使用では、呼吸補助装置は、一般に、装置が大きくて騒音を出し得るため床に置かれ得る。さらに、装置は、装置が使用されていないときには床に置かれたままにされがちであるため、邪魔にならないところに位置決めされ得る。床環境は埃っぽいことがあり、埃及び粒子状物質が呼吸補助装置に及び潜在的にはガス流に侵入する可能性が高まる。装置は、装置の底部の近くに１つ又は複数のガス流入口を有し得るため、装置は床に位置決めされるべきではないという認識があるかもしれない。一般的に、呼吸補助装置は、使用されていないとき、カニューレなどの患者インターフェースのための適切な保管場所を提供しない、つまり、カニューレなどの使用済みの患者インターフェースは、使用されていないとき、ベッドサイドテーブルなどの支持面に置かれる必要がある。さらに、導管は、躓く危険をもたらし得る。輸送状況；例えばヘリコプター又は救急車での使用において、同様の問題点に遭遇し得る。
【０００５】
呼吸補助装置用の支持装置は、単一の呼吸補助装置と一緒に使用するようにのみ設計され得る。それは、ユーザが、異なる呼吸補助装置と一緒に使用するためには、又はユーザがユーザの呼吸補助装置を変更するときには、複数の支持装置を購入する必要があることを意味する。
【０００６】
支持装置は、呼吸補助装置を支持するためのスタンドの機能を果たし得るが、ユーザが、支持装置によって呼吸補助装置を簡単に運べるようにするには好適ではないかもしれない。
【０００７】
支持装置は、呼吸補助装置の１つ以上の付属品を支持し得るが、導管や電源コードなどの長い付属品を支持するときには、困難にぶつかり得る。
【０００８】
呼吸補助装置は、特に使用していないときに長期間保管される場合、汚染されやすいかもしれない。
【発明の概要】
【課題を解決するための手段】
【０００９】
従って、２つ以上の呼吸補助装置を支持するために使用され得る、呼吸補助装置用の支持装置を提供することが望ましい。
【００１０】
或いは、支持装置のかなりの部分及び呼吸補助装置を覆うことができ、呼吸補助装置の汚染を減少させるために、呼吸補助装置用の支持装置用のシュラウドを提供することが望ましい。
【００１１】
或いは、保管や輸送のためにコンパクトに作製され得る呼吸補助装置及び／又は付属品用の支持装置を提供することが望ましい。
【００１２】
或いは、長い付属品の支持を強化し得る呼吸補助装置及び／又は付属品用の支持装置を提供することが望ましい。
【００１３】
それゆえ、本明細書で開示する実施形態のうちの少なくとも１つの実施形態のいくつかの特徴、態様及び利点によれば、呼吸補助装置用の支持装置が開示されており、支持装置は：
ベースと；
直立構成要素と；
支持装置を第１の呼吸補助装置の装着特徴に解放自在に結合させるように構成されている第１のマウントと；
第１のマウントとは異なる形態を有し、且つ支持装置を第２の呼吸補助装置の装着特徴に解放自在に結合させるように構成されている第２のマウントであって、第２の呼吸補助装置は、第１の呼吸補助装置とは異なる形態を有する、第２のマウントと
を含む。
【００１４】
いくつかの形態では、第１のマウント及び第２のマウントは、一度に第１の呼吸補助装置及び第２の呼吸補助装置の一方のみが、支持装置に解放自在に結合され得るように構成されている。
【００１５】
いくつかの形態では、第１のマウントは、第１のマウントに対してほぼ垂直方向に第１の呼吸補助装置を動かすことによって、第１の呼吸補助装置に解放自在に結合するように構成されている。
【００１６】
いくつかの形態では、第１のマウントは、第１の呼吸補助装置にある舌部と係合するように構成されている凹部を含む。
【００１７】
いくつかの形態では、第１のマウントは直立構成要素上にある。
【００１８】
いくつかの形態では、第１のマウントは、第１の呼吸補助装置の裏面がベースの上側に間隔を有して位置決めされるように、第１の呼吸補助装置を支持するように構成されている。
【００１９】
いくつかの形態では、支持装置は、第１の呼吸補助装置が支持装置に解放自在に結合されるときに、第１の呼吸補助装置の支持を支援するために、第１のマウントから離間された支持部材を含んでいる。
【００２０】
いくつかの形態では、直立構成要素は支持部材を含む。
【００２１】
いくつかの形態では、支持部材は、支持装置の他の場所に設けられる。
【００２２】
いくつかの形態では、第２のマウントはベース上にある。
【００２３】
いくつかの形態では、第２のマウントは１つ以上の直立突出部を含み、１つ又は複数の突出部は、第２の呼吸補助装置の裏面にある１つ又は複数の相補的な凹部と係合するように構成されている。
【００２４】
いくつかの形態では、第１のマウント及び支持部材は、第２の呼吸補助装置が第２のマウントと解放自在に結合されると、第２の呼吸補助装置に極めて接近するか又はそれと接触するように構成されている。
【００２５】
いくつかの形態では、第１のマウント及び直立構成要素の一部分は、第２の呼吸補助装置が第２のマウントと解放自在に結合されると、第２の呼吸補助装置に極めて接近するか又はそれと接触するように構成されている。
【００２６】
いくつかの形態では、直立構成要素は、ベースに取り外し自在に結合される。いくつかの代替的な形態では、直立構成要素は、ベースと一体的に形成され得る。
【００２７】
さらに、本明細書で開示する実施形態のうちの少なくとも１つの実施形態のいくつかの特徴、態様及び利点によれば、支持装置と、第１のマウントに解放自在に結合された第１の呼吸補助装置との組み合わせが開示されている。
【００２８】
いくつかの形態では、第１の呼吸補助装置は第２のマウントに結合できない。
【００２９】
さらに、本明細書で開示する実施形態のうちの少なくとも１つの実施形態のいくつかの特徴、態様及び利点によれば、支持装置と、第２のマウントに解放自在に結合された第２の呼吸補助装置との組み合わせが、開示されている。
【００３０】
いくつかの形態では、第２の呼吸補助装置は第１のマウントに結合できない。
【００３１】
さらに、本明細書で開示する実施形態のうちの少なくとも１つの実施形態のいくつかの特徴、態様及び利点によれば、支持装置と、第１又は第２の呼吸補助装置と、液体を保持し且つ呼吸補助装置の加湿器液室へ液体を供給する液体容器との組み合わせが開示されている。
【００３２】
さらに、本明細書で開示する実施形態のうちの少なくとも１つの実施形態のいくつかの特徴、態様及び利点によれば、呼吸補助装置用の支持装置が開示されており、支持装置は：
ベースと；
マウントであって、マウントに対して呼吸補助装置を下げることによって、支持装置を呼吸補助装置に解放自在に結合させるように構成されているマウントと；
支持装置及び解放自在に結合された呼吸補助装置をユーザによって持ち上げて運ぶことができるようにするように構成されているハンドルと
を含む。
【００３３】
いくつかの形態では、ハンドルはマウントよりも高い位置にある。
【００３４】
いくつかの形態では、ハンドルは中心を有し、及びハンドルの中心は、支持装置の質量中心と実質的に位置合わせされている。
【００３５】
いくつかの形態では、ハンドルは、支持装置の質量中心よりも高い位置にある。
【００３６】
いくつかの形態では、マウントは、解放自在に結合された呼吸補助装置の質量中心が支持装置の質量中心と実質的に位置合わせされるか又はそれと一致するように構成されている。
【００３７】
いくつかの形態では、支持装置は、解放自在に結合された呼吸補助装置を呼吸補助装置の質量中心の周りで実質的に均等に支持するように構成されている。
【００３８】
いくつかの形態では、支持装置は、第１の呼吸補助装置の支持を支援するために、マウントから離間された支持部材を含んでいる。
【００３９】
いくつかの形態では、マウントは、呼吸補助装置の第１の側部を支持するように構成され、及び支持部材は、呼吸補助装置の第２の対向する側部を支持するように構成されている。
【００４０】
いくつかの形態では、マウント、及び任意選択的に支持部材は、呼吸補助装置の裏面がベースの上側に間隔を有して位置決めされるように呼吸補助装置を支持するように構成されている。
【００４１】
いくつかの形態では、支持装置は、支持装置の第１の側部に又はそれに隣接して第１の直立部材と、支持装置の第２の側部に又はそれに隣接して第２の直立部材とを含み、呼吸補助装置は、呼吸補助装置がマウントに取り外し自在に結合されるとき、第１の直立部材と第２の直立部材との間に位置決めされるように構成されている。
【００４２】
いくつかの形態では、上方横接続部材が、第１の直立部材及び第２の直立部材の上方端部間に延在し且つそれらをつなぐ。
【００４３】
いくつかの形態では、上方横接続部材はハンドルを形成する。
【００４４】
さらに、本明細書で開示する実施形態のうちの少なくとも１つの実施形態のいくつかの特徴、態様及び利点によれば、支持装置と、呼吸補助装置と、液体を保持し且つ呼吸補助装置の加湿器液室へ液体を供給する液体容器との組み合わせが開示されている。
【００４５】
さらに、本明細書で開示する実施形態のうちの少なくとも１つの実施形態のいくつかの特徴、態様及び利点によれば、呼吸装置用の支持装置が開示されており、支持装置は：
第１の端部及び第２の端部を有するアームと；
アームの第１の端部にあるか又はそれに隣接し、且つ支持装置を呼吸補助装置に解放自在に結合させるように構成されているマウントと；
アームの第２の端部にあるか又はそれに隣接し、且つ呼吸補助装置の支持を支援するように構成されている支持部材と
を含む。
【００４６】
いくつかの形態では、アームは、アームの第１の端部に対応する第１の直立部材と、アームの第２の端部に対応する第２の直立部材とを含む。
【００４７】
いくつかの形態では、上方横接続部材が、第１の直立部材及び第２の直立部材の上方端部間に延在し且つそれらをつなぐ。
【００４８】
いくつかの形態では、上方横接続部材は、支持装置及び解放自在に結合された呼吸補助装置をユーザによって持ち上げて運ぶことができるようにするように構成されているハンドルを形成する。
【００４９】
いくつかの形態では、アームは、呼吸補助装置の付属品を保持するための少なくとも１つの機械的特徴を含み、及び少なくとも１つの機械的特徴は、付属品の形状に相補的な形状を有する。
【００５０】
いくつかの形態では、支持装置は複数の機械的特徴を含み、及び機械的特徴は、導管及び患者インターフェースを保持するように構成されている。
【００５１】
いくつかの形態では、支持装置は、さらに、機械的特徴のうちの少なくとも１つに結合するように構成されている付属品支持延長部を含む。
【００５２】
いくつかの形態では、付属品支持延長部の下方端部は、機械的特徴のうちの前記少なくとも１つに結合するように構成されており、及び付属品支持延長部の上方端部は、付属品を支持するように構成されている。
【００５３】
いくつかの形態では、支持装置はさらにベースを含み、アームはベースによって支持されている。
【００５４】
いくつかの形態では、アームは、ベースに取り外し自在に結合される。
【００５５】
いくつかの形態では、アームは、ベースの周辺から上方に延在する。
【００５６】
さらに、本明細書で開示する実施形態のうちの少なくとも１つの実施形態のいくつかの特徴、態様及び利点によれば、支持装置と、呼吸補助装置と、液体を保持し且つ呼吸補助装置の加湿器液室へ液体を供給する液体容器との組み合わせが開示されている。
【００５７】
さらに、本明細書で開示する実施形態のうちの少なくとも１つの実施形態のいくつかの特徴、態様及び利点によれば、呼吸装置用の支持装置が開示されており、支持装置は：
支持装置を呼吸補助装置に解放自在に結合させるように構成されているマウントと；
第１のコネクターを含む第１の構成要素と；
第２のコネクターを含む第２の構成要素と
を含み、
第１の構成要素及び第２の構成要素を第１の方向において互いの方へ動かすことによって、第１のコネクターは、第２のコネクターと取り外し自在に係合可能であり、及びコネクターの一方は、第１の方向に対して横方向の第２の方向に可動である解放部材を含み、第１のコネクター及び第２のコネクターは、解放部材も第２の方向に動かさなければ、第２の構成要素から第１の構成要素を引き離すことによって第１のコネクターが第２のコネクターから係合解除できないように、構成されている。
【００５８】
いくつかの形態では、コネクターの前記一方は弾力性フィンガーを含み、及び解放部材は、フィンガーから延在する突起を含む。
【００５９】
いくつかの形態では、突起は、フィンガーの自由端部において又はそれに隣接して、フィンガーから延在する。
【００６０】
いくつかの形態では、突起は、他方のコネクターの縁に係合して、第２のコネクターからの第１のコネクターの係合解除を防止するように構成されている。
【００６１】
いくつかの形態では、前記他方のコネクターは、解放部材の形状に相補的なアパーチャを含み、突起は、第１のコネクターと第２のコネクターが係合されると、アパーチャに受け入れられる。
【００６２】
いくつかの形態では、縁及び解放部材は、解放部材を第２の方向に前記他方のコネクターの内部へと動かすことによって、解放部材が縁を通り越す（ｃｌｅａｒ）ことができるように構成されている。
【００６３】
いくつかの形態では、第２の方向は、支持装置の中心の方へ向かうか、又は支持装置の中心から離れる向きである。
【００６４】
いくつかの形態では、前記コネクターの一方は、第１の構成要素と第２の構成要素の軸方向位置合わせをもたらすための位置決定特徴を含む。
【００６５】
いくつかの形態では、位置決定特徴は、それぞれのコネクターのベースに拡大領域を含む。
【００６６】
いくつかの形態では、位置決定特徴は、前記他方のコネクターにある相補的な凹部に受け入れられるように構成されているタブを含む。
【００６７】
いくつかの形態では、第１の構成要素は、支持装置のベースを含み、及び第２の構成要素は、支持装置の直立構成要素を含む。
【００６８】
いくつかの形態では、第１の構成要素は、支持装置の直立部材を含み、及び第２の構成要素は、支持装置の別の直立構成要素を含む。
【００６９】
いくつかの形態では、マウントは、第１の構成要素又は第２の構成要素の一部である。
【００７０】
さらに、本明細書で開示する実施形態のうちの少なくとも１つの実施形態のいくつかの特徴、態様及び利点によれば、支持装置と、呼吸補助装置と、液体を保持し且つ呼吸補助装置の加湿器液室へ液体を供給する液体容器との組み合わせが開示されている。
【００７１】
さらに、本明細書で開示する実施形態のうちの少なくとも１つの実施形態のいくつかの特徴、態様及び利点によれば、呼吸装置用の支持装置が開示されており、支持装置は：
ベースと；
アームであって、ベース上の第１の箇所でベースに取り外し自在に結合される第１の端部、ベース上の第２の箇所でベースに取り外し自在に結合される第２の端部であって、ベース及びアームが全体的にループ形状を形成するように、アームが第１及び第２の端部から上方へ延在する、第２の端部、及び第１の端部と第２の端部との間でアームにある少なくとも１つの結合配置構成であって、アームを分解できるように構成されている結合配置構成を有するアームと
を含む。
【００７２】
いくつかの形態では、アームは、２つの前記結合配置構成を含むため、アームは３個の部分に分解できる。
【００７３】
いくつかの形態では、アームは、第１の端部を含む第１の直立部材と、第２の端部を含む第２の直立部材と、上方横接続部材と、第１の直立部材を上方横接続部材に取り外し自在に結合する第１の結合配置構成と、第２の直立部材を上方横接続部材に取り外し自在に結合する第２の結合配置構成と含む。
【００７４】
いくつかの形態では、第１の結合配置構成は、第１の直立部材に、上方横接続部材上の相補的な第２のコネクターと取り外し自在に係合可能する第１のコネクターを含み、及び第２の結合配置構成は、第２の直立部材に、上方横接続部材上の相補的な第４のコネクターと取り外し自在に係合可能される第３のコネクターを含む。
【００７５】
いくつかの形態では、第１のコネクターは、第１の直立部材と上方横接続部材を押し付けることによって第２のコネクターと係合可能であり、及び第３のコネクターは、第２の直立部材と上方横接続部材を押し付けることによって第４のコネクターと係合可能である。
【００７６】
いくつかの形態では、単に上方横接続部材を第１の構成要素及び第２の構成要素から引き離すだけでは、第１のコネクターは第２のコネクターから係合解除できず、及び第３のコネクターは第４のコネクターから係合解除できない。
【００７７】
いくつかの形態では、第１のコネクターは第３のコネクターとは異なり、及び第２のコネクターは第４のコネクターとは異なるため、第１のコネクターは第４のコネクターと係合できず、及び第２のコネクターは第３のコネクターと係合できない。
【００７８】
いくつかの形態では、第１のコネクターは第３のコネクターと同じであり、及び第２のコネクターは第４のコネクターと同じであるため、第１のコネクターは第４のコネクターと係合でき、及び第２のコネクターは第３のコネクターと係合できる。
【００７９】
いくつかの形態では、第５のコネクターは第７のコネクターと同じであり、及び第６のコネクターは第８のコネクターと同じであるため、第５のコネクターは第８のコネクターと係合でき、及び第７のコネクターは第６のコネクターと係合できる。
【００８０】
いくつかの形態では、支持装置は、アームの第１の端部をベースに取り外し自在に結合する第３の結合配置構成、及びアームの第２の端部をベースに取り外し自在に結合する第４の結合配置構成を含み、第３の結合配置構成は、ベースに、アームにある第６のコネクターと取り外し自在に係合可能である第５のコネクターを含み、及び第４の結合配置構成は、ベースに、アームにある相補的な第８のコネクターと取り外し自在に係合可能である第７のコネクターを含む。
【００８１】
いくつかの形態では、アームとベースを押し付けることによって、第５のコネクターは第６のコネクターと係合可能であり、及び第７のコネクターは第８のコネクターと係合可能である。
【００８２】
いくつかの形態では、単にベースからアームを引き離すだけでは、第５のコネクターは第６のコネクターから係合解除できず、及び第７のコネクターは第８のコネクターから係合解除できない。
【００８３】
いくつかの形態では、第５のコネクターは第７のコネクターとは異なり、及び第６のコネクターは第８のコネクターとは異なるため、第５のコネクターは第８のコネクターと係合できず、及び第７のコネクターは第６のコネクターと係合できない。
【００８４】
いくつかの形態では、第５のコネクターは第７のコネクターと同じであり、及び第６のコネクターは第８のコネクターと同じであるため、第５のコネクターは第８のコネクターと係合でき、及び第７のコネクターは第６のコネクターと係合できる。
【００８５】
いくつかの形態では、第１及び第２の結合配置構成のコネクターは、第３及び第４の結合配置構成のコネクターと係合できない。
【００８６】
さらに、本明細書で開示する実施形態のうちの少なくとも１つの実施形態のいくつかの特徴、態様及び利点によれば、支持装置と、第１又は第２の呼吸補助装置と、液体を保持し且つ呼吸補助装置の加湿器液室へ液体を供給する液体容器との組み合わせが開示されている。
【００８７】
さらに、本明細書で開示する実施形態のうちの少なくとも１つの実施形態のいくつかの特徴、態様及び利点によれば、導管及び／又は患者インターフェースなどの、呼吸補助装置の付属品を支持するための支持装置が開示されており、支持装置は：
呼吸補助装置と結合するためのマウントと；
マウントから上方へ延在する下方直立部材、下方直立部材の上方端部にある中間接続部分、及び中間接続部分から上方へ延在する上方直立部材であって、上方直立部材は、下方直立部材からオフセットされ、且つ下方直立部材に対して実質的に平行である、下方直立部材、中間接続部分、上方直立部材と
を含む。
【００８８】
いくつかの形態では、支持装置は、上方直立部材上に、呼吸補助装置の付属品を保持するための機械的特徴を含み、及び少なくとも１つの機械的特徴は、付属品の形状に相補的な形状を有する。
【００８９】
いくつかの形態では、機械的特徴は、下方直立部材の実質的に真上に位置決めされている。
【００９０】
いくつかの形態では、支持装置は、さらに、機械的特徴に結合するように構成されている付属品支持延長部を含む。
【００９１】
いくつかの形態では、支持装置は、第２の下方直立部材、第２の下方直立部材の上方端部に第２の中間接続部分、及び第２の中間接続部分から上方へ延在する第２の上方直立部材を含み、第２の上方直立部材は第２の下方直立部材からオフセットされており、第２の上方直立部材は第２の直立部材に対して実質的に平行である。
【００９２】
いくつかの形態では、支持装置は、支持面に載置されるように構成されているベースを含み、且つ下方直立部材及び上方直立部材は、ベースが支持面に載置されると、実質的に垂直な方向に延在するように構成されている。
【００９３】
いくつかの形態では、第２の下方直立部材及び第２の上方直立部材は、ベースが支持面に載置されると、実質的に垂直な方向に延在するように構成されている。
【００９４】
さらに、本明細書で開示する実施形態のうちの少なくとも１つの実施形態のいくつかの特徴、態様及び利点によれば、支持装置と、呼吸補助装置と、液体を保持し且つ呼吸補助装置の加湿器液室へ液体を供給する液体容器との組み合わせが開示されている。
【００９５】
さらに、本明細書で開示する実施形態のうちの少なくとも１つの実施形態のいくつかの特徴、態様及び利点によれば、呼吸補助装置用の支持装置が開示されており、支持装置は：
端部及び横断方向外のり寸法（ｔｒａｎｓｖｅｒｓｅ  ｏｕｔｅｒ  ｄｉｍｅｎｓｉｏｎ）を有するベースと；
支持装置を呼吸補助装置に解放自在に結合させるように構成されているマウントと；
ベースの端部から離間した箇所から、ベースから上方に延在する直立構成要素であって、直立構成要素は、支持装置及び解放自在に結合された呼吸補助装置をユーザによって持ち上げて運ぶことができるようにするように構成されている、横断方向に延在するハンドルを含み、ハンドルの長さはベースの横断方向外のり寸法よりも短い、直立構成要素と
を含む。
【００９６】
いくつかの形態では、直立構成要素は、ベースの第１の側部に又はそれに隣接して第１の端部を含む第１の直立部材、及びベースの対向する第２の側部に又はそれに隣接して第２の端部を含む第２の直立部材を含む。
【００９７】
いくつかの形態では、直立構成要素は、第１の直立部材及び第２の直立部材の上方端部間に延在し且つそれらをつなぐ上方横接続部材を含み、上方横接続部材はハンドルを形成する。
【００９８】
いくつかの形態では、直立構成要素の各側部は、ベースから上方へ延在する下方直立部材、下方直立部材の上方端部にある中間接続部分、及び中間接続部分から上方へ延在する上方直立部材を含み、上方直立部材は下方直立部材からオフセットされている。
【００９９】
いくつかの形態では、上方直立部材は、下方直立部材よりも互いに近くに離間されている。
【０１００】
いくつかの形態では、下方直立部材はベースに取り外し自在に結合されている。
【０１０１】
いくつかの形態では、ハンドルは、上方直立部材の上方端部間に延在し且つそれらをつなぐ。
【０１０２】
いくつかの形態では、ベースは、支持面に載置されるように構成されており、及びハンドルはベースに対して実質的に平行である。
【０１０３】
いくつかの形態では、直立構成要素は、ベースが支持面に載置されると、実質的に垂直な方向に延在するように構成されている。
【０１０４】
さらに、本明細書で開示する実施形態のうちの少なくとも１つの実施形態のいくつかの特徴、態様及び利点によれば、支持装置と、呼吸補助装置と、液体を保持し且つ呼吸補助装置の加湿器液室へ液体を供給する液体容器との組み合わせが開示されている。
【０１０５】
さらに、本明細書で開示する実施形態のうちの少なくとも１つの実施形態のいくつかの特徴、態様及び利点によれば、導管及び／又は患者インターフェースなどの呼吸補助装置の付属品を支持するための支持装置が開示されており、支持装置は：
支持装置を呼吸補助装置に解放自在に結合させるように構成されているマウントと；
マウントから上方へ延在する直立構成要素であって、直立構成要素はハンドルを含み、ハンドルは、支持装置及び解放自在に結合された呼吸補助装置をユーザによって持ち上げて運ぶことができるようにするように構成されている、直立構成要素と；
直立構成要素にある第１の機械的特徴であって、第１の方向に延在する第１の機械的特徴と；
直立構成要素にある第２の機械的特徴であって、第１の方向と実質的に反対の第２の方向に延在する第２の機械的特徴と
を含み、
第１及び第２の機械的特徴は、呼吸補助装置の付属品が第１及び第２の機械的特徴の周りにループで巻き付けられ得るように構成されている。
【０１０６】
いくつかの形態では、第１の機械的特徴は、第２の機械的特徴を使用せずに、呼吸補助装置の付属品を第１の機械的特徴から吊り下げることができるように、上方に延在する。
【０１０７】
いくつかの形態では、機械的特徴の少なくとも１つは、直立構成要素から延在するベース部分と、遠位支持部分とを含み、遠位支持部分は、遠位支持部分と直立構成要素との間に付属品を支持するように構成されており、遠位支持部分の長さは、遠位支持部分と直立構成要素との間に形成されたスロットの幅の少なくとも１．５倍である。
【０１０８】
いくつかの形態では、支持装置は、さらに、第１の機械的特徴に結合するように構成されている付属品支持延長部を含む。
【０１０９】
さらに、本明細書で開示する実施形態のうちの少なくとも１つの実施形態のいくつかの特徴、態様及び利点によれば、支持装置と、呼吸補助装置と、液体を保持し且つ呼吸補助装置の加湿器液室へ液体を供給する液体容器との組み合わせが開示されている。
【０１１０】
さらに、本明細書で開示する実施形態のうちの少なくとも１つの実施形態のいくつかの特徴、態様及び利点によれば、支持装置と取り外し自在なシュラウドとの組み合わせが開示されており、組み合わせは：
呼吸補助装置用の支持装置であって：
ベース；
支持装置を呼吸補助装置に解放自在に結合させるように構成されているマウント；
支持装置及び解放自在に結合された呼吸補助装置をユーザによって持ち上げて運ぶことができるようにするように構成されているハンドル
を含む、支持装置と；
支持装置のかなりの部分及び解放自在に結合された呼吸補助装置を覆うように配置される取り外し自在なシュラウドであって、シュラウドは、カバーが支持装置に配置されるときにハンドルが通過できる開口部を含んで、ハンドルが、シュラウドの外部からアクセス可能であるようにする、取り外し自在なシュラウドと
を含む。
【０１１１】
いくつかの形態では、シュラウドは可撓性である。
【０１１２】
いくつかの形態では、シュラウドは、プラスチック、ファブリック、又はテキスタイル材料を含む。
【０１１３】
いくつかの形態では、シュラウドは、カバーが支持装置上で適所にされると、開口部を実質的に覆う少なくとも１つのタブを含む。
【０１１４】
いくつかの形態では、シュラウドは、カバーが支持装置上で適所にされると、開口部を実質的に覆う２つの対向するタブを含む。
【０１１５】
いくつかの形態では、１つ又は複数のタブは可撓性である。
【０１１６】
いくつかの形態では、シュラウドは、１つ又は複数のタブを適所に解放自在に締結して、開口部を実質的に覆うようにする締結配置構成を含む。
【０１１７】
いくつかの形態では、シュラウドは、２つの対向するタブを含み、及び締結機構は、タブ上に面ファスナーを含む。
【０１１８】
いくつかの形態では、組み合わせは、さらに、呼吸補助装置と、液体を保持し且つ呼吸補助装置の加湿器液室へ液体を供給する液体容器とを含む。
【０１１９】
さらに、本明細書で開示する実施形態のうちの少なくとも１つの実施形態のいくつかの特徴、態様及び利点によれば、液体を保持するための容器が開示されており、容器は：
液体を保持するための本体であって、容器が液体を保持しているか否かに関わらず、固定形状を有する本体と；
支持装置の相補的な第２の係合特徴と係合して容器を支持装置と結合するように構成されている第１の係合特徴であって、第１の係合特徴は、第１の上向きの方向に延在する第２の係合特徴の支持部分と係合するためのスロット若しくは凹部を含むか、又はその代わりに、第１の係合特徴は、第２の係合特徴のスロット若しくは凹部と係合するために、第２の下向きの方向に延在する支持部分を含むかのいずれかである、第１の係合特徴と
を含む。
【０１２０】
いくつかの形態では、容器は、支持装置に対して容器を下方に動かすことにより、支持装置と結合するように構成されている。
【０１２１】
いくつかの形態では、本体は剛性材料製である。
【０１２２】
いくつかの形態では、容器は、支持装置の複数の相補的な第２の係合特徴と係合するために複数の第１の係合特徴を含む。
【０１２３】
いくつかの形態では、第１の係合特徴は、支持装置のそれぞれの部分から上向きの方向に延在する第２の係合特徴のそれぞれの支持部分と係合するためのスロット若しくは凹部を含むか；第１の係合特徴は、第２の係合特徴のそれぞれのスロット若しくは凹部と係合するために、下向きの方向に延在する支持部分を含むか；又は１つの第１の係合特徴は、上向きの方向に延在する１つの第２の係合特徴の支持部分と係合するためのスロット若しくは凹部を含み、及び別の第１の係合特徴は、別の第２の係合特徴のスロット若しくは凹部と係合するために、下向きの方向に延在する支持部分を含むかのいずれかである。
【０１２４】
いくつかの形態では、第１の係合特徴は、本体の対向する側面に又はそれに隣接して位置する。
【０１２５】
いくつかの形態では、容器は、液体流出口を有する。
【０１２６】
いくつかの形態では、液体流出口は、液体導管アダプターを含むか、又はそれに接続するように構成されている。
【０１２７】
いくつかの形態では、液体導管アダプターは、加湿器液室の液体導管に接続するように構成されている。
【０１２８】
いくつかの形態では、液体導管アダプターは、液体導管のスパイクコネクターに接続するように構成されている。
【０１２９】
いくつかの形態では、本体はベースを有し、及び液体流出口は、本体のベースに位置する。
【０１３０】
いくつかの形態では、液体流出口は、本体の側部に又はそれに隣接して位置する。
【０１３１】
いくつかの形態では、液体流出口は、本体の後部に又はそれに隣接して位置する。
【０１３２】
いくつかの形態では、液体流出口は、本体の側部の方へ向けて角度が付けられている。
【０１３３】
いくつかの形態では、本体のベースの一部分は傾斜が付けられている。
【０１３４】
いくつかの形態では、液体流出口は、傾斜部分の底部に又はそれに隣接して位置する。
【０１３５】
さらに、本明細書で開示する実施形態のうちの少なくとも１つの実施形態のいくつかの特徴、態様及び利点によれば、支持装置と、呼吸補助装置と、容器との組み合わせが開示されており、組み合わせは：
呼吸補助装置用の支持装置であって、１つ以上の第２の係合特徴を含む支持装置と；
ディスプレイを有する呼吸補助装置であって、支持装置と結合された呼吸補助装置と；
支持装置と結合された容器であって、本体のベースと呼吸補助装置のディスプレイとの間には間隔が設けられており、及び傾斜部分は、容器によるディスプレイの妨害を最小限にするか又は回避するように構成されている、容器と
を含む。
【０１３６】
いくつかの形態では、本体は、上方ハウジング及び下方ハウジングを含み、上方ハウジング及び下方ハウジングは結合される。
【０１３７】
いくつかの形態では、１つ又は複数の第１の係合特徴は下方ハウジング上に位置する。
【０１３８】
いくつかの形態では、容器は液体補充アパーチャを含む。
【０１３９】
いくつかの形態では、液体補充アパーチャは本体の頂部に位置する。
【０１４０】
いくつかの形態では、液体補充アパーチャは、液体補充アパーチャの入口が液体補充アパーチャの出口よりも大きな寸法を有するテーパ付き形状を有する。
【０１４１】
いくつかの形態では、容器は、液体補充アパーチャと係合する蓋を含む。
【０１４２】
いくつかの形態では、蓋が液体補充アパーチャと係合されると、蓋は液体補充アパーチャを実質的に封止する。
【０１４３】
いくつかの形態では、蓋は、本体に接続されるか又は接続可能である。
【０１４４】
いくつかの形態では、蓋は、液体補充アパーチャと係合するように偏倚される。
【０１４５】
いくつかの形態では、容器は補助アパーチャを含む。
【０１４６】
いくつかの形態では、補助アパーチャは、容器内のいずれの量の液体よりも上方に位置する。
【０１４７】
いくつかの形態では、補助アパーチャは、液体が容器から流出している間、周囲空気が容器に入ることができるようにするように構成されている。
【０１４８】
さらに、本明細書で開示する実施形態のうちの少なくとも１つの実施形態のいくつかの特徴、態様及び利点によれば、液体を保持し且つ支持装置に結合するための容器であって、支持装置は、２つの直立部材と、２つの直立部材の上方端部間に延在し且つそれらをつなぐ上方横接続部材と、上方横接続部材より下に位置する直立部材にある第２の係合特徴とを有する、容器が開示されており、容器は：
液体を保持するための本体と；
支持装置の直立部材にある第２の係合特徴と係合して容器を支持装置と結合するように構成されている複数の第１の係合特徴と
を含む。
【０１４９】
いくつかの形態では、上方横接続部材はハンドルを形成する。
【０１５０】
いくつかの形態では、係合特徴は、容器が支持装置に結合されるとき、上方横接続部材と容器との間に空間が設けられるように構成されている。
【０１５１】
いくつかの形態では、容器は、支持装置に対して容器を下方に動かすことにより、支持装置と結合するように構成されている。
【０１５２】
いくつかの形態では、容器は、最初は、第１の係合特徴が第２の係合特徴より上側に位置するまで、支持装置に対して水平に動かされ、その後、支持装置に対して下方に動かされて、容器を支持装置に結合するように、構成されている。
【０１５３】
いくつかの形態では、本体は、容器が液体を保持しているか否かに関わらず、固定形状を有する。
【０１５４】
いくつかの形態では、本体は剛性材料製である。
【０１５５】
いくつかの形態では、第１の係合特徴は、支持装置のそれぞれの部分から上向きの方向に延在する第２の係合特徴のそれぞれの支持部分と係合するためのスロット若しくは凹部を含むか；第１の係合特徴は、第２の係合特徴のそれぞれのスロット若しくは凹部と係合するために、下向きの方向に延在する支持部分を含むか；又は１つの第１の係合特徴は、上向きの方向に延在する１つの第２の係合特徴の支持部分と係合するためのスロット若しくは凹部を含み、及び別の第１の係合特徴は、別の第２の係合特徴のスロット若しくは凹部と係合するために、下向きの方向に延在する支持部分を含むかのいずれかである。
【０１５６】
いくつかの形態では、第１の係合特徴は、本体の対向する側面に又はそれに隣接して位置する。
【０１５７】
いくつかの形態では、容器は、液体流出口を有する。
【０１５８】
いくつかの形態では、液体流出口は、液体導管アダプターを含むか、又はそれに接続するように構成されている。
【０１５９】
いくつかの形態では、液体導管アダプターは、加湿器液室の液体導管に接続するように構成されている。
【０１６０】
いくつかの形態では、液体導管アダプターは、液体導管のスパイクコネクターに接続するように構成されている。
【０１６１】
いくつかの形態では、本体はベースを有し、及び液体流出口は、本体のベースに位置する。
【０１６２】
いくつかの形態では、液体流出口は、本体の側部に又はそれに隣接して位置する。
【０１６３】
いくつかの形態では、液体流出口は、本体の後部に又はそれに隣接して位置する。
【０１６４】
いくつかの形態では、液体流出口は、本体の側部の方へ向けて角度が付けられている。
【０１６５】
いくつかの形態では、本体のベースの一部分は傾斜が付けられている。
【０１６６】
いくつかの形態では、液体流出口は、傾斜部分の底部に又はそれに隣接して位置する。
【０１６７】
さらに、本明細書で開示する実施形態のうちの少なくとも１つの実施形態のいくつかの特徴、態様及び利点によれば、支持装置と、呼吸補助装置と、容器との組み合わせが開示されており、組み合わせは：
呼吸補助装置用の支持装置であって、１つ以上の第２の係合特徴を含む支持装置と；
ディスプレイを有する呼吸補助装置であって、支持装置と結合された呼吸補助装置と；
支持装置と結合された容器であって、本体のベースと呼吸補助装置のディスプレイとの間には間隔が設けられており、及び傾斜部分は、容器によるディスプレイの妨害を最小限にするか又は回避するように構成されている、容器と
を含む。
【０１６８】
いくつかの形態では、本体は、上方ハウジング及び下方ハウジングを含み、上方ハウジング及び下方ハウジングは結合される。
【０１６９】
いくつかの形態では、第１の係合特徴は下方ハウジングに位置する。
【０１７０】
いくつかの形態では、容器は液体補充アパーチャを含む。
【０１７１】
いくつかの形態では、液体補充アパーチャは本体の頂部に位置する。
【０１７２】
いくつかの形態では、液体補充アパーチャは、液体補充アパーチャの入口が液体補充アパーチャの出口よりも大きな寸法を有するテーパ付き形状を有する。
【０１７３】
いくつかの形態では、容器は、液体補充アパーチャと係合する蓋を含む。
【０１７４】
いくつかの形態では、蓋が液体補充アパーチャと係合されると、蓋は液体補充アパーチャを実質的に封止する。
【０１７５】
いくつかの形態では、蓋は、本体に接続されるか又は接続可能である。
【０１７６】
いくつかの形態では、蓋は、液体補充アパーチャと係合するように偏倚される。
【０１７７】
いくつかの形態では、容器は補助アパーチャを含む。
【０１７８】
いくつかの形態では、補助アパーチャは、容器内のいずれの量の液体よりも上方に位置する。
【０１７９】
いくつかの形態では、補助アパーチャは、液体が容器から流出している間、周囲空気が容器に入ることができるようにするように構成されている。
【０１８０】
さらに、本明細書で開示する実施形態のうちの少なくとも１つの実施形態のいくつかの特徴、態様及び利点によれば、液体を保持するための容器が開示されており、容器は：
液体を保持するための本体であって、本体はベースを含み、ベースの一部分には傾斜が付けられており、及び本体は、容器が液体を保持しているか否かに関わらず、固定形状を有する、本体と；
加湿器液室に液体を供給するための液体流出口であって、本体のベースに位置する液体流出口と
を含む。
【０１８１】
いくつかの形態では、本体は剛性材料製である。
【０１８２】
いくつかの形態では、液体流出口は、傾斜部分の底部に又はそれに隣接して位置する。
【０１８３】
いくつかの形態では、液体流出口は、本体のベースの底部に位置する。
【０１８４】
いくつかの形態では、容器は、支持装置に結合するように構成されている。
【０１８５】
いくつかの形態では、支持装置は、ディスプレイを有する呼吸補助装置と結合するように構成されている。
【０１８６】
さらに、本明細書で開示する実施形態のうちの少なくとも１つの実施形態のいくつかの特徴、態様及び利点によれば、支持装置と、呼吸補助装置と、容器との組み合わせが開示されており、組み合わせは：
呼吸補助装置用の支持装置と；
ディスプレイを有する呼吸補助装置であって、支持装置と結合された呼吸補助装置と；
支持装置と結合された容器であって、本体のベースと呼吸補助装置のディスプレイとの間には間隔が設けられており、及び傾斜部分は、容器によるディスプレイの妨害を最小限にするか又は回避するように構成されている、容器と
を含む。
【０１８７】
いくつかの形態では、傾斜部分は、実質的に平面であり、且つ水平を上回り且つ垂直を下回る角度に向けられている。
【０１８８】
いくつかの形態では、ベースの一部分は水平である。
【０１８９】
いくつかの形態では、液体流出口は、ベースの水平部分に位置する。
【０１９０】
いくつかの形態では、液体流出口は、液体導管アダプターを含むか、又はそれに接続するように構成されている。
【０１９１】
いくつかの形態では、液体導管アダプターは、加湿器液室の液体導管に接続するように構成されている。
【０１９２】
いくつかの形態では、液体導管アダプターは、液体導管のスパイクコネクターに接続するように構成されている。
【０１９３】
いくつかの形態では、液体流出口は、容器の側部に又はそれに隣接して位置する。
【０１９４】
いくつかの形態では、液体流出口は、容器の後部に又はそれに隣接して位置する。
【０１９５】
いくつかの形態では、液体流出口は、容器の側部の方へ向けて角度が付けられている。
【０１９６】
さらに、本明細書で開示する実施形態のうちの少なくとも１つの実施形態のいくつかの特徴、態様及び利点によれば、支持装置と、呼吸補助装置と、加湿器液室と、容器との組み合わせが開示されており、組み合わせは：
呼吸補助装置用の支持装置、支持装置と；
ディスプレイを有する呼吸補助装置であって、支持装置と結合された呼吸補助装置と；
加湿器液室と；
支持装置と結合された容器であって、本体のベースと呼吸補助装置のディスプレイとの間には間隔が設けられており、及び傾斜部分は、容器によるディスプレイの妨害を最小限にするか又は回避するように構成されており、及び容器は、容器の液体流出口から加湿器液室へ液体を供給するように構成されている容器と
を含む。
【０１９７】
さらに、本明細書で開示する実施形態のうちの少なくとも１つの実施形態のいくつかの特徴、態様及び利点によれば、液体を保持するための容器が開示されており、容器は：
液体を保持するための本体であって、容器が液体を保持しているか否かに関わらず、固定形状を有する、本体と；
加湿器液室に液体を供給するための液体流出口と；
液体が容器から流出している間、周囲空気が容器に入ることができるようにするように構成されている通気アパーチャと
を含む。
【０１９８】
いくつかの形態では、本体は剛性材料製である。
【０１９９】
いくつかの形態では、通気アパーチャは、容器内のいずれの量の液体よりも上方に位置する。
【０２００】
いくつかの形態では、本体はベースを有し、及び液体流出口は、本体のベースに位置する。
【０２０１】
いくつかの形態では、液体流出口は、本体の側部に又はそれに隣接して位置する。
【０２０２】
いくつかの形態では、液体流出口は、本体の後部に又はそれに隣接して位置する。
【０２０３】
いくつかの形態では、液体流出口は、本体の側部の方へ向けて角度が付けられている。
【０２０４】
いくつかの形態では、本体のベースの一部分は傾斜が付けられている。
【０２０５】
いくつかの形態では、液体流出口は、傾斜部分の底部に又はそれに隣接して位置する。
【０２０６】
いくつかの形態では、容器は液体補充アパーチャを含む。
【０２０７】
いくつかの形態では、液体補充アパーチャは本体の頂部に位置する。
【０２０８】
いくつかの形態では、液体補充アパーチャは、液体補充アパーチャの入口が液体補充アパーチャの出口よりも大きな寸法を有するテーパ付き形状を有する。
【０２０９】
いくつかの形態では、容器は、液体補充アパーチャと係合する蓋を含む。
【０２１０】
いくつかの形態では、蓋が液体補充アパーチャと係合されると、蓋は液体補充アパーチャを実質的に封止し、及び通気アパーチャは、本体にある補助アパーチャである。
【０２１１】
いくつかの形態では、補助アパーチャは蓋に位置する。
【０２１２】
いくつかの形態では、蓋及び液体補充アパーチャは、蓋が液体補充アパーチャと係合されるときの蓋と液体補充アパーチャとの間の空間によって通気アパーチャが設けられるように構成されている。
【０２１３】
いくつかの形態では、蓋は、本体に接続されるか又は接続可能である。
【０２１４】
いくつかの形態では、蓋は、液体補充アパーチャと係合するように偏倚される。
【０２１５】
いくつかの形態では、液体流出口は、液体導管アダプターを含むか、又はそれに接続するように構成されている。
【０２１６】
いくつかの形態では、液体導管アダプターは、液室の液体導管に接続するように構成されている。
【０２１７】
いくつかの形態では、液体導管アダプターは、液体導管のスパイクコネクターに接続するように構成されている。
【０２１８】
さらに、本明細書で開示する実施形態のうちの少なくとも１つの実施形態のいくつかの特徴、態様及び利点によれば、開示する加湿器液室と容器との組み合わせ、組み合わせは：
加湿器液室と；
容器の液体流出口から加湿器液室に液体を供給するように構成されている容器と
を含む。
【０２１９】
いくつかの形態では、加湿器液室は、呼吸補助装置の一部であるか、又はそれと関連付けられている。
【０２２０】
いくつかの形態では、液室は支持装置に結合されている。
【０２２１】
いくつかの形態では、呼吸補助装置は支持装置に結合されている。
【０２２２】
さらに、本明細書で開示する実施形態のうちの少なくとも１つの実施形態のいくつかの特徴、態様及び利点によれば、液体を保持するための容器が開示されており、容器は：
液体を保持するための本体と；
加湿器液室と液体連通するように構成された液体流出口と；
液体補充アパーチャと；
液体補充アパーチャと係合する蓋であって、液体補充アパーチャと係合するように偏倚されるように、本体に接続されるか又は接続可能である蓋と
を含む。
【０２２３】
いくつかの形態では、液体補充アパーチャは本体の頂部に位置する。
【０２２４】
いくつかの形態では、液体補充アパーチャは、液体補充アパーチャの入口が液体補充アパーチャの出口よりも大きな寸法を有するテーパ付き形状を有する。
【０２２５】
いくつかの形態では、蓋が液体補充アパーチャと係合されると、蓋は液体補充アパーチャを実質的に封止する。
【０２２６】
いくつかの形態では、容器は、液体が容器から流出している間、周囲空気が容器に入ることができるようにするように構成されている補助アパーチャを含む。
【０２２７】
いくつかの形態では、補助アパーチャは、容器内のいずれの量の液体よりも上方に位置する。
【０２２８】
いくつかの形態では、本体はベースを有し、及び容器は、本体のベースに位置する液体流出口を含む。
【０２２９】
いくつかの形態では、液体流出口は、本体の側部に又はそれに隣接して位置する。
【０２３０】
いくつかの形態では、液体流出口は、本体の後部に又はそれに隣接して位置する。
【０２３１】
いくつかの形態では、液体流出口は、本体の側部の方へ向けて角度が付けられている。
【０２３２】
いくつかの形態では、本体のベースの一部分は傾斜が付けられている。
【０２３３】
いくつかの形態では、液体流出口は、傾斜部分の底部に又はそれに隣接して位置する。
【０２３４】
いくつかの形態では、液体流出口は、液体導管アダプターを含むか、又はそれに接続するように構成されている。
【０２３５】
いくつかの形態では、液体導管アダプターは、液室の液体導管に接続するように構成されている。
【０２３６】
いくつかの形態では、液体導管アダプターは、液体導管のスパイクコネクターに接続するように構成されている。
【０２３７】
さらに、本明細書で開示する実施形態のうちの少なくとも１つの実施形態のいくつかの特徴、態様及び利点によれば、開示する加湿器液室と容器との組み合わせ、組み合わせは：
加湿器液室と；
容器の液体流出口から加湿器液室へ液体を供給するように構成されている容器と
を含む。
【０２３８】
いくつかの形態では、加湿器液室は、呼吸補助装置の一部であるか又はそれと関連付けられている。
【０２３９】
いくつかの形態では、液体容器は支持装置に結合されている。
【０２４０】
さらに、本明細書で開示する実施形態のうちの少なくとも１つの実施形態のいくつかの特徴、態様及び利点によれば、液体容器を支持するためのトレイ、又は加湿器液室に液体を供給するための液体袋が開示されており、トレイは、直立部材と、直立部材の上方端部から延在する上方横部材と、上方横部材より下に位置する直立部材にある第２の係合特徴とを有する支持装置に結合するように構成されており、トレイは：
液体容器又は液体袋を支持するためのトレイ本体；
支持装置の直立部材の第２の係合特徴と係合し、トレイを支持装置と結合するように構成されている第１の係合特徴と
を含む。
【０２４１】
いくつかの形態では、上方横部材はハンドルを形成する。
【０２４２】
いくつかの形態では、係合特徴は、トレイが支持装置に結合されているとき、上方横部材とトレイとの間に空間が設けられるように構成されている。
【０２４３】
いくつかの形態では、トレイは、トレイを支持装置に対して下方に動かすことによって、支持装置と結合するように構成されている。
【０２４４】
いくつかの形態では、トレイは、最初は、第１の係合特徴が第２の係合特徴より上側に位置するまで、支持装置に対して水平に動かされ、その後、支持装置に対して下方に動かされて、トレイを支持装置に結合するように、構成されている。
【０２４５】
いくつかの形態では、支持装置は、２つの直立部材、及び直立部材に第２の係合特徴を含み、上方横部材は、２つの直立部材の上方端部間に延在し且つそれらをつなぎ、及びトレイは、支持装置の直立部材にある第２の係合特徴と係合してトレイを支持装置と結合するように構成されている複数の第１の係合特徴を含む。
【０２４６】
いくつかの形態では、第１の係合特徴は、支持装置のそれぞれの部分から上向きの方向に延在する第２の係合特徴のそれぞれの支持部分と係合するためのスロット又は凹部を含む；第１の係合特徴は、第２の係合特徴のそれぞれのスロット若しくは凹部と係合するために、下向きの方向に延在する支持部分を含む；又は１つの第１の係合特徴は、上向きの方向に延在する１つの第２の係合特徴の支持部分と係合するためのスロット若しくは凹部を含み、及び別の第１の係合特徴は、別の第２の係合特徴のスロット若しくは凹部と係合するために、下向きの方向に延在する支持部分を含む。
【０２４７】
いくつかの形態では、第１の係合特徴は、トレイ本体の対向する側部に又はそれに隣接して位置する。
【０２４８】
いくつかの形態では、トレイは、トレイ本体の周辺に又はそれに隣接して、トレイ本体の少なくとも一部に沿って延在する、上方に突出するリムを含む。
【０２４９】
いくつかの形態では、上方に突出するリムは、実質的にトレイ本体全体の周りに延在する。
【０２５０】
さらに、本明細書で開示する実施形態のうちの少なくとも１つの実施形態のいくつかの特徴、態様及び利点によれば、支持装置と、呼吸補助装置と、トレイとの組み合わせが開示されており、組み合わせは：
呼吸補助装置用の支持装置であって、１つ以上の第２の係合特徴を含む支持装置と；
支持装置と結合された呼吸補助装置と；
支持装置と結合されたトレイと
を含む。
【０２５１】
いくつかの形態では、組み合わせは、トレイによって支持された液体容器又は液体袋を含む。
【０２５２】
１つ以上の実施形態又は形態からの特徴が、１つ以上の他の実施形態又は形態からの特徴と組み合わせられ得る。さらに、２つ以上の実施形態が、患者の呼吸補助プロセスの間に一緒に使用され得る。
【０２５３】
本明細書で開示されるある範囲の数字（例えば、１〜１０）への言及はまた、その範囲内の全ての有理数（例えば、１、１．１、２、３、３．９、４、５、６、６．５、７、８、９及び１０）、及びまたその範囲内の任意の範囲の有理数（例えば、２〜８、１．５〜５．５及び３．１〜４．７）への言及を含み、それゆえ、本明細書で明白に開示される全範囲の全部分範囲が、本書に明白に開示されるものとする。これらは、具体的に意図されるものの例にすぎず、及び列挙される最低値と最高値との間の数値の全ての取り得る組み合わせが、本出願において同様に明白に述べられているとみなされる。
【０２５４】
代替的な実施形態又は形態は、本明細書において図示、説明又は言及される部分、要素又は特徴のうちの２つ以上のいずれか又は全ての組み合わせを含み得ることが理解されるべきである。
【０２５５】
本発明はまた、本出願の明細書で言及されるか又は指示される部分、要素及び特徴で、個別に又はまとめて、構成され、並びに任意の２つ以上の前記部分、要素又は特徴のいずれか又は全ての組み合わせで構成されると広く言われ得る。
【０２５６】
本発明に関係する当業者には、構造における多くの変更並びに本発明の非常に異なる実施形態及び適用例は、それら自体が、添付の特許請求の範囲に定義されるような本発明の範囲から逸脱しないことを提案する。本開示及び本明細書の説明は純粋に説明であり、何ら限定を意図するものではない。本明細書で、本発明に関連する分野において公知の等価物を有する特定の完全体（ｉｎｔｅｇｅｒ）を述べる場合、そのような公知の等価物は、個別に説明されているかのように、本明細書に含まれるものとする。
【０２５７】
本明細書では、用語「含む（ｃｏｍｐｒｉｓｉｎｇ）」は、「少なくともその一部で構成される」を意味する。用語「含む」を含む本明細書における各記述を解釈すると、その用語の前にくる特徴以外の特徴が存在してもよい。「含む（ｃｏｍｐｒｉｓｅ）」及び「含む（ｃｏｍｐｒｉｓｅｓ）」などの関連語は、同じように解釈される。
【０２５８】
本明細書では、名詞の前につく用語「１つ又は複数の（ｓ）」は、その名詞の複数形及び／又は単数形を意味する。
【０２５９】
本明細書では、用語「及び／又は」は、「及び」若しくは「又は」を意味するか、又は文脈が許す場合にはそれら双方を意味する。
【０２６０】
本発明は、上記で構成され、及びまた、下記で例のみを与える構造を予測する。
【０２６１】
具体的な実施形態及びその修正例は、図面を参照する本明細書の詳細な説明から当業者に明らかとなる。
【図面の簡単な説明】
【０２６２】
【図１】呼吸補助装置の図を示す。
【図２】第１の形態の呼吸補助装置を支持装置と結合するための一体型マウントの例示的な箇所を示す第１の形態の呼吸補助装置の左側面図である。
【図３】第１の形態の呼吸補助装置の裏面の斜視図である。
【図４】呼吸補助装置用の支持装置を示す左側／前方からの上から見た斜視図である。
【図５】支持装置を示す右側／後方からの上から見た斜視図である。
【図６】支持装置の右側／裏面の斜視図である。
【図７】支持装置を第１及び第２の形態の呼吸補助装置に解放自在に結合させるための例示的な第１及び第２のマウントを示す、支持装置の下方領域の右側／上から見た斜視図である。
【図８】支持装置の第１のマウントと解放自在に結合された第１の形態の呼吸補助装置を備える支持装置の前面図であり、呼吸補助装置の一部は図示していない。
【図９】図８に対応する左側面図である。
【図１０】図８に対応する右側面図である。
【図１１】図８に対応する後面図である。
【図１２】第１の形態の呼吸補助装置と解放自在に結合された支持装置の左／前方からの上から見た斜視的な断面図であり、呼吸補助装置の舌部と支持装置の第１のマウントとの係合を示している。
【図１３】呼吸補助装置の付属品が、機械的特徴の周りに巻き付けられ且つそれによって支持されている状態の、支持装置に装着された第１の形態の呼吸補助装置の右側／前方からの斜視図である。
【図１４】第２の形態の呼吸補助装置が支持装置の第２のマウントに解放自在に結合されている状態の、支持装置の前面図である。
【図１４Ａ】図１４の詳細Ａの前面図である。
【図１５】図１４に対応する、上から見た斜視図である。
【図１６】支持装置への第２の形態の呼吸補助装置の挿入を示す、支持装置の左／前方からの上から見た斜視図である。
【図１７】図１６に対応する右側／後方の裏面の斜視図である。
【図１８】呼吸補助装置の底部にある相補的な凹部との第２のマウントの突出部の係合を示す、第２の形態の呼吸補助装置に解放自在に結合された支持装置の左側の断面図である。
【図１８Ａ】図１８の詳細Ｂの側面図である。
【図１９】支持装置のベースの右側／前方の上から見た斜視図である。
【図２０】支持装置のベースの上から見た図である。
【図２１】支持装置のベース及び支持装置のアームの下方端部の左側／前方からの上から見た斜視的な分解図である。
【図２２】支持装置のベース及び支持装置のアームの下方端部の左側／前方の裏面の斜視的な分解図である。
【図２３】支持装置の構成要素を分解するための力の方向を示す、支持装置の右側／後方からの上から見た斜視的な断面図である。
【図２４】支持装置の分解された構成要素の左側／前方からの上から見た斜視図である。
【図２５】支持装置の第１及び第２の結合配置構成の一部分の外観図である。
【図２６】第１及び第２の結合配置構成の他の部分の断面図（左側）及び外観図（右側）である。
【図２７】組み立て済みの第１及び第２の結合配置構成の断面図（左側）及び外観図（右側）である。
【図２８】支持装置の第３及び第４の結合配置構成の外観図（左側）及び断面図（右側）である。
【図２９】取り外し自在なシュラウドが支持装置上に位置決めされている状態の、支持装置の左側／前方からの上から見た斜視図である。
【図３０】支持装置上のシュラウドの前面の断面図である。
【図３１】支持装置上のシュラウドの左側／前方からの上から見た斜視的な断面図である。
【図３２】支持体のハンドルを受け入れるためのシュラウドの開口部の第１の形態を示す、シュラウドの上方部分の前面の上から見た斜視図である。
【図３３】図３２に対応するが、ハンドルが開口部を通って延在している状態の図である。
【図３４】支持装置のハンドルを受け入れるための開口部の第２の形態を示すシュラウドの上方部分の前面の上から見た斜視図である。
【図３５】結合済みの付属品支持延長部を備える支持装置の前面の上から見た斜視図である。
【図３６】付属品支持延長部を備える支持装置の後方の上から見た斜視図である。
【図３７】付属品支持延長部の裏面の斜視図である。
【図３８】液体袋を保持する、付属品支持延長部を備える支持装置の前面の上から見た斜視図である。
【図３９】呼吸補助装置用の代替的な形態の支持装置を示す、左側／前方からの上から見た斜視図である。
【図４０】支持装置の右側／後方の底面の斜視図である。
【図４１】図３９と同様であるが、液体容器が支持装置に結合されている状態の図である。
【図４２】図４０と同様であるが、液体容器が支持装置に結合されている状態の図である。
【図４３】液体容器の左側／前方からの上から見た斜視図である。
【図４４】液体容器の右側／後方の底面の斜視図である。
【図４５】液体容器の左側面図である。
【図４６】液体容器の前面図である。
【図４７】液体容器の右側面図である。
【図４８】液体容器の後面図である。
【図４９】蓋を図示していない、液体容器の左側／前方からの上から見た斜視図である。
【図５０】液体容器の底面図である。
【図５１】支持装置上への液体容器の設置方向を示す、前面の上から見た斜視図である。
【図５２】液体容器及び支持装置の係合特徴を示す断面図である。
【図５３】液体容器及び支持装置の係合特徴を示す別の断面図である。
【図５４】液体容器の補充アパーチャの蓋の左側面図である。
【図５５】液体容器の補充アパーチャの形状を示し且つ補充アパーチャとの蓋の係合を示す、左側の断面図である。
【図５６】液体容器の内部の形状を示す、左側の断面図である。
【図５７】液体容器の上方ハウジングと下方ハウジングの結合を示す断面図である。
【図５８】液体導管アダプターに接続された液体導管のスパイクコネクターを示す、部分的な右側／後方からの上から見た斜視図である。
【図５９】支持装置に結合されたトレイを示す、左側／前方からの上から見た斜視図である。
【図６０】トレイの右側／底面の斜視図である。
【発明を実施するための形態】
【０２６３】
図１には、患者へガスの流れ（１種以上のガスを含有し得る）を送給するための呼吸補助装置１０が示されている。
【０２６４】
装置１０は、例えば、ＣＰＡＰ装置又はハイフロー装置（ｈｉｇｈ  ｆｌｏｗ  ａｐｐａｒａｔｕｓ）とし得る。例示的なＣＰＡＰ装置は、国際公開第２０１１／０５６０８０号に説明されている。その明細書の内容全体を本書に援用する。
【０２６５】
ＣＰＡＰ装置はガス供給部であり、及びガス加湿装置としてもよい。装置は、閉塞性睡眠時無呼吸（ＯＳＡ）、いびき、又は慢性閉塞性肺疾患（ＣＯＰＤ）などの疾患の治療のために、陽圧でのガス（加湿されているかそうでなかろうが）の供給を求める患者又はユーザに呼吸補助を行うように動作可能である。ＣＰＡＰ装置は、一般に、加湿器液室を含んで、複合型の補助式呼吸ユニット・加湿器を形成する。
【０２６６】
ＣＰＡＰ装置は、加湿器と一緒に使用されるとき、一般に、必要な圧力のガスが補助式呼吸ユニット又は送風器ユニットから、送風器から下流の液室へ送給される構造を有する。ガスが液室を通過すると、液体蒸気（例えば水蒸気）で飽和され得る。可撓性チューブ状ガス導管が、加湿器室から下流のユーザ又は患者へガスを送給する。
【０２６７】
ハイフロー装置は、呼吸を補助する及び／又は慢性閉塞性肺疾患（ＣＯＰＤ）を含む呼吸障害を治療するために、患者にハイガスフロー又はハイフロー療法を実施するために使用され得る。ハイフロー装置はガス供給部を含み、及び典型的には加湿装置を含む。
【０２６８】
呼吸補助装置は、一般に、呼吸導管などの１つ以上の付属品と、患者にガスを送給するためのカニューレ又はマスクなどの患者インターフェースとを有する。導管は、呼吸補助装置のハウジングから患者へガスを送給できるようにする。例えば、装置は、床又は他の支持面に配置され得、及び患者はベッドにいてもよい。呼吸補助装置は、加湿器液室を受け入れるための凹部を有し得る。加湿器液室は、例えば、本明細書で説明するような、１つ以上のチューブを経由して液体を加湿器液室へ提供する可撓性液体袋又は容器から液体を受け取る。或いは、加湿器液室は、所望通りに取り外されて補充され得る。凹部は、加熱板を含んで、使用中に加湿器液室内の液体を加熱し、液室を通過するガスを加湿する。その後、加湿ガスが患者に送給される。
【０２６９】
一般的には、装置１０は、モータ／インペラー配置構成の形式の流れ発生器１１、加湿器１２、コントローラ１３、及びユーザＩ／Ｏインターフェース１４（例えば、ディスプレイ及び１つ又は複数のボタンなどの１つ又は複数の入力装置、タッチスクリーンなどを含む）を含む、主ハウジング１００を含む。コントローラ１３は：患者に送給するためのガスの流れ（ガス流）を生じるように流れ発生器１１を動作させること、発生したガス流を加湿及び／又は加熱するように加湿器１２を動作させること、ユーザインターフェース１４から装置１０の再構成及び／又はユーザ定義動作のためのユーザ入力を受信すること、及びユーザへ情報を（例えばディスプレイ上に）出力することを含む、装置の構成要素を制御するように構成又はプログラムされている。ユーザは、患者、ヘルスケア専門家、又は装置の使用に関心がある他の誰かとし得る。
【０２７０】
患者呼吸導管１６が、呼吸補助装置１０のハウジング１００内のガス流出力部３０に結合され、且つマニホールド１９及び鼻プロング１８を備える鼻カニューレなどの患者インターフェース１７に結合されている。それに加えて、又はその代わりに、患者呼吸導管１６はフェイスマスクに結合され得る。それに加えて又はその代わりに、患者呼吸導管は、鼻枕マスク、及び／又は鼻マスク、及び／又は気管切開インターフェース（ｔｒａｃｈｅｏｓｔｏｍｙ  ｉｎｔｅｒｆａｃｅ）、又は患者インターフェースの任意の他の好適なタイプに結合され得る。呼吸補助装置１０によって発生される、加湿され得るガス流は、患者呼吸導管１６を経由して患者インターフェース１７を通って患者に送給される。患者呼吸導管１６は、患者を通過するガス流を加熱するためのヒーター線１６ａを有し得る。ヒーター線１６ａは、コントローラ１３の制御下にあるとし得る。患者呼吸導管１６及び／又は患者インターフェース１７は、呼吸補助装置１０の一部、又はその代わりにその周辺機器とみなされ得る。呼吸補助装置１０、呼吸導管１６、及び患者インターフェース１７は共に、呼吸補助システム、又は、いくつかの形態では、フロー療法システムを形成し得る。
【０２７１】
例示的な呼吸補助装置１０の一般的な動作は当業者に知られているため、ここで詳細に説明する必要はない。しかしながら、一般的には、コントローラ１３は、所望の流量のガス流を発生するように流れ発生器１１を制御し、空気と酸素又は他の代替的なガスとの混合を制御するために１つ以上の弁を制御し、及び／又は適切なレベルへガス流を加湿する及び／又はガス流を加熱するために加湿器１２を制御する。ガス流は、患者導管１６及び患者インターフェース１７を通って患者へと向けられる。コントローラ１３はまた、所望のレベルの治療及び／又は患者の快適度を達成するために所望の温度にガスを加熱するために、加湿器１２内の加熱素子及び／又は患者導管１６内の加熱素子１６ａを制御し得る。コントローラ１３は、ガス流の好適な目標温度によってプログラムされ得るか又はそれを決定し得る。
【０２７２】
動作センサー３ａ、３ｂ、３ｃ、２０、及び２５、例えば流れセンサー、温度センサー、湿度センサー、及び／又は圧力センサーが、呼吸補助装置１０及び／又は患者呼吸導管１６及び／又はカニューレ１７内の様々な箇所に配置され得る。センサーからの出力はコントローラ１３によって受信されて、最適な治療法をもたらすようにコントローラが呼吸補助装置１０を動作させるのを支援し得る。いくつかの形態では、最適な治療法をもたらすことは、患者の吸気流量に適合させることを含む。装置１０は、コントローラ１３がセンサーからの信号８を受信すること、及び／又は限定するものではないが、流れ発生器１１、加湿器１２、及びヒーター線１６ａを含む呼吸補助装置１０の様々な構成要素、又は呼吸補助装置１０に関連する付属品若しくは周辺機器を制御することができるようにする送信器及び／又は受信器１５を有し得る。それに加えて、又はその代わりに、送信器及び／又は受信器１５は、リモートサーバへデータを提供し得るか、又は装置１０のリモートコントロールを可能にし得る。
【０２７３】
呼吸補助装置１０は任意の好適なタイプの装置とし得るが、いくつかの形態では、呼吸を補助する及び／又は呼吸障害を治療するために、患者にハイガスフロー又はハイフロー療法（例えば空気、酸素、他のガス混合物、又はそれらのいくつかの組み合わせの）を実施し得る。いくつかの形態では、ガスは、酸素であるか、又はそれを含む。いくつかの形態では、ガスは、酸素と周囲空気とのブレンドを含む。本明細書で説明するように、ハイフロー療法は、当業者によって理解されるような、その典型的な通常の意味が与えられるものとし、一般的に患者の吸気流量に適合するか又はそれを上回ることを意図する流量で、意図的に密着されていない患者インターフェースを経由して、加湿された呼吸ガスの目標の流れを送給する呼吸補助システムを一般的に指す。典型的な患者インターフェースは、限定されるものではないが、鼻又は気管用の患者インターフェースを含む。成人に対する典型的な流量は、限定されるものではないが、１分当たり約１５リットル（ＬＰＭ）〜１分当たり約７０リットル以上に及ぶことが多い。小児科の患者（例えば新生児、幼児及び小児）に対する典型的な流量は、限定されるものではないが、患者の体重１キログラム当たり１分当たり約１リットル〜患者の体重１キログラム当たり１分当たり約３リットル以上に及ぶことが多い。ハイフロー療法はまた、補足酸素を含むガス混合物組成及び／又は治療用薬剤の投与を含んでいてもよい。ハイフロー療法は、一般的な名前の中でも、ネーザルハイフロー（ＮＨＦ：ｎａｓａｌ  ｈｉｇｈ  ｆｌｏｗ）、加湿ハイフロー鼻カニューレ（ＨＨＦＮＣ）、ハイフローネーザル酸素（ＨＦＮＯ）、ハイフロー療法（ＨＦＴ）、又は気管ハイフロー（ＴＨＦ）と呼ばれることが多い。
【０２７４】
例えば、いくつかの形態では、成人患者では、「ハイフロー療法」は、１分当たり約１０リットル（１０ＬＰＭ）以上、例えば約１０ＬＰＭ〜約１００ＬＰＭ、又は約１５ＬＰＭ〜約９５ＬＰＭ、又は約２０ＬＰＭ〜約９０ＬＰＭ、又は約２５ＬＰＭ〜約８５ＬＰＭ、又は約３０ＬＰＭ〜約８０ＬＰＭ、又は約３５ＬＰＭ〜約７５ＬＰＭ、又は約４０ＬＰＭ〜約７０ＬＰＭ、又は約４５ＬＰＭ〜約６５ＬＰＭ、又は約５０ＬＰＭ〜約６０ＬＰＭの流量での患者へのガスの送給を指し得る。いくつかの形態では、新生児、幼児、又は小児患者では、「ハイフロー療法」は、１ＬＰＭを上回る、例えば約１ＬＰＭ〜約２５ＬＰＭ、又は約２ＬＰＭ〜約２５ＬＰＭ、又は約２ＬＰＭ〜約５ＬＰＭ、又は約５ＬＰＭ〜約２５ＬＰＭ、又は約５ＬＰＭ〜約１０ＬＰＭ、又は約１０ＬＰＭ〜約２５ＬＰＭ、又は約１０ＬＰＭ〜約２０ＬＰＭ、又は約１０ＬＰＭ〜１５ＬＰＭ、又は約２０ＬＰＭ〜２５ＬＰＭの流量での患者へのガスの送給を指し得る。成人患者、新生児、幼児、又は小児患者でのハイフロー療法装置は、いくつかの形態では、約１ＬＰＭ〜約１００ＬＰＭの流量で、又は上記で概要を述べた部分範囲のいずれかの流量で患者へガスを送給し得る。送給されるガスは一定の割合の酸素を含み得る。いくつかの形態では、送給されるガス中の酸素の割合は、約２０％〜約１００％、又は約３０％〜約１００％、又は約４０％〜約１００％、又は約５０％〜約１００％、又は約６０％〜約１００％、又は約７０％〜約１００％、又は約８０％〜約１００％、又は約９０％〜約１００％、又は約１００％、又は１００％とし得る。
【０２７５】
ハイフロー療法は、患者の吸気流量に適合させるか又はそれを上回ること、患者の酸素化を高めること、及び／又は呼吸仕事量を減少させることにおいて、効果的であることが分かっている。さらに、ハイフロー療法は、上気道の解剖学的死腔が高流入ガス流によってフラッシングされるように、鼻咽頭内でフラッシング効果を生成し得る。これにより、一回一回の呼吸に利用できる新鮮なガスの溜め部を形成する一方で、二酸化炭素、窒素などの再呼吸を最小限にする。
【０２７６】
ハイフロー療法の一例では、密着されていないすなわち非密着ユーザインターフェース、例えば鼻カニューレが使用される。ＣＰＡＰでは、密着されたインターフェース、例えば鼻マスク、フルフェイスマスク、又は鼻枕が、一般に使用される。
【０２７７】
患者インターフェースは、気圧性外傷（例えば大気との圧力の差に起因する肺又は呼吸系の他の器官に対する組織損傷）を防止するために、非密着インターフェースとし得る。患者インターフェースは、マニホールド及び鼻プロングを備える鼻カニューレ、及び／又はフェイスマスク、及び／又は鼻枕マスク、及び／又は鼻マスク、及び／又は気管切開インターフェース、又は患者インターフェースの任意の他の好適なタイプとし得る。
【０２７８】
下記で説明するように、呼吸補助装置１０は、装置１０の機能、使用、及び／又は形態を支援する様々な特徴を有する。
【０２７９】
図２に示すように、第１の形態の呼吸補助装置１０は、主ハウジング１００を有する呼吸補助装置ベースユニット５０を含む。主ハウジング１００は、主ハウジング上部シャーシ１０２及び主ハウジング下部シャーシ１０４を有する。
【０２８０】
主ハウジング１００は周壁配置構成を有する。周壁配置構成は、取り外し自在の加湿器液室１５１を受け入れるための加湿器又は液室用ベイ（ｌｉｑｕｉｄ  ｃｈａｍｂｅｒ  ｂａｙ）１０８を提供する凹部を画成する。取り外し自在の液室１５１は、患者に送給されるガスを加湿するために、好適な液体、例えば水を含む。
【０２８１】
装置１０は、傾斜角を変えられるハンドル／レバー１４１を有して、持ち上げられた位置（図２）にあるときは、ユーザが装置を持ち上げて運ぶことができるようにし、及び下げられた位置にあるときには、ハウジング１００との液室１５１の係合の維持を支援する。
【０２８２】
図示の形式では、主ハウジング下部シャーシ１０４の周壁配置構成は、主ハウジング１００の前後方向に向けられる実質的に垂直な左側外壁１０９、実質的に垂直な右側外壁１１１（図３）、及び壁１０９と１１１との間に延在し且つそれらをつなぐ実質的に垂直な後部外壁１１３を含む。底壁１１５が、壁１０９、１１１、１１３の下方端部間に延在し且つそれらをつなぎ、且つ装置のベース、及び液室用ベイの実質的に水平な床部分を形成する。
【０２８３】
液室用ベイ１０８の床部分は、加湿プロセス中に使用するための液室１５１内の液体を加熱するために加熱板又は他の好適な１つ又は複数の加熱素子などのヒーター配置構成を受け入れるための凹部を有する。
【０２８４】
主ハウジング下部シャーシ１０４は、好適な締結具又は例えばクリップなどの一体型の装着特徴のいずれかによって、上部シャーシ１０２に取り付け可能である。主ハウジング下部シャーシ１０４が主ハウジング上部シャーシ１０２に取り付けられると、上部シャーシ及び下部シャーシの壁は、互いに係合する。
【０２８５】
図３に示すように、下部シャーシ１０４は、凹部に永久的に挿入され得るか又は凹部から取り外し自在とし得るモータモジュールを受け入れるためのモータ凹部１２１を有する。底壁１１５には、その後縁に隣接して、取り外し自在なモータモジュールを受け入れるための凹部開口部が設けられる。図３は、モータ凹部１２１内への開口部を覆うモータモジュールのベース１２３を示す。モータモジュールは、ガス流を引き起こす送風器を形成するモータを含み、且つモータモジュールを通過するガスの特性を感知する１つ以上のセンサーを含み得る。モータモジュールは、モータモジュールを流れるガスのパラメータを感知する１つ又は複数のセンサーを含み得る。
【０２８６】
装置１０のモータモジュール及び主ハウジング１００は、ガスを加湿するために、装置１０の１つ以上のガス流入口から、液室１５１のガス流入口ポートへガスを送給する好適なチューブ及び／又はガス流路を備える。ガスは、液室１５１のガス流出口ポートから患者流出口ポート３０へ、それにより、患者呼吸導管１６及び患者インターフェース１７を経由して患者へ送給される。
【０２８７】
図示の形式では、モータ凹部１２１は、ハウジングの底壁に凹部開口部を含む。或いは、凹部開口部は、ハウジングの異なる部分、ハウジングの側部、前部、又は頂部にあるとし得る。
【０２８８】
装置１０は、停電時又は携帯して使用するために、装置に電力をもたらすバッテリー１２５を有し得る。バッテリーは交換可能とし得る。
【０２８９】
図示の形式では、バッテリーは、装置主ハウジング１００の後壁の外面に結合される。これにより、バッテリーを冷却するための表面積を大きくし、且つバッテリーから装置に入る熱量を減少させる。さらに、この形態は、特にバッテリーが充電されているとき、装置の構成要素によって発生する熱のバッテリーに対する影響を低減させる。代替的な形態では、バッテリーは、主ハウジングの内部に装着されてもよい。
【０２９０】
図２に示すように、装置１０は、図４〜３１を参照して下記で詳細に説明するような支持装置２００の第１のマウント３５１に装置を装着するための装着特徴１２７を有する。
【０２９１】
装着特徴１２７は、装置１０の主ハウジングの一部と一体的に形成され得る。図示の形式では、装着特徴１２７は、ハウジングの下部シャーシ１０４の左側壁１０９と一体的に形成される。その代わりに、装着特徴１２７は、ハウジングの他の壁のいずれか、例えば、後部壁、右側壁、又は他の壁と一体的に形成されることができる。
【０２９２】
装着特徴１２７に対応する装置の側面は、凹部１２９を含む。装着特徴１２７の下方に突出する舌部１３１は、壁と一体的に形成される上方端部を有し、且つ凹部内に位置決めされる。
【０２９３】
装置の主ハウジングは、装着特徴１２７を一体的に形成できるようにする任意の好適な材料から形成され得る。例えば、ポリカーボネートから形成される場合とし得る。
【０２９４】
一体型装着特徴１２７は、追加的なねじ込み部分と比較して、衝撃強度が高い。装着特徴１２７の強化はまた、例えば、壁の厚さを変えること、リブ付け、又は内部幾何学的形態を変えることによって、行われてもよい。
【０２９５】
代替的な形式の呼吸補助装置１０は、主ハウジング１００を規定するベースユニット５０と、加湿器１２とを含む、スタンドアロン加湿装置とし得る。
【０２９６】
スタンドアロン加湿装置は、呼吸療法、腹腔鏡検査などを含む様々な医療処置に、加熱・加湿ガスを送給できる。これらの装置は、温度及び／又は湿度を制御するように構成され得る。装置はまた、加熱及び／又は加湿されたガスを患者へ及び／又は患者から運ぶために使用され得る様々な構成要素を含む医療用回路を含み得る。例えば、いくつかの呼吸回路では、患者によって吸入されるガスは、加熱器−加湿器から吸息チューブ又は導管を通って送給される。別の例として、チューブは、ガス注入回路内の腹腔へ加湿ガス（一般にＣＯ2）を送給し得る。これにより、患者の内部器官の乾燥（ｄｅｓｉｃｃａｔｉｏｎ）すなわち「乾燥（ｄｒｙｉｎｇ  ｏｕｔ）」を防止するのを助けることができ、且つ手術から回復するのに必要な時間を短くし得る。ヒーター線は、回路を形成するチューブの少なくとも一部分内に延在して、著しく結露を形成する可能性を防止又は少なくとも低減させ得る。
【０２９７】
スタンドアロン加湿装置は、一般に、ベースユニット５０及び加湿器液室１５１を含む。ベースユニット５０は加熱板１４０を含み得る。液室１５１は、ある量の液体、例えば水を保持するように構成され得る。加熱板は、液室１５１内に保持される液体量を加熱して、蒸気を生じるように構成され得る。
【０２９８】
液室１５１は、ベースユニットから取り外し自在であり、液室をより簡単に滅菌若しくは廃棄できるように、又は室を液体で補充できるようにする。液室１５１の本体は、不導性のガラス又はプラスチック材料から形成され得るだけでなく、液室は伝導成分も含み得る。例えば、液室は、ヒーターベース上の加熱板に接触する又はそれと関連付けられる高熱伝導性ベース（例えば、アルミニウムベース）を含み得る。
【０２９９】
ベースユニットはまた、主制御装置などの電子制御部を含み得る。ユーザインターフェース及び他の入力を介したユーザ設定湿度又は温度値入力に応答して、主制御装置は、いつ（又はどのレベルまで）加熱板１４０にエネルギーを与えて、液室１５１内の液体を加熱するかを決定する。
【０３００】
スタンドアロン加湿装置は、液室へガスを送給するための流れ発生器を含み得る。いくつかの形態では、流れ発生器は、人工呼吸器、送風器、又は呼吸若しくは医療処置での使用に好適な任意の他の好適な加圧ガス源を含み得る。流れ発生器はベースユニット５０内に位置決めされ得る。
【０３０１】
或いは、スタンドアロン加湿装置は、ベースユニット５０及び液室１５１のみを含み得、且つ別個の又はリモートの流れ発生器と一緒に使用され得る。ベースユニット５０は、別個の又はリモートの流れ発生器と流体接続するように構成され得る。
【０３０２】
それゆえ、スタンドアロン加湿装置と一緒に使用される流れ発生器は、例えば壁面型ガス源、人工呼吸器、送風器、又はガスタンクである。
【０３０３】
スタンドアロン加湿装置は、呼吸療法、陽圧装置、非侵襲的換気療法、外科的処置、例えば、限定されるものではないが、腹腔鏡検査などと一緒に使用され得る。望ましくは、加湿装置は、ガスの供給部へ湿気又は蒸気を供給するように適合され得る。加湿装置は、連続的な、可変の、又は２レベルのＰＡＰシステム又は他の形式の呼吸療法と一緒に使用され得る。いくつかの形態では、加湿装置は、いずれかのそのようなタイプの治療法を実施するシステムに組み込まれ得る。
【０３０４】
例示的なスタンドアロン加湿装置が国際公開第２０１５／０３８０１３号に説明されている。その明細書の内容全体を本書に援用する。
【０３０５】
図１４〜１８Ａに、第２の形態の呼吸補助装置１０’が示されている。下記で記載のない限り、第２の形態の呼吸補助装置１０’の特徴及び機能は、呼吸補助装置１０を参照して上述したようなものであり、及び同様の参照符号は、プライム記号（’）を追加して、同様の部分を示す。この形態では、装置１０’は、支持装置２００の第１のマウント３５１と装着するための装着特徴１２７を備えていない。その代わりに、装置１０’は、図１４〜１８Ａを参照して下記で詳細に説明するように、装着特徴１２７とは異なる形態の装着特徴１４３’を備えて、支持装置２００の第２のマウント３７１と装着する。
【０３０６】
装置１０’は、呼吸導管１６’に結合されて示されている。
【０３０７】
図４〜３１は、装置１０、１０’、及び／又は装置１０、１０’の１つ以上の付属品、例えば導管１６、１６’、カニューレ１７などの患者インターフェース、装置１０、１０’の電源コード１０３、及び／又は例えば液体袋１０１若しくは液体容器６００から液室１５１へ液体を送給するための１つ又は複数のチューブ１０１ａのいずれかを支持し、保持し、且つ運ぶために使用され得る支持装置２００の例示的な形態を示す。機械的特徴が特定の付属品に特有の形態を有していない場合、付属品は、支持装置の機械的特徴３１１、３１３、３１５から任意の所望の配置構成で支持され得る。
【０３０８】
支持装置２００は、スタンド２０１と、直立アーム部品の形式のホルダー２３１とを含む。
【０３０９】
スタンド２０１は、比較的小さい垂直寸法及び比較的大きい水平寸法を有する、水平方向に拡大されたベース２０３を含む。ベース２０３は、上面２０５と、上面２０５から下方に延在する周壁２０７とを含む。上面２０５の周辺の形状は、平面図において、第１の形態の呼吸補助装置１０のハウジングの形状に実質的に対応する。図示の形式では、ベース２０３は、平面図において全体的に引き延ばされた形状（ｏｂｌｏｎｇ）を有するが、ベース２０３の形状は、支持される呼吸補助装置１０、１０’のハウジングの形状に依存して変化し得る。
【０３１０】
ベース２０３の実装面積（ｆｏｏｔｐｒｉｎｔ）は、支持装置２００から支持される各呼吸補助装置１０、１０’の実装面積よりも大きい。これによりバンパーを提供し、支持装置２００が他の物体にぶつかると、呼吸補助装置１０、１０’とは対照的にベース２０３で衝突するようになるため、呼吸補助装置１０、１０’を保護する。これは、キャリアと装置が運ばれているときに、運ばれている最中はキャリアと装置が別の物体にぶつかるリスクが高くなるため、特に重要である。
【０３１１】
ホルダー２３１が、ベース２０３から上方に、ベース２０３の両端部から離間している箇所から延在する。図示の形式では、ホルダー２３１の端部は、ベース２０３の側部に沿った中心に位置する。しかしながら、ホルダー２０３の端部は、側部の中心に位置決めされているのではなく、わずかにベースの一方の端部の方へ位置決めされ得る。例えば、ホルダー２０３の端部は、ホルダーの前部の方へ又はホルダーの後部の方へ、位置決めされ得る。ホルダー２３１の端部をベース２０３の端部から離間させることによって、ホルダー２３１を使用して支持装置２００を持ち上げるときに、より高い安定性がもたらされる。
【０３１２】
スタンド２０１のベース２０３の裏面は、底面２０９及び複数の強化リブ２１１を含む。リブ２１１は、ホルダー２３１がベースに接続する領域においてベースの裏面を横切って延在して、ベース２０３に局所的な強度及び剛性をもたらす。或いは、リブは、ホルダー２３１がベースに接続する１つの領域からベースの対向する角まで、対角線上に延在し得る。周壁２０７の底縁２１３が床などの支持面に接触するように配置されて、床に支持装置２００を支持する。強化リブ２１１が周壁２０７と同じ深さである場合、強化リブ２１１の底縁も支持面に接触する。他の形態のリブが設けられてもよい。
【０３１３】
ベース２０３の上面２０５は、呼吸補助装置１０の１つ以上の付属品を保管するために、凹部２１５を取り囲む。図示の形式では、凹部２１５は数ミリメートルの深さを有する。しかしながら、異なる形態では、上面２０５は、凹部２１５の周辺から上方に延在する１つ以上の壁によって規定され、より深い凹部を提供し得る。他の形態では、凹部２１５は設けられなくてもよく、及びベースの上面２０５は実質的に平面としてもよい。
【０３１４】
図示の形式では、ホルダー２３１は、ベース上の第１の箇所でベース２０１に取り外し自在に結合された第１の端部２３１ａと、ベース上の第２の箇所でベースに取り外し自在に結合された第２の端部２３１ｂとを有する直立アーム部品を含み、ホルダーは、第１の端部及び第２の端部から上方に延在するため、ベース及びホルダーは、全体的にループ形状を形成する。図４、図５、図２３、図２４、図３０、及び図３１を参照して説明すると、ホルダー２３１は、第１の端部２３１ａを含む第１の直立部材２３３と、第２の端部２３１ｂを含む第２の直立部材２３５と、第１の直立部材２３３の上方端部と第２の直立部材２３５の上方端部との間に延在し且つそれらをつなぐ上方横接続部材２３７とを有する。第１の直立部材２３３は、第１の端部２３１ａから上方に及び第１のマウント３５１から上方に延在する。第２の直立部材２３５は、第２の端部２３１ｂから上方に及び支持部材３６１から上方に延在する。横相互接続部材２３７は、第１のマウント３５１、支持部材３６１、及び第２のマウント３７１よりも高い位置にある。
【０３１５】
第１の直立部材２３３、第２の直立部材２３５、及び上方横接続部材２３７は、一体的に形成され得る。しかしながら、図示の形式では、第１の直立部材２３３、第２の直立部材２３５、及び上方横接続部材２３７は、支持装置２００をコンパクトに運搬又は保管できるように互いに分解されてもよいが、使用中は依然として所望の寸法をもたらす。ホルダー２３１は、第１の直立部材２３３を上方横接続部材２３７に取り外し自在に結合する第１の結合配置構成２３９と、第２の直立部材２３５を上方横接続部材２３７に取り外し自在に結合する第２の結合配置構成２４１とを含む。これにより、ホルダー２３１を３つの部分に分解できるようにする。１つの形態では、ホルダー２３１はベース２０３からも分解できるため、支持装置２００は４つの構成要素に分解できる。
【０３１６】
図２４〜２７を参照して説明すると、第１の結合配置構成２３９は、第１の直立部材２３３上に第１のコネクター２４３を含み、これは、上方横接続部材２３７上の相補的な第２のコネクター２４５と取り外し自在に係合可能である。第２の結合配置構成２４１は、第２の直立部材２３５上に第３のコネクター２４７を含み、これは、上方横接続部材２３７上の相補的な第４のコネクター２４９と取り外し自在に係合可能である。図示の形態では、第２のコネクター２４５及び第４のコネクター２４９はオス型部材であり、並びに第１のコネクター２４３及び第３のコネクター２４７は相補的なメス型部材である。しかしながら、結合配置構成２３９、２４１の一方又は双方のオス／メス形態は逆にできる。例えば、結合配置構成２３９、２４１の一方は、結合配置構成２３９、３４１の他方とは反対のオス／メス形態を有し得るため、上方横接続部材２３７は、第１及び第２の直立部材２３３、２３５に１つの向きでのみ装着されることができる。
【０３１７】
第１のコネクター２４３は、第１の直立部材２３３と上方横接続部材２３７を押し付けることによって、第２のコネクター２４５と係合可能であり、及び第３のコネクター２４７は、第２の直立部材２３５と上方横接続部材２３７を押し付けることによって、第４のコネクター２４９と係合可能である；すなわち上方横接続部材２３７を直立部材２３５、２３７の方へ向かって下方に押すことによって。
【０３１８】
結合配置構成２３９、２４１は保持特徴を有するため、単に上方横接続部材２３７を第１の直立部材２３３及び第２の直立部材２３５から引き離すだけでは、第１のコネクター２４３は第２のコネクター２４５から係合解除できず、及び第３のコネクター２４７は第４のコネクター２４９から係合解除できない。
【０３１９】
図２５を参照して説明すると、第２及び第４のコネクター２４５、２４９のそれぞれは、その上方終端部にフランジ２５１、及びフランジ２５１の真下に内部接続特徴を含む。接続特徴は、フランジの真下に位置決定特徴２５３と、位置決定特徴２５３の真下に弾力性フィンガー２５５とを含む。拡大された位置決定特徴２５３は、弾力性フィンガー２５５のベースに設けられる。弾力性フィンガー２５５は、それぞれの直立部材２３３、２３５の長手方向に対応する長手方向に、下方に延在する。突起２５７の形式の解放部材が、弾力性フィンガー２５５の自由下方端部に又はそれに隣接して位置決めされる。突起は、弾力性フィンガーの長手方向に対して横断する方向に、弾力性フィンガー２５５から延在する。いくつかの形態では、突起２５７は、弾力性フィンガー２５５の長手方向に対して垂直に延在し得る。他の形態では、横断方向は、フィンガー２５５の長手方向に対して非垂直である。図２５〜２７に示すように、突起２５７は、フィンガーから支持装置２００の中心の方に向かって内向きに延在し得る。しかしながら、その代わりに、突起の一方又は双方は、フィンガーに対して前方向、又は後方向に、外向きに延在し得る。例えば、図２３及び図２４は、フィンガーから外向きに延在する突起を示す。
【０３２０】
図２６及び図２７を参照して説明すると、第１及び第３のコネクター２４３、２５７は、それぞれ、第１及び第２の直立部材２３３、２３５の上方端部に上方終端肩部２５８を含む。凹部２５９が、肩部２５８から直立部材２３３、２３５内へ延在する。横アパーチャ２６１が、凹部２５９から、各直立部材２３３、２３５の壁を通って延在する。横アパーチャ２６１は、凹部２５９の下方端部に又はそれに隣接して位置決めされる。アパーチャ２６１は、突起２５７の形状に相補的な形状を有する。
【０３２１】
図２７は、組み立て済み形態のコネクターを示す。組み立て中、弾力性フィンガー２５５の先端が凹部２５９に挿入される。挿入中、位置決定特徴２５３の下方端部は、凹部２５９との位置合わせを必要とし得る。これは、位置決定特徴２５３の終端部にある丸みを帯びた引き込み特徴２６３と、凹部を規定する壁とによって支援され得る。位置決定特徴２５３の外表面は凹部２５９の内表面と相補的であり、２つの特徴をはめ合わせることによって、結合配置構成の残りの部分との、それにより直立部材との軸方向位置合わせを生じる。この時点で、弾力性フィンガーの突起２５７は、凹部２５９の内表面に接触し、突起２５７によって弾力性フィンガーを側面から離れるように曲げる。
【０３２２】
位置決定特徴２５３と凹部２５９との間の接触は、２つの方向における位置合わせをもたらすが、第３の方向（すなわち挿入深さ）における位置合わせは、オス・コネクター上のフランジ２５１と、メス・コネクターの終端部上の肩部２５８との間の接触によってもたらされ得る。ユーザが、これら２つの特徴が互いに当接するまで、２つのコネクターを押し付ける。この時点で、オス・コネクターの弾力性フィンガー２５５上の突起２５７は、メス・コネクターのアパーチャ２６１と位置合わせされる。その後、弾力性フィンガーは、その元の位置へ戻るように曲がり、突起２５７をアパーチャ２６１と係合させる。突起２５７の縁の周囲の丸みを帯びた引き込み特徴２６４が、突起をアパーチャ２６１と位置合わせするのを支援し得る。突起２５７はアパーチャ２６１よりもわずかに小さい直径を有して、製造上の公差に合わせ、且つ接続を支援し得る。フィンガー２５５は、突起２５７の方向に偏倚されて、アパーチャ２６１内での突起の係合を促し得る。
【０３２３】
ひとたび突起２５７がアパーチャ２６１と係合したら、上方横接続部材２３７を直立部材２３３、２３５から引き離そうとすることによって、突起２５７の縁がアパーチャ２６１の縁に引っ掛かるようにし、それにより、結合配置構成の係合解除を防止する。これにより、支持装置の様々な構成要素が互いに係合解除されることなく、支持装置２００及び結合された呼吸補助装置１０、１０’を、上方横接続部材２３７を用いて持ち上げて運ぶことができるようにする。支持装置２００の結合配置構成２３９、２４１を分解するために、ユーザは突起２５７の露出面を押して弾力性フィンガーを撓ませ、コネクターの結合方向に対して横断する第２の方向（図２３の矢印Ａ）に、内部凹部２５９まで突起２５７を動かして、アパーチャ２６１の縁を通り越し、且つアパーチャ２６１から突起２５７を係合解除する一方で、同時に、上向きの力（図２３の矢印Ｂ）を加えて、構成要素を引き離す必要がある。
【０３２４】
解放部材及び係合縁は、図示の突起２５７及びアパーチャ２６１と異なってもよい。例えば、突起は、他方のコネクターの肩部に係合する、異なる形状にされた部材を含み得る。
【０３２５】
図示の通り、第１のコネクター２４３は第３のコネクター２４７と同じでもよく、及び第２のコネクター２４５は第４のコネクター２４９と同じでもよいため、第１のコネクター２４３は第４のコネクター２４９に係合することができ、及び第３のコネクター２４７は第２のコネクター２４５に係合することができ、上方横接続部材２３７は２つの向きで直立部材２３３、２３５に結合できる。この形態は、上方横接続部材２３７が対称的である場合；すなわち各側部が同じ形状及び特徴を有する場合、好適である。或いは、第１のコネクター２４３は第３のコネクター２４７と異なってもよく、及び第２のコネクター２４５は第４のコネクター２４９と異なってもよいため、第１のコネクター２４３は第４のコネクター２４９と係合できず、及び第２のコネクター２４５は第３のコネクター２４７と係合できず、上方横接続部材２３７は、単一の向きで直立部材２３３、２３５にのみ結合できる。この形態は、ホルダー上の特徴が非対称的である場合、好適である。支持装置の一方の側部のコネクターの形状及び／又は位置は、支持装置の他方の側部のコネクターの形状及び／又は位置と異なってもよい。一例として、装置の一方の側部の突起２５７及びアパーチャ２６１は、装置の他方の側部のものとは異なる形状を有し得る。
【０３２６】
２つの結合配置構成２３９、２４１を有する代わりに、ホルダー２３１は単一の結合配置構成を有し得るため、ホルダー２３１は２つの部分に分解され得る。例えば、単一の結合配置構成は、上方横接続部材２３７の中央に位置決めされ得る。
【０３２７】
スタンド２０１は、ベースから直立形態にホルダー２３１を支持するように構成されている。ホルダー２３１は、ベースに永久的に取り付けられても、又はベースと一体的に形成されても、又はベースと取り外し自在に結合されてもよい。
【０３２８】
取り外し自在な形態では、図１９〜２４及び図２８を参照して説明すると、第３の結合配置構成２６５が、ホルダーの第１の端部２３１ａをベース２０３に取り外し自在に結合し、及び第４の結合配置構成２６７がホルダーの第２の端部２３１ｂをベース２０３に取り外し自在に結合する。
【０３２９】
第３の結合配置構成２６５は、ベースに、ホルダーの第６のコネクター２７１と取り外し自在に係合可能である第５のコネクター２６９を含み、及び第４の結合配置構成２６７は、ベースに、アームの相補的な第８のコネクター２７５と取り外し自在に係合可能である第７のコネクター２７３を含む。図示の形態では、第５のコネクター２６９及び第７のコネクター２７３はオス型部材であり、並びに第６のコネクター２７１及び第８のコネクター２７５は相補的なメス型部材である。しかしながら、結合配置構成２６５、２６７の一方又は双方のオス／メス形態は逆にできる。
【０３３０】
ホルダー及びベースを押し付ける；すなわちベース２０３に対するホルダーの第１及び第２の直立部材２３３、２３５の下向きの動きによって、第５のコネクター２６９は第６のコネクター２７１と係合可能であり、及び第７のコネクター２７３は第８のコネクター２７５と係合可能である。
【０３３１】
結合配置構成２６５、２６７は保持特徴を有するため、ホルダー２３１の第１及び第２の直立部材２３３、２３５をベース２０３から引き離すだけでは、第５のコネクター２６９は第６のコネクター２７１から係合解除できず、及び第７のコネクター２７３は第８のコネクター２７５から係合解除できない。
【０３３２】
第３及び第４の結合配置構成２６５、２６７の特徴、機能、及びオプションは、下記で異なる説明がない限り、第１及び第２の結合配置構成２３９、２４１と同様である。図１９〜２４及び図２８を参照して説明すると、オス・コネクター２６９、２７３はそれぞれ、フィンガーの自由端部において又はそれに向かって横断方向に延在する突起２７９のある、直立弾力性フィンガー２７７を含む。フィンガー２７７は、第１及び第２の直立部材２３３、２３５の下方端部にある凹部２８１に挿入するように構成されている。突起２７９は、凹部２８１から壁を通って延在するアパーチャ２８３に挿入するように構成されている。
【０３３３】
オス・コネクター２６９、２７３はまた位置決定特徴２８０を含む。これらの位置決定特徴２８０は、直立部材２３３、２３５にある別個の凹部２８５に挿入するように構成されている別個の直立タブ部材である。
【０３３４】
位置決定特徴２８０は、ベース２０３を横切って規定の距離離れて配置され得、そのような距離が、第１の形態の呼吸補助装置１０のハウジング１００の外のり寸法に適合するようにする。これにより、２つの位置決定特徴２８０間に呼吸補助装置をぴったり合わせて、分解されたベース２０３を呼吸補助装置１０と一緒に梱包できるようにする。
【０３３５】
ホルダー２３１が対称的である（すなわち各側部に同じ形状及び特徴を有する）又はベース２０３が対称的であるため、ベースの前方部分の形状がベース２０３の後方部分の形状と同じである場合、結合配置構成２６５、２６７は、第５のコネクター２６９が第７のコネクター２７３と同じであり、及び第６のコネクター２７１が第８のコネクター２７５と同じであるため、第５のコネクター２６９は第８のコネクター２７５と係合でき、及び第７のコネクター２７３は第６のコネクター２７１と係合できて、ホルダー２３１はベース２０３に対して２つの向きで装着されることができるように、構成され得る。しかしながら、図示の形式では（及び下記で説明するように）、ホルダー２３１は非対称的であり及びベース２０３は非対称的であり、且つ呼吸補助装置１０、１０’の実装面積に実質的に適合する実装面積を有する。ホルダー２３１は、第１の形態の呼吸補助装置１０に結合してそれを支持するために、ホルダーの一方の側部に第１のマウント３５１を有する。それゆえ、結合配置構成２６５、２６７は、好都合にも、ホルダー２３１が１つの向きでのみベース２０３に装着されることができるように、構成されている。図示の形式では、第５のコネクター２６９は第７のコネクター２７３と異なり、及び第６のコネクター２７１は第８のコネクター２７５と異なるため、第５のコネクター２６９は第８のコネクター２７５係合できず、及び第７のコネクター２７３は第６のコネクター２７１と係合できない。これにより、ホルダー２３１がベース２０３に対して間違って組み立てられることを防止し、これは、次に、マウント３５１が確実にベースの正しい側部にあるようにする。マウントがベースの正しい側部にあることによって、呼吸補助装置１０が支持装置２００に解放自在に結合されるとき、呼吸補助装置１０はベース２０３と正しく位置合わせされる。
【０３３６】
図示の形式では、各オス・コネクター２６９、２７３は、位置決定特徴２８０から横断方向に、及び１つの形態では垂直に延在するリブ２８９ａ、２８９ｂを含む。リブ２８９ａ、２８９ｂは、弾力性フィンガー２７７の方へ向かって又は弾力性フィンガー２７７から離れるように延在し得る。同様に、各メス・コネクター２７１、２７５は、２つのアパーチャ２８１、２８５を分離する壁を通過するスロット２９１ａ、２９１ｂを有する。リブ２８９ａ、２８９ｂ及びスロット２９１ａ、２９１ｂは、形状が相補的であるように構成されて、直立部材２３３、２３５がベース２０３に接続されると、２つの特徴が係合するようにする。
【０３３７】
リブ２８９ａ、２８９ｂの位置は各オス・コネクター上で異なり、及びスロット２９１ａ、２９１ｂの位置は各メス・コネクター上で異なって、各直立部材２３３、２３５がベース２０３の１つの特定の側部のコネクターにのみ接続でき得るようにする。図示の形態では、２つのオス・コネクター（並びに２つのメス・コネクター）は、互いに鏡像であり、リブ／スロットの位置が２つの側部では逆になるようにする。リブ及びスロットは結合配置構成の後方ＣＲよりも結合配置構成の前部ＣＦに近い。或いは、リブ及びスロットは、結合配置構成の前部よりも結合配置構成の後部に近くてもよい。異なる形態が使用され得る。
【０３３８】
ベース２０３及び直立部材２３３、２３５はまた、どちらの直立部材２３３、２３５部材がベース２０３のどちらの側部に接続するかをユーザに指示するインジケータを有し得る。インジケータは、直立部材上の形状又はシンボルＳ１、Ｓ２、及びベースの対応する側部上の同様又は同一の形状又はシンボルＳ１、Ｓ２の形を取り得る。例示的な形状又はシンボルが図１９、図２０、及び図２２に示されている。
【０３３９】
ベース２０３から直立部材２３３、２３５を取り外すために、ユーザは、まず、突起２７９の露出面を押して弾力性フィンガーを撓ませて、突起２７９をアパーチャ２８３から係合解除し（図２３の矢印Ｃ）、且つそれら突起を内部凹部２８１内へ動かして、アパーチャ２８３の縁部を通り越させる一方で、同時に、上向きの力（図２３の矢印Ｄ）を加えて構成要素を引き離す必要がある。
【０３４０】
第１及び第２の結合配置構成２３９ｍ  ２４１のコネクターは、第３及び第４の結合配置構成２６５、２６７のコネクターと係合できないため、上方横接続部品２３７は、不注意にベース２０３に直接結合できない。第２及び第４のコネクター２４５、２４９は、第５及び第７のコネクター２６９、２７３に接続できない。これは、例えば、第３及び第４の結合配置構成２６５、２６７と異なる第１及び第２の結合配置構成２３９、２４１を有することによって、及び／又は全てオス又は全てメスの第２、第４、第５及び第７のコネクターを有することによって、達成され得る。
【０３４１】
図８を参照して説明すると、直立ホルダー２３１の第１の側部が、第１の側部にあるか又はそれに隣接する第１の直立部材２３３であって、ホルダーの第１の端部２３１ａから上方へ延在する下方直立部材を形成する第１の直立部材と、下方直立部材２３３の上方端部にある中間接続部分３０１と、中間接続部分３０１から上方へ延在する上方直立部材３０３とを含む。上方直立部材３０３は下方直立部材２３３から内向きにオフセットされている。ホルダー２３１の対向する第２の側部は、第２の側部にあるか又はそれに隣接する第２の直立部材２３５であって、ホルダーの第２の端部２３１ｂから上方へ延在する下方直立部材を形成する第２の直立部材と、下方直立部材２３５の上方端部にある中間接続部分３０５と、中間接続部分２０５から上方へ延在する上方直立部材３０７とを含む。上方直立部材３０７は下方直立部材２３５から内向きにオフセットされている。それゆえ、上方直立部材３０３、３０７は、下方直立部材２３３、２３５よりも互いの近くに離間されている。
【０３４２】
ホルダー２３１は２つの離間した箇所でベース２０３に接続するため、ホルダーの剛性が向上し、それにより、ホルダーが呼吸補助装置１０、１０’の付属品を保持しているときにホルダー２３１が曲がる量を減少させる。ホルダーをベース上の２つの別個の箇所から延在させることによって、付属品を保持するために機械的特徴３１１、３１３、３１５を位置決めするために利用できる空間を増大させる。ベース及びホルダーによってもたらされるループ形状は、下方直立部材２３３、２３５が自由で支持されていない上方端部を有した場合よりも、良好な剛性をもたらす。
【０３４３】
図示の形式では、上方直立部材３０３、３０７は、実質的にそれらの全長に沿って、それぞれの下方直立部材２３３、２３５に対して実質的に平行である。
【０３４４】
図示の形式では、上方直立部材３０３、３０７及び下方直立部材２３３、２３５は、ベースが支持面に載置されているとき、ベース２０３から実質的に垂直に延在する。
【０３４５】
上方直立部材３０３、３０７及び下方直立部材２３３、２３５は、最適な安定性及び荷重支持をもたらすために実質的に直線としても、又は異なる形状を有してもよい。
【０３４６】
中間接続部分３０１、３０５は、好都合にも、中間接続部分での応力を最小にするために、湾曲セクションを含む。
【０３４７】
図示の形式では、中間接続部分３０１、３０５及び上方直立部材３０３、３０７は、上方横接続部材の一部として提供される。代替的な形態では、中間接続部分３０１、３０５及び／又は上方直立部材３０３、３０７は、下方直立部材２３３、２３５と一体的に形成され得る。
【０３４８】
上方横接続部材２３７は、上方直立部材３０３、３０７の上方端部間に延在し且つそれらをつなぐ上方横部材３０９を含む。上方横部材３０９は、支持装置２００及び解放自在に結合された呼吸補助装置１０、１０’をユーザが持ち上げて運ぶことができるようにするように構成されているハンドルを形成する。いくつかの形態では、ホルダー２３１は、単一の直立部材２３３を含み得、ハンドル３０９がその構成要素から延在している。しかしながら、ハンドル３０９が２つの直立部材をつなぐようにすることによって、ハンドル３０９からのつり上げ力を、ベース２０３の両側部に均等に分割する。単一の直立部材では、力は、ベースの一方の側部にのみ加えられ、単一の直立部材に大きなモーメントを導入する。
【０３４９】
図８に示すように、ハンドル３０９は、ベースの横断方向外のり寸法Ｄ２よりも短い長さＤ１を有する。ハンドル３０９は、ベース２０３の裏面２０９に対して実質的に平行である。
【０３５０】
ハンドル３０９の中心は、支持装置２００の質量中心と位置合わせされ、及び図示の形式では、支持装置２００の質量中心よりも高い位置に位置決めされている。支持装置は、解放自在に結合された呼吸補助装置１０、１０’の質量中心が支持装置の質量中心と実質的に位置合わせされるか又は一致するように、構成されている。その結果、持ち上げるとき、支持装置２００及び呼吸補助装置１０、１０’の重量は、ハンドル３０９の真下に加えられて、ハンドル３０９によって持ち上げられるときに支持装置がそのレベルに留まるようにする。これにより、支持装置及び呼吸補助装置を片手で簡単に運ぶことができるようにする。
【０３５１】
ホルダー２３１は、呼吸補助装置１０、１０’の付属品、例えば導管１６、１６’及び／又は患者インターフェース１７及び／又は液体袋１０１及び／又は液体容器６００及び／又は液体袋若しくは液体容器からの１つ又は複数のチューブ１０１ａ及び／又は電源コード１０３を保持及び支持するために、少なくとも１つの機械的特徴を含む。少なくとも１つの機械的特徴は、付属品の形状に相補的な形状を有する。付属品は、機械的特徴が特定の付属品に特有の形態を有していない場合、支持装置の機械的特徴３１１、３１３、３１５から任意の所望の配置構成に支持され得る。
【０３５２】
図示の形式では、ホルダー２３１の左側は、ホルダー２３１の外側の左側に第１のホルダー部分を有する。第１のホルダー部分は、上方直立部材３０３に第１の機械的特徴３１１、及び下方直立部材２３３に第２の対向する機械的特徴３１３を含む。第１の機械的特徴３１１は、上方直立部材から第１の上向きの方向に延在する。第２の機械的３１３特徴は、下方直立部材２３３から第２の下向きの方向に延在する。第２の方向は、第１の方向と実質的に反対である。第１の機械的特徴３１１は上方に延在するため、付属品が、第２の機械的特徴３１３を使用せずに、第１の機械的特徴から吊り下げられ得る。
【０３５３】
対向する機械的特徴３１１、３１３は、図１３に概略的に示すように、付属品が、機械的特徴の周りにループで巻き付けられ得るように、構成されている。これにより付属品に張力をもたらし、特に支持装置及び付属品が運ばれている最中に付属品が緩むのを防止するのを助ける。
【０３５４】
代替的な形態では、第１及び第２の機械的特徴は、水平方向に離間され、且つ装置の前後方向に延在し得る。しかしながら、図面に示す形態は、ホルダー２３１に、よりコンパクトな配置構成をもたらす。
【０３５５】
第１及び第２の機械的特徴３１１、３１３は外側の機械的特徴として構成されているため、支持装置が組み立てられると、第１及び第２の機械的特徴３１１、３１３は、ホルダー２３１及びベース２０３によって形成されたループの外側に配置されるようになる。この形態は、機械的特徴３１１、３１３に邪魔となるものがないようにし、導管や電源コードなどの付属品が対向する機械的特徴の周りにより簡単に巻き付けられるようにする。
【０３５６】
図示の形態では、ホルダー２３１の右側は、ホルダー２３１の外側の右側に第２のホルダー部分を有する。第２のホルダー部分は第１及び第２の機械的特徴３１１、３１３を含み、且つ特徴及びそれらの特徴の機能は、第１のホルダー部分に関して上記で説明されている。
【０３５７】
追加的な内側の機械的特徴３１５は、直立部材の一方又は双方の、上述の機械的特徴から反対側に位置決めされ得る。組み立てると、内側の機械的特徴３１５は、ホルダー２３１及びベース２０３によって形成されたループの内側に載置される。この箇所は、内側の機械的特徴を、それほど頻繁ではないが取り付けられ且つ取り外されるであろう付属品を支持するのに好適にする。例えば、図１３に示すように、液体袋１０１が内側の機械的特徴３１５から吊り下げられ得、導管１６、１６’、患者インターフェース１７、液体袋１０１からの１つ又は複数のチューブ１０１ａ、及び／又は電源コード１０３などの別の付属品を取り付けるために外側の機械的特徴３１１、３１３を自由に及び邪魔しないようにする。別の例として、図４１及び図４２に示すように、液体容器６００が１つ以上の内側の機械的特徴３１５に結合され得、導管１６、１６’、患者インターフェース１７、液体容器６００からの１つ又は複数のチューブ、及び／又は電源コード１０３などの別の付属品を取り付けるために、外側の機械的特徴３１１、３１３を自由に及び邪魔しないようにする。
【０３５８】
図８を参照して説明すると、図示の形式では、各機械的特徴は、それぞれの直立部材３０３、３０７、２３３、２３５から延在するベース部分３１１ａ、３１３ａ、３１５ａと、遠位支持部分３１１ｂ、３１３ｂ、３１５ｂとを含み、遠位支持部分は、遠位支持部分とそれぞれの直立部材との間に付属品を支持するように構成されている。遠位支持部分３１１ｂ、３１３ｂ、３１５ｂは、それぞれの直立部材３０３、３０７、２３３、２３５に対して実質的に平行とし得る。
【０３５９】
遠位支持部分３１１ｂ、３１３ｂ、３１５ｂは、好都合にも、各機械的特徴が複数の呼吸補助装置の付属品を収容するために、十分に長い。或いは、付属品が導管又は電源コードである場合、長い遠位支持部分は、機械的特徴が同じ付属品の複数のループを収容できるようにする。これは、システムをよりコンパクトに及び整然とさせる点について有益である。例として、遠位支持部分３１１ｂ、３１３ｂ、３１５ｂの長さは、遠位支持部分とそれぞれの直立部材２３３、２３５、３０３、３０７との間に形成されたスロットの幅の少なくとも１．５倍とし得る。
【０３６０】
上方直立部材３０３、３０７の第１の機械的特徴３１１は、好ましくは下方直立部材２３３、２３５の実質的に真上に位置決めされる。これは、支持される付属品の重量が下方直立部材２３３、２３５に大きなモーメントを生じないことを意味し、これは、特に液体袋などのより重い付属品に有益である。
【０３６１】
支持装置２００がハンドル３０９によって持ち上げられるとき、引張力がホルダー２３１を通して加えられる。この力は、支持されているシステムの重量に比例する。機械的特徴より上側にあるホルダー２３１のいずれのセクションも、取り付けられているいずれの付属品の重量も支持している。
【０３６２】
機械的特徴３１１、３１５の下側に結合配置構成２３９、２４１を配置することによって、結合配置構成２３７、２４１は、機械的特徴３１１、３１５によって支持される付属品の重量に関連する引張力を支持する必要がない。これは、弾力性フィンガー２５５の狭い断面、並びに突起２５７とアパーチャ２６１との間の小さい接触領域は、結合配置構成２３９、２４１が、同じ力下でホルダー２３１の中実セクションが経験するよりも大きな応力を経験することを意味するため、有益である。
【０３６３】
ホルダー２３１の代替的な形態では、第１及び第２の結合配置構成２３９、２４１は中間接続部分３０１、３０５より上側に位置決めされ得る；しかしながら、それは、第１の機械的特徴３１１に加わる重量が結合配置構成２３９、２４１からオフセットされ、それにより、それらの結合配置構成にモーメントを加えることを意味する。
【０３６４】
上述の通り、中間接続部分３０１、３０３は、１つの形態では、支持装置の中心の方へ向かって曲がって、２つの上方直立部材３０３、３０７間の間隔が、２つの下方直立部材２３３、２３５間の間隔よりも小さくなるようにする。これにより、機械的特徴３１１、３１３は直立部材の外壁に配置されるようになるため、支持される付属品は、ユーザインターフェースを含み得る呼吸補助装置１０、１０’の頂部を見えなくすることがない。さらに、上方直立部材３０３、３０７間のより狭い間隔は、ハンドル３０９をより小さくし、それにより、ユーザに、それを運ぶときに、中央部分によって支持装置２００を保持させるようにする。より幅広のハンドルは、ユーザが、ハンドル３０９の側部に近い部分によって支持装置を持ち上げることができるようにし、支持装置２００及び呼吸補助装置１０、１０’が持ち上げられるときに傾けられてしまう。これは、特に呼吸補助装置が加湿チャンバ内に液体を入れているとき、傾きによって液体が室から漏れ得るため、望ましくない。
【０３６５】
１つ又は複数の機械的特徴３１１、３１３、３１５は、１つ又は複数の機械的特徴によって保持される導管及び／又はカニューレなどの患者インターフェースの形状に相補的な形状を有する。１つ又は複数の機械的特徴は任意の好適な形態を有し得る。例えば、１つ又は複数の機械的特徴は：凹部又は溝；クリップ；ヒンジ機構；コンプライアンスの特性を持つスリング若しくはストラップ；面ファスナー；又は任意の他の好適な形態のうちの１つ以上を含み得る。１つの形態では、１つ又は複数の機械的特徴は２つの凹部を含み、凹部のうちの一方は、導管を受け入れるように構成されており、及び凹部のうちの他方は、カニューレなどの患者インターフェースを受け入れるように構成されている。別の形態では、１つ又は複数の機械的特徴は、１つ以上のコンプライアントなスリングを含む。別の形態では、１つ又は複数の機械的特徴は１つ以上のクリップを含む。別の形態では、１つ又は複数の機械的特徴は、導管及び／又はカニューレなどの患者インターフェースを適所に保持するために、導管及び／又はカニューレなどの患者インターフェースの周りに固定するように構成されている１つ以上の面ファスナーを含む。
【０３６６】
ホルダーが複数の機械的特徴を有するとき、異なる機械的特徴を組み合わせて使用し得る。
【０３６７】
図３５〜３８に示すように、支持装置２００は、付属品支持延長部５００を備え得る。付属品支持延長部５００は、第１の機械的特徴３１１の一方又は他方に結合し得る。いくつかの形態では、付属品支持延長部５００は、第１の機械的特徴３１１のうちのいずれか一方に結合するように構成されているため、付属品支持延長部５００は、支持装置２００の両側部で使用され得る。他の形態では、付属品支持延長部５００は、第１の機械的特徴３１１の一方にのみ結合するように構成されている。支持装置２００は、１つ又は２つの付属品支持延長部５００を備え得る。
【０３６８】
付属品支持延長部５００は第１の機械的特徴３１１に結合して、付属品に、付属品支持延長部５００がないときに機械的特徴３１１によってもたらされるものよりも高さの高いホルダーを提供する。これにより、より長い又はより高い付属品を支持できるようにする。それに加えて又はその代わりに、液体袋１０１（例えば図３８示すように）の場合、支持装置のスタンド２０１より上へ液体袋１０１の高さを伸ばすことによって、液体袋１０１から呼吸補助装置１０、１０’の液室１５１への液体送給圧力を高める。
【０３６９】
付属品支持延長部５００の下方端部が機械的特徴３１１に結合するように構成され、及び付属品支持延長部５００の上方端部が付属品を支持するように構成されている。図３７を参照して説明すると、付属品支持延長部５００は、長尺状の全体的にシリンダー状の本体部分５０１を含む。本体部分５０１は、任意の好適な断面形状、例えば円形、引き延ばされた形、又は任意の他の好適な形状を有し得る。
【０３７０】
本体部分５０１の下方端部５０１ａが、機械的特徴に結合するように構成されており、且つ第１の機械的特徴３１１の遠位支持部分３１１ｂの形状に相補的な内部形状を有する結合凹部５０３を含む。結合凹部５０３は、付属品支持延長部５００を第１の機械的特徴３１１まで下げることによって、遠位支持部分３１１ｂと取り外し自在に係合し得る。
【０３７１】
付属品を支持するための支持特徴５０５が、本体部分５０１の上方端部５０１ｂから上方に突出する。図示の形式では、支持特徴５０５は、上方機械的特徴の遠位支持部分３１１ｂの形状に対応する形状を有するが、その代わりに、異なる形状を有し得る。支持特徴５０５は、支持される付属品の相補的な受け部１０１ｂ、例えば支持リング、凹部、又はアパーチャなど内へ又はそれを通って延在するように構成されるであろう。支持特徴５０５は、本体部分５０１の中心から上方に延在し得、及び付属品支持延長部５００が第１の機械的特徴３１１に結合されると、本体部分５０１は実質的に垂直な向きにされ得る。それにより、支持特徴５０５は、下方直立部材２３３、２３５の実質的に真上に位置決めされる。これは、支持される付属品の重量が下方直立部材２３３、２３５に大きなモーメントを生じないことを意味し、これは、特に、液体袋１０１などのより重い付属品に有益である。
【０３７２】
本体部分５０１の上方端部５０１ｂと支持特徴５０５の下方端部との間に制限特徴５０７が設けられて、付属品支持延長部５００に対する、支持される付属品の下向きの動きを制限する。制限特徴５０７は、支持特徴５０５の下方端部から横方向に（本体部分５０１の長手方向に対して）、及び任意選択的に本体部分５０１の側壁５０１ｃを越えて横方向に突出して、付属品の下向きの動きを制限する。図示の形式では、制限特徴５０７は、本体部分５０１全体の周りの本体部分５０１の周辺を越えて外向きに延在するフランジを含む。しかしながら、制限特徴５０７は、任意の他の好適な形態を有し得る。例えば、支持特徴５０７は、支持特徴５０５の下方端部から全体的に半径方向外向きに延在する、１つ以上の横断方向に延在する突出部を含み得る。
【０３７３】
その代わりに、付属品支持延長部５００の上方端部は、付属品を支持するために、第１の機械的特徴３１１のベース部分３１１ａ及び遠位支持部分３１１ｂと同様のベース部分及び遠位支持部分を有し得る。
【０３７４】
支持装置２００は、支持装置２００を第１の呼吸補助装置１０の装着特徴１２７に解放自在に結合させるように構成されている第１のマウント３５１を有する。支持装置２００はまた、第１のマウント３５１とは異なる形態を有し且つ支持装置２００を第２の呼吸補助装置１０’の装着特徴に解放自在に結合させるように構成されている第２のマウント３７１を有する。第２の呼吸補助装置１０’は、第１の呼吸補助装置１０とは異なる形態を有する。
【０３７５】
図示の形式では、第１のマウント３５１はホルダー２３１上にある。より詳細には、第１のマウント３５１は、下方直立部材２３３上にあるホルダー２３１の第１の端部２３１ａに又はそれに隣接して設けられる。図７を参照して説明すると、第１のマウント３５１は、側壁３５３、比較的狭い前壁３５５、及び側壁間に延在する後部壁３５７によって形成された、対向するスロットを有する受部を含む。後部壁３５７は前壁３５５よりも幅が広いため、前壁は、スロット間に開口部を規定する。受部のベースは底壁３５９によって規定される。
【０３７６】
第１のマウント３５１の受部は、舌部の縁部を幅狭の前壁３５５と後部壁３５７との間に受け入れさせて上方のマウントのスロット内へと舌部をほぼ垂直方向に下方に摺動させることによって（第１のマウント３５１に対して呼吸補助装置１０を下げることによって）、装置１０の装着特徴１２７の舌部１３１を受け入れるように配置されている。スロット及び受部の側壁３５３は位置合わせ特徴を形成して、第１のマウント３５１を呼吸補助装置の相補的な装着特徴１２７と位置合わせする。代替的な形態では、１つ以上のリブ、突起、及び／又は他の特徴などの異なる１つ又は複数の位置合わせ特徴が使用されてもよい。１つ又は複数の位置合わせ特徴は、支持装置２００の水平方向の動き又は呼吸補助装置１０とのミスアライメントを防ぎ、且つ受部内への呼吸補助装置１０の舌部１３１の挿入の程度を制御するのを支援する。それに加えて、又はその代わりに、１つ以上の停止部が設けられて、受部内への舌部１３１の挿入の程度を限定し得る。
【０３７７】
舌部１３１及び／又は第１のマウント３５１は、舌部１３１を撓ませて支持装置及び呼吸補助装置１０を解放自在に結合又は分離できるようにすることによって互いに通過する必要のある１つ又は複数の特徴などの、支持装置２００を呼吸補助装置１０に解放自在に締結する接続特徴を含み得る。
【０３７８】
ホルダー２３１は、さらに、第１のマウント３５１から離間した任意選択的な支持部材３６１を含み、第１の呼吸補助装置１０が支持装置２００に解放自在に結合されるときに、第１の呼吸補助装置１０の支持を支援する。第１のマウント３５１は、呼吸補助装置の第１の側部を支持するように構成されており、及び支持部材３６１は、呼吸補助装置１０の第２の対向する側部を支持するように構成されている。支持部材３６１は、ホルダー２３１の第２の直立部材２３３上にある第２の端部２３１ｂに又はそれに隣接して位置決めされる。この形態は、支持装置にわたって実質的に均等に第１の呼吸補助装置１０を支持する。
【０３７９】
ホルダー２３１の一部である代わりに、支持部材３６１は、支持装置上の他の場所に設けられ得る。例えば、支持部材３６１は、別個の直立構成要素又はベース２０３の一部を含み得るか、又はその一部とし得る。
【０３８０】
図示の形式では、支持部材３６１は、第２の直立部材２３５の内側面から支持装置２００の中心に向かって内向きに突出する肩部を含む。或いは、例えば１つ以上の内向きの突出部などの、任意の他の好適な構成部材が使用され得る。支持部材３６１の上面３６１ａは、第１の呼吸補助装置１０のハウジング１００の裏面に全体的に相補的であり、且つアーチ形の面を含み得る。第１のマウント３５１と支持部材３６１との間の間隔は、第１の呼吸補助装置のハウジング１００の幅よりも狭いため、第１のマウント３５１及び支持部材３６１は第１の呼吸補助装置１０を支持し、且つ第１の呼吸補助装置１０は、ホルダー２３１がベース２０３に装着されるとベース２０３に接触できない。これにより、第１の呼吸補助装置１０が第２のマウント３７１に接触するのを防止する。
【０３８１】
第１のマウント３５１、及び任意選択的に支持部材３６１は、呼吸補助装置を支持するように構成されて、呼吸補助装置１０が支持装置２００と結合されると、呼吸補助装置１０の裏面１１５が、ベース２０３の頂面２０５、２１５の上側に間隔のある状態で位置決めされるようにする。ベースの頂面２０５、２１５と呼吸補助装置１０の裏面１１５との間の間隔は、好都合にも、付属品が使用されていないときの、呼吸補助装置の付属品用の保管スペースを提供するのに十分である。例えば、液体を液室１５１に送給するための液体袋及びチューブ、呼吸導管、及び／又は呼吸補助装置１０の電源コード。呼吸補助装置１０のバッテリー１２５の底縁は、ベース２０３の上面に載置され得る。バッテリー１２５の底縁は、呼吸補助装置１０の支持を支援し得る。或いは、呼吸補助装置１０の裏面を越えて延在するより短いバッテリー１２５が提供されてもよい。スタンドより上側に呼吸補助装置１０を支持することによって、より大きなバッテリーを収容できる。
【０３８２】
いくつかの形態では、受部２１５の上面と呼吸補助装置１０の裏面１１５との間の間隔は、例えば、約５０ｍｍ〜約１５０ｍｍとしても、又は約５０ｍｍ〜約１００ｍｍとしても、又は約７０ｍｍ〜約９０ｍｍとしても、又は約８０ｍｍとしてもよい。受部２１５が設けられていない場合、受部は、ベースの上面２０５と装置１０の裏面１１５との間の間隔とし得る。
【０３８３】
図８〜１３は、第１のマウント３５１及び支持部材３６１によって支持されている第１の呼吸補助装置１０を示し、第１の呼吸補助装置１０は、第１の直立部材２３３と第２の直立部材２３５との間に位置決めされている。第１の直立部材２３３及び第２の直立部材２３５は、第１のマウント３５１に解放自在に結合されるとき、第１の呼吸補助装置１０の側壁１０９、１１１に極めて接近するように離間されても、又は接触してもよく、第１の呼吸補助装置１０の横の動きを最小限にする及び／又は支持装置２００上での第１の呼吸補助装置１０の保持力をもたらす。しかしながら、支持装置２００及び解放自在に結合された第１の呼吸補助装置１０は、第１の呼吸補助装置１０を持ち上げるのではなく、支持装置のハンドル３０９によって持ち上げられ得るため、保持力は必要とされないかもしれない。第１の呼吸補助装置１０はマウント３５１内へと下げられるため、呼吸補助装置１０はそれ自体の重量によってマウント３５１内に保持され、且つ横の動きはマウント３５１によって防止され、運ばれているときに呼吸補助装置１０がマウント３５１から落ちる可能性を最小限にする。
【０３８４】
第１のマウント３５１とは異なる形態を有し且つ支持装置を第２の呼吸補助装置１０’の装着特徴に解放自在に結合させるように構成されている第２のマウント３７１は、呼吸補助装置のベース２０３に設けられる。図示の形式では、第２のマウント３７１は、ベース２０３の上面２０５から上方に延在する１つ以上の直立突出部を含む。１つ又は複数の突出部３７１は、第２の呼吸補助装置１０’の裏面にある１つ又は複数の相補的な凹部１４３’（図１７）と係合するように構成されている。
【０３８５】
図１６及び図１７に示すように、第２の呼吸補助装置１０’をホルダー２３１とベース２０３との間に挿入し、且つ第２の呼吸補助装置１０’をベース２０３まで下げて、突出部３７１が凹部１１６’に受け入れられるようにすることによって、第２の呼吸補助装置は第２のマウントに解放自在に結合され得る。
【０３８６】
第２の呼吸補助装置１０’のハウジング１００’の横方向の幅は、第１の呼吸補助装置１０のものよりも狭い。それゆえ、第２の呼吸補助装置１０’は第１のマウント３５１と支持部材３６１との間に収まり、且つ支持装置２００のベース２３１に載置できる。図１４及び図１５に示すように、第１のマウント３５１及び支持部材３６１は、第２の呼吸補助装置１０’が第２のマウント３７１に解放自在に結合されると、第２の呼吸補助装置１０’の側壁１０９’、１１１’に極めて接近するか、又はそれと接触するように構成されて、第２の呼吸補助装置１０’の横の動きを最小限にする及び／又は支持装置２００を備える第２の呼吸補助装置１０’の保持力をもたらし得る。支持部材３６１がないか又は支持部材３６１が支持装置２００の他の場所に設けられる形態では、第１のマウント３５１及びホルダー２３１の一部分（例えばホルダーの、第１のマウントとは反対の端部など）は、第２の呼吸補助装置が第２のマウントに解放自在に結合されると、第２の呼吸補助装置に極めて接近するか又はそれと接触するように構成され得る。しかしながら、支持装置２００及び解放自在に結合された第２の呼吸補助装置１０’は、第２の呼吸補助装置１０’を持ち上げるのではなく、支持装置のハンドル３０９によって持ち上げられ得るため、保持力は必要ではないかもしれない。第２の呼吸補助装置１０’はマウント３７１内へと下げられるため、呼吸補助装置１０’はマウント３７１内にそれ自体の重量によって保持され、且つ横の動きはマウント３７１によって防止され、運ばれているときに呼吸補助装置１０’がマウント３７１から落ちる可能性を最小限にする。
【０３８７】
第１のマウント３５１及び第２のマウント３７１は、一度に第１の呼吸補助装置１０及び第２の呼吸補助装置１０’の一方のみが支持装置２００に解放自在に結合され得るように、構成されている。
【０３８８】
第２の呼吸補助装置１０’は舌部１３１を有していないため、第２の呼吸補助装置１０’は第１のマウント３５１に装着できない。第１の呼吸補助装置１０の裏面は、第２の呼吸補助装置１０’の凹部１４３’とは異なる形態の凹部１４３を有するため、及び／又は第１の呼吸補助装置１０のハウジング１００は第１のマウント３５１と支持体３６１との間を通過できないため、少なくともホルダー２３１がベース２０３に結合されているとき、第１の呼吸補助装置１０は第２のマウント３７１に装着できない。
【０３８９】
説明したマウント３５１、３７１は１つの例示的な形態である。代わりに、異なる形態が設けられ得る。例えば、第２のマウントは、異なる数又は配置構成の突出部を有し得る。或いは、第２のマウント３７１は、第１のマウントと同様の形式であるが、第２の呼吸補助装置１０’の右側にある好適な舌部と装着するためにアームの対向端部にあるなど、異なる形式を取り得る。マウント３５１、３７１の一方又は双方は、ベース２０３又はホルダー２３１に設けられ得る。代わりに、マウント３５１、３７１の一方又は双方は、支持装置２００のそれぞれの面と呼吸補助装置１０、１０’との間に面ファスナーを含み得る。例えば、面ファスナーは、ホルダー２３１と第１の呼吸補助装置１０との間及び／又はベース２０３と第２の呼吸補助装置１０’との間に設けられ得る。
【０３９０】
第１及び第２の呼吸補助装置１０、１０’は例示にすぎず、支持装置は、異なる形態を備える異なる呼吸補助装置を支持するように構成され得る。
【０３９１】
支持装置２００は射出成形法によって作製され得る。射出成形は、構成要素の断面が厚すぎる場合、反り及び他の欠陥を生じ得る。しかしながら、ホルダー２３１の構成要素のより厚い断面は、より剛性の構造を可能にして、支持装置が、様々な付属品の重量下で曲がる可能性を少なくする。より厚い断面は、さらに、支持装置をユーザが保持するのをより快適にする。最後に、より厚い断面はまた、上述の結合配置構成２３９、２４１、２６５、２６７のための内部領域を大きくする。欠陥を生じないで、より厚い断面を可能にするために、反りを少量にする材料が使用される。この材料は、一部分（例えば５０％）にセルロース樹脂を含有する熱可塑性物質とし得る。材料は、強化ナイロンとし得る。或いは、ポリカーボネート、ＡＢＳなどの発泡熱可塑性物質、又は異なる発泡熱可塑性物質が使用され得る。或いは、材料は非発泡ポリカーボネートとし得る。
【０３９２】
図２９〜３４を参照して説明すると、支持装置２００は、取り外し自在なシュラウド４００を備えてもよい。シュラウド４００は、支持装置２００のかなりの部分を覆って、支持装置２００、解放自在に結合された呼吸補助装置１０、１０’、及び付属品を保護して隠すように配置されている。シュラウド４００は、呼吸補助装置１０、１０’が使用されていないときに使用される。シュラウド４００は、特に呼吸補助装置及び付属品が使用されていない又は長期間保管されるときに、呼吸補助装置１０、１０’及び付属品を埃及び他の汚染物質から保護する。
【０３９３】
シュラウド４００は、可撓性とし得るが、外力がない状態でその全体な形状を保持できる。代替的な形態では、シュラウドは硬質材料とし得る。シュラウド４００は、プラスチック、ファブリック、又はテキスタイル材料などの任意の好適な材料を含み得る。シュラウドは、透明、半透明、又は不透明とし得る。シュラウド４００の可撓性に起因して、シュラウド４００が使用されていないとき、シュラウド４００は折り畳まれて、ベース２０３と第１の呼吸補助装置１０’の裏面との間の空間に保管され得る。
【０３９４】
図示の形式では、シュラウド４００はテーパ付き形態を有し、シュラウド４００の上方部分は、シュラウド４００の下方部分よりも狭い幅及び狭い前後寸法を有する。シュラウド４００は、それぞれ台形形状を有する、対向する前壁及び後部壁４０１、４０３を有する。前壁及び後部壁４０１、４０３の下縁は、シュラウドが支持装置２００に配置されると、ベース２０３の外周囲の前縁及び後縁に隣接するように配置される。側壁４０５、４０７は、前壁４０１と後部壁４０３との間に延在する。側壁の上縁４０５ａ、４０７ａは、上縁４０５ａ、４０７ａがアーチ形となるように前壁及び後部壁４０１、４０３につながる外縁４０５ｂ、４０５ｃ、４０７ｂ、４０７ｃよりも垂直方向に高い中心高さを有する。側壁４０５、４０７の下縁は、シュラウドが支持装置２００に配置されると、ベース２０３の外周囲の左縁及び右縁に隣接し且つまたベース２０３の外周囲の前縁及び後縁の一部に隣接するように配置される。壁４０１、４０３、４０５、４０７の下縁は、ベース２０３の底縁まで延在し得るか、又はベースを載置する支持面（床など）に接触しないように、底縁よりも高く位置決めされ得る。
【０３９５】
シュラウドの天井４０９が、壁４０１、４０３、４０５、４０７の上縁間に延在し、且つ上から見ると凸状湾曲を有する。
【０３９６】
説明した壁及び天井形態は、１つの例示的な形態である。シュラウドは、異なる形状及び形態を有し得るが、依然として、支持装置２００、呼吸補助装置１０、１０’、及び付属品を好適に覆うことが理解される。
【０３９７】
シュラウドの天井４０９は、シュラウド４００が支持装置２００に配置されるときにハンドル３０９が通過できる開口部４１１を含んで、ハンドル３０９が、シュラウド４００の外部からアクセス可能であるようにする。開口部４１１は、第１の機械的特徴３１１が開口部４１１を通過できないようなサイズにされ得る。支持装置２００の上側にわたってシュラウドを配置すると、ハンドル３０９は、側壁４０５、４０７の上方端部又は天井４０９が第１の機械的特徴３１１に引っ掛かるまで、開口部４１１を通過する。
【０３９８】
図３２及び図３３を参照して説明すると、その閉鎖形態において、開口部４１１は、全体にＨ字形状の形態を有し得、長尺状の中央部分４１３が天井４０９の２つのタブ４１５の間に形成され、及び２つの端部部分４１７が中央部分４１３に対して横方向に延在する。端部部分４１７は互いに実質的に平行とし得る。開口部の中央部分４１３は、ハンドル３０９の水平部分と同様の長さとしても、又はそれよりもわずかに長くてもよい。端部部分４１７は、上方直立部材３０３、３０７の前後深さと同様の長さとしても、又はそれよりもわずかに長くてもよい。タブ４１５は、開口部を開放するために持ち上げられて、第１の長尺状の縁４１９、第２の長尺状の縁４１９、及び２つの端部部分４１７を備える実質的に長方形の開口部を形成する。
【０３９９】
シュラウド４００は、シュラウドが支持装置２００上に配置されるとき、開口部４１１を実質的に覆う少なくとも１つのタブ４１５を含む。１つ又は複数のタブは、可撓性としても、又はより剛性としてもよいが、シュラウドの残りの部分につながるそれらのベースにおいては可撓性である。図示の形式では、シュラウドは、開口部を実質的に覆うために２つの対向するタブ４１５を含む。２つのタブを備える形態では、各タブ４１５は、長尺状の縁４１９から開口部の一部を横切って延在し、且つ開口部４１１の中心において、互いに接触するか、又は重なり合う。１つ又は複数のタブは、一般に、ハンドル３０９の水平部分の長さに適合せず、代わりに、開口部４１１の端部に２つの間隙を残す。これらの間隙は、上方横接続部材２３７の上方直立部材３０３、３０７の形状及び箇所にほぼ相補的である。或いは、シュラウド４００は、一方の縁４１９から他方の縁４１９まで少なくとも実質的に開口部４１１をまたいで延在する単一のタブ４１５を有し得る。
【０４００】
一方のタブ４１５は、開口部４１１を実質的に閉鎖するために、他方のタブ４１５に締結されていてもよい。カバーは、そのための締結配置構成を含み得る。図３４に示すように、締結配置構成は面ファスナー４２１を含み得、タブの対面する面に相補的な面ファスナーを備え、それにより、２つのタブを簡単に取り付け及び分離できるようにする。或いは、単一のタブ４１５があるとき、タブ４１５及び天井４０９の一部分は、面ファスナーを含み得る。
【０４０１】
カバーが支持装置２００上に配置され、且つ１つ又は複数のタブ４１５が開口部４１１を実質的に覆うとき、配置構成は、図２９に示す外観を有する。呼吸補助装置１０、１０’及び付属品は見えなくされ、及び支持装置２００はほとんど完全に見えなくされ、ハンドル３０９を含む上方横接続部材２３７の上方端部は、開口部４１１の端部にある２つの残っている穴４１７から延在する。この設定は、呼吸補助装置１０、１０’及び付属品を保護し且つ見えなくするという利益をもたらし、呼吸補助装置１０、１０’及び付属品に達する埃及び他の汚染物質を最小限にするが、依然としてハンドル３０９を露出させて、ユーザがアセンブリを簡単に運ぶことができるようにする。カバーはまた、ホームユーザが装置が見えることを望まないことがあるため、呼吸補助装置を視覚的に隠す。
【０４０２】
一度に１つの呼吸補助装置１０、１０’のみが支持装置２００に結合され得る。支持装置２００は、装置１０、１０’が使用中であるとき又は使用されていないときのいずれかで、支持面上に位置決めされる。装置１０、１０’が使用されていないとき、導管１６及び／又はカニューレなどの患者インターフェース１７は、１つ又は複数の機械的特徴３１１、３１３、３１５によって、支持装置２００及び装置１０に対して適所に保持され、且つ支持面より上側に保持される。
【０４０３】
異なる呼吸補助装置１０、１０’及び付属品を支持できるようにすることによって、ユーザは、異なる呼吸補助装置と一緒に使用するために、又はユーザの呼吸補助装置を変更するとき、複数の支持装置を購入する必要はなくなる。
【０４０４】
支持装置２００は携帯型配置構成を提供し、この携帯型配置構成を提供は、床やテーブルなどの支持面上に簡単に配置され、且つ導管及び他の付属品が長い場合でも導管及び／又はカニューレなどの患者インターフェース及び呼吸補助装置１０、１０’を地面から離して保つ。これにより、埃や粒子状物質が呼吸補助装置に侵入するのを防止する。
【０４０５】
ハンドル３０９は、支持装置２００、呼吸補助装置１０、１０’、及び付属品をユーザによって持ち上げられて運ばれることができるようにする。
【０４０６】
図３９及び図４０は、第２の形態の支持装置／キャリア２００’を示す。下記で記載のない限り、第２の形態の支持装置／キャリア２００’の特徴及び機能は、支持装置／キャリア２００’を参照して上述したようなものであり、及び同様の参照符号は、プライム記号（’）を追加して、同様の部分を示す。
【０４０７】
この形態では、支持装置のホルダー２３１’は、呼吸補助装置１０、１０’の付属品、例えば導管１６、１６’及び／又は患者インターフェース１７及び／又は液体袋若しくは液体容器６００からの１つ又は複数のチューブ１０１ａ及び／又は電源コード１０３を保持及び支持するための少なくとも１つの第３の外側の機械的特徴３１４’を含む。少なくとも１つの第３の外側の機械的特徴３１４’は、付属品の形状に相補的な形状を有する。付属品は、機械的特徴が特定の付属品に特有である形態を有していない場合、支持装置の機械的特徴３１１’、３１３’、３１４’、３１５’から任意の所望の配置構成に支持され得る。
【０４０８】
図示の形式では、ホルダー２３１’の外側の左側の第１のホルダー部分は、上方直立部材３０３’に第１の機械的特徴３１１’、下方直立部材２３３’に第２の対向する機械的特徴３１３’、及び下方直立部材２３３’に第３の機械的特徴３１４’を有する。第３の機械的特徴３１４’は、第２の機械的特徴３１３’の真上に設けられる。
【０４０９】
第２の機械的特徴３１３’は、下方直立部材２３３’から第２の下向きの方向に延在する。第３の機械的特徴３１４’は、下方直立部材２３３’から第１の上向きの方向に延在する。第２の方向は、第１の方向と実質的に反対である。第３の機械的特徴３１４’は上方に延在するため、付属品は、第２の機械的特徴３１３’を使用せずに、第３の機械的特徴から吊り下げられ得る。
【０４１０】
対向する機械的特徴３１３’、３１４’は、付属品が機械的特徴の周りにループに巻き付けられるように構成されている。これにより、付属品に張力をもたらし、特に支持装置及び付属品が運ばれているときに、付属品が緩むのを防止するのを助ける。
【０４１１】
例えば自動補充加湿器液室１５１用の液体導管などのより短い付属品は、対向する機械的特徴３１３’、３１４’の周りでループにされ得る。電源コード又は患者導管などのより長い付属品は、対向する機械的特徴３１１’、３１３’の周りでループにされ得る。
【０４１２】
それに加えて又はその代わりに、例えば自動補充加湿器液室用の液体導管などのより短い付属品は、第３の機械的特徴３１４’から吊り下げられ得る。液体導管は、患者導管１６よりも短いとし得るため、第１の機械的特徴３１１’は、液体導管を支持するには高すぎるところに位置し得る。
【０４１３】
図示の形態では、ホルダー２３１’の右側は、ホルダー２３１’の外側の右側に第２のホルダー部分を有する。第２のホルダー部分は、第１、第２、及び第３の機械的特徴３１１’、３１３’、３１４’を含み、且つ特徴及びそれらの特徴の機能は、第１のホルダー部分に関して上述されている。
【０４１４】
図示の形式では、各機械的特徴は、それぞれの直立部材３０３’、３０７’、２３３’、２３５’から延在するベース部分３１１ａ’、３１３ａ’、３１４ａ’、３１５ａ’と、遠位支持部分３１１ｂ’、３１３ｂ’、３１４ｂ’、３１５ｂ’とを含み、遠位支持部分は、遠位支持部分とそれぞれの直立部材との間に付属品を支持するように構成されている。遠位支持部分３１１ｂ’、３１３ｂ’、３１４ｂ’、３１５ｂ’は、それぞれの直立部材３０３’、３０７’、２３３’、２３５’に対して実質的に平行とし得る。遠位支持部分３１１ｂ’、３１４ｂ’、３１５ｂ’は上方に延在し、及び遠位支持部分３１３ｂ’は下方に延在する。
【０４１５】
図４１及び図４２に示すように、液体容器６００は、加湿器液室１５１に液体を送給するために設けられる。例えば、容器６００は、自動補充加湿器液室に水を送給し得る。容器６００は、液体を保持するように構成されている。容器６００は、支持装置２００又は２００’に結合するように構成されている。
【０４１６】
図４３〜５０を参照して説明すると、容器６００は、液体を保持するための本体６０１を含む。本体は、頂部６０３、ベース６０５、及び頂部６０３とベース６０５との間に延在する周壁部分６０７を含む。図示の形式では、容器６００は、上面図において全体的に多角形を有して、周壁部分は、前壁６０７ａ、左側壁６０７ｂ、後部壁６０７ｃ、及び右側壁６０７ｄを含む。しかしながら、本体は、上面図において任意の他の好適な形状（例えば円形又は引き延ばされた形）を有し得、且つ周壁部分はそれに従った形状にされ得る。
【０４１７】
図示の形式では、前壁６０７ａ及び後部壁６０７ｃは、頂部６０３からベース６０５へ実質的に垂直に延在する。側壁６０７ｂ、６０７ｄは、全体的にテーパ付き形態を有し、そこでは、側壁の下方部分は、側壁の上方部分よりも互いに近くに位置決めされている。これにより、１つ又は複数の第１の係合特徴６０９にクリアランスをもたらし、この第１の係合特徴は、下記でより詳細に説明するように、容器を支持装置２００、２００’と結合するために、支持装置２００、２００’の１つ又は複数の相補的な第２の係合特徴３１５、３１５’と係合するように構成されている。
【０４１８】
図示の形式では、係合特徴６０９は、側壁のより狭い下方部分に設けられ、それにより本体６０１の上方部分をより大きくでき、それにより、容器内の液体量を最大にする。或いは、側壁は、平行とし、且つそれらの全範囲にわたって互いにより近くに位置決めされ得るが、それは、容器６００内の液体量を減少させる。
【０４１９】
本体６０１は、容器が液体を保持しているか否かに関わらず、固定形状を有する。容器の本体は、容器の本体が最大充填レベルまで液体でいっぱいであるとき、及び容器の本体に液体がないとき、同じ形状を有する。それは、本体を硬質ポリマー材料などの硬質材料で作製することによって、達成され得る。例示的な材料は、ポリプロピレン又は高密度ポリエチレン（ＨＤＰＥ）である。代替的な形態では、本体は、剛結骨組内に位置決めされ且つそれによって形状が保持されるより可撓性の材料を含み得る。
【０４２０】
容器は、加湿器液室１５１に液体を供給するための液体流出口６１１を有する。液体流出口６１１は、加湿器液室１５１と液体連通するように構成されている。液体流出口６１１は、本体６０１のベース６０５に位置する。
【０４２１】
液体流出口６１１は、本体６０１のベースの中心に位置しない。
【０４２２】
液体流出口６１１は、本体６０１の側部に又はそれに隣接して位置する。図示の形式では、液体流出口６１１は、本体の右側壁６０７ｄに又はそれに隣接して位置するが、その代わりに、本体の左側壁６０７ｂに位置し得るか又は隣接し得る。
【０４２３】
液体流出口６１１は、本体６０１の後部に又はそれに隣接して位置する。
【０４２４】
液体流出口６１１は、液体流出口が位置決めされるか又は隣接する本体６０１の側部に向けて角度が付けられる。
【０４２５】
本体６０１の側部に又はそれに隣接して、及び任意選択的に本体６０１の後部に又はそれに隣接して、及び／又は任意選択的に本体６０１の側部の方へ向けて角度が付けられて、液体流出口を位置決めすることによって、液体流出口６１１と流体接続する液体導管が、容器６００の中心から直接下に吊り下げられないため、液体容器６００及び呼吸補助装置１０、１０’が支持装置２００、２００’に結合されるときに、呼吸補助装置１０、１０’のディスプレイ１４、１４’の邪魔をするすなわちディスプレイを見えなくする可能性が低くなる。液体流出口の位置はまた、流出口から滴り落ちるいずれの液体も、呼吸補助装置１０、１０’の中心に落ちるのを回避できることである。呼吸補助装置１０、１０’の中心は、呼吸補助装置の繊細な電子的な部分を含み得る。液体導管は、好都合にも、１つ又は複数の第１の係合特徴６０９の後ろ側に位置し得る。
【０４２６】
液体流出口６１１は、液体導管アダプター６１３を含むか、又はそれに接続するように構成されている。液体導管アダプターは、加湿器液室１５１の液体導管１５２に接続するように構成されている。液体導管１５２はスパイクコネクター１５４を有し得、及び液体導管アダプター６１３は、スパイクコネクターに接続するように構成されている（図５８）。
【０４２７】
液体導管アダプター６１３は、液体流出口６１１と締り嵌めを形成して、いずれの液体も液体流出口と液体導管アダプターとの間で漏出しないようにする。それに加えて、又はその代わりに、液体導管アダプター６１３は、接着剤を使用して液体流出口に接続されて、液体導管アダプターが緩むのを防止し、並びにいずれの液体も漏出しないようにし得る。それに加えて、又はその代わりに、金属クリップが、液体導管アダプター６１３を受け入れる液体流出口６１１の部分の領域６１４（図５６）の上側にわたって配置される。
【０４２８】
液体導管アダプター６１３は、使用していないとき、容器６００の液体流出口６１１を封止するように構成されているが、使用しているとき、自動補充液室１５１用の液体導管に液体を供給できるようにする。
【０４２９】
或いは、液体導管アダプターは、異なるタイプの液体導管コネクターに接続するように構成され得る。
【０４３０】
本体のベース６０５の一部分６０５ａは、容器が支持装置２００、２００’に結合されると非水平及び非垂直となるように傾斜が付けられている。すなわち、容器６００が使用されているとき、傾斜部分６０５ａは、水平を上回り且つ垂直を下回る角度に向けられる。例えば、容器６００が使用されているとき、傾斜部分は、水平を約１０〜８０度上回る角度に向けられ得る。例示的な角度は、容器６００が使用されているとき、水平を約１０〜７０度、約１０〜６０度、約１０〜５０度、約１０〜４０度、約１０〜３０度、又は約１０〜２０度、約２０〜８０度、約２０〜７０度、約２０〜６０度、約２０〜５０度、約２０〜４０度、約２０〜３０度、約３０〜８０度、約３０〜７０度、約３０〜６０度、約３０〜５０度、約３０〜４０度、約４０〜８０度、約４０〜７０度、約４０〜６０度、約４０〜５０度、約５０〜８０度、約５０〜７０度、約５０〜６０度、約６０〜８０度、約６０〜７０度、又は約７０〜８０度上回る。図示の形式では、傾斜部分６０５ａは、実質的に平面であり、及び本体のベースの前方部分を含む。図示の形式では、傾斜部分６０５ａは、本体６０１のベース６０５のほぼ前半分にわたって延在する。或いは、傾斜部分６０５ａは、アーチ形などの異なる形態を有し得、及びベース６０５のより大きな又はより小さな部分とし得る。
【０４３１】
液体流出口６１１は、傾斜部分６０５ａの底部に又はそれに隣接して位置する。図示の形式では、ベース６０５の残りの部分は、傾斜部分６０５ａの底部から後部壁６０７ｃへ後方に延在する床部分６０５ｂを含む。床部分は、傾斜部分６０５ａよりも平らな角度を有し、且つ例えば水平とし得る。液体流出口６１１は、ベースの床部分に位置する。
【０４３２】
傾斜部分６０５ａは、液体流出口６１１が位置するベース６０５の領域６０５ｂに液体を流し込むのを助け、容器補充が必要とされる前に、容器内の液体のより大きな割合を液体流出口６１１、液体導管アダプター６１３、及び液体導管に送ることができるようにする。
【０４３３】
代替的な形態では、ハウジングのベース６０５は、液体流出口６１１の箇所がベース６０５上の単一の最も低い点であるように、構成され得る。
【０４３４】
図５１に示すように、ディスプレイ１４、１４’を有する呼吸補助装置１０、１０’が支持装置と結合され、且つ容器６００が支持装置と結合されると、本体のベース６０５と呼吸補助装置１０、１０’のディスプレイ１４、１４’との間には間隔が設けられる。ベースの傾斜部分６０５ａは、容器６００によるディスプレイ１４、１４’の妨害を最小限にするか又は回避するように構成されている。それゆえ、スクリーンのユーザの視界は、特に前を向く高い角度から見るとき、容器のベースによって妨害される可能性が低い。
【０４３５】
図５５及び図５６に示すように、容器６００は、容器本体６０１に液体を充填できる液体補充アパーチャ６１５を含む。液体補充アパーチャ６１５は、液体流出口６１１から分離されている。
【０４３６】
図示の形式では、液体補充アパーチャ６１５は、本体の頂部６０３に位置する。代替的な形態では、液体補充アパーチャは、周壁部分６０７の壁のうちの１つの上方部分に位置し得る。
【０４３７】
液体補充アパーチャ６１５は、液体補充アパーチャの入口６１５ａが液体補充アパーチャの出口６１５ｂよりも大きな寸法を有する、テーパ付き形状を有する。すなわち、液体補充アパーチャは、液体を本体６０１に注ぐのを支援する全体的に漏斗状の形態を有する。
【０４３８】
液体補充アパーチャ６１５の上方入口６１５ａは最も広く、液体を注ぐためにより大きな領域を提供する。下方出口６１５ｂはより狭いため、過度に広い注ぎ口（ｂｕｎｇ）部分６１７ａを必要とすることなく、カバー又は蓋６１７の注ぎ口部分６１７ａと密に係合できるようにする。
【０４３９】
本体６０１は、本体６０１の最大補充液体量を指示するために、インジケータを備え得る。図４９に示す形式では、インジケータは、アパーチャ液体補充６１５の下方出口６１５ｂにわたって延在する最大充填タブ６１６を含む。最大充填タブ６１６は、液体補充アパーチャ６１５の上から見え、及びユーザに可視インジケータを提供して、本体内の液体が最大充填タブ６１６に達したら本体６０１の補充を止めるようにする。
【０４４０】
最大充填タブ６１６は、図示の通り水平とし得る。或いは、最大充填タブ６１６は、非水平の角度となるように、傾斜され得る。
【０４４１】
そのため、最大充填レベルは、最大充填タブ６１６上の最大充填インジケータによって指示され得る。この最大充填インジケータは、傾斜した最大充填タブの一番上に位置し得る。
【０４４２】
容器６００を補充するとき、ユーザは、容器６００が十分に不透明である場合、液体補充アパーチャ６１５の真上からしか液体を見ることができないかもしれない。これは、容器６００内の液体の正確なレベルを見定めるのを困難にし得る。
【０４４３】
容器６００の本体６０１は、透明又は半透明に作製され得、これはまた、容器６００を補充している間にユーザが液体レベルを判断できるようにし得る。この手法は、最大充填タブ６１６を使用するための代替例とし得る。
【０４４４】
ユーザは、容器を見下ろしながら容器６００を補充するかもしれず、この場合には、容器６００の側面を見ることによって簡単に液体レベルを判断できないかもしれない。そのようなものとして、最大充填タブ６１６を使用する、並びに容器６００の本体６０１に透明又は半透明の材料を使用することが有益とし得る。
【０４４５】
傾斜した最大充填タブ６１６を有することは、ユーザが、液体量が最大充填レベルにどの程度近いのかを判断するために、最大充填タブに対する液体の横方向の位置を使用し得ることを意味する。これは、ユーザが容器６００を過充填する可能性を低下させ得る。
【０４４６】
容器６００は、ユーザに、容器が補充を必要としていることを指示する最小充填インジケータ（図示せず）を有し得る。いくつかの形態では、最小充填インジケータは、容器の本体６０１上の線又は他のマーカである。この形態は、容器本体が透明又は半透明であるとき、好適とし得る。
【０４４７】
いくつかの形態では、最小充填インジケータは、容器６００の本体６０１にある最小充填タブによってもたらされる。これは、最大充填タブ６１６に追加され得る。或いは、容器は、最小充填タブを有し得るが、最大充填タブ６１６は有していない。最小充填タブは、不透明、半透明、又は透明の本体６０１と一緒に使用され得る。
【０４４８】
或いは、インジケータは、液体補充アパーチャ６１５の真下に位置決めされるように、本体６０１の周壁部分６０７の壁から内向きに延在し得る。
【０４４９】
インジケータは、好適な文字入れなどの視覚的プロンプト（ｖｉｓｕａｌ  ｐｒｏｍｐｔ）を備えて、ユーザに、最大充填タブ６１６が本体６０１内の最大液体量を表すことを気づかせ得る。
【０４５０】
容器６００は、液体補充アパーチャ６１５と係合するためのカバー又は蓋６１７を含む。蓋６１７は液体補充アパーチャ６１５を封止し得るか、又は単に液体補充アパーチャ６１５を実質的に覆い得る。
【０４５１】
図示の形式では、蓋６１７は、液体補充アパーチャ６１５と係合する注ぎ口部分６１７ａと、より大きな寸法の上方部分６１７ｂ及びより小さな寸法の下方部分６１７ｃを含むコネクター部分と、注ぎ口部分６１７ａをコネクター部分に接合する弾力性ジョイナー（ｊｏｉｎｅｒ）部分６１７ｄとを含む。
【０４５２】
蓋６１７は、本体６０１に接続されるか又は接続可能である。それは、コネクター部分を本体６０１にあるスロット６１９に挿入することによって、達成され得る。コネクター部分６１７ｂ、６１７ｃは、蓋６１７を本体との係合状態に保持するための垂直保持特徴の機能を果たす。
【０４５３】
より小さな寸法の下方部分６１７ｃは、コネクター部分をスロット６１９に挿入するのを支援する誘導部分の機能を果たす。より大きな寸法の上方部分６１７ｂは、スロット６１９に圧入される及び／又はスロットに接着されて、スロット６１９から除去される可能性を最小限にし得る。それに加えて、又はその代わりに、コネクター部分は、スロット６１９の下面に係合する突出部又はフランジを備えて構成され得る。
【０４５４】
蓋６１７は、本体６０１に取り外し自在に接続され得る。
【０４５５】
コネクター部分６１７ｂ、６１７ｃは平らなタブとして形成され得、及びスロット６１９は、本体６０１を横断してそこまで下方に延在する相補的なスロットとして形成され得る。他の形態がもたらされ得る。コネクター部分及びスロットは、ユーザに可聴及び／又は触覚フィードバックをもたらすように構成され得、ユーザが、コネクター部分がスロット内で適切に係合されていることが分かるようにする。
【０４５６】
コネクター部分６１７ｂ、６１７ｃは、注ぎ口部分６１７ａを液体補充アパーチャ６１５と位置合わせするのを助けるように働く。
【０４５７】
蓋６１７、より具体的には注ぎ口部分６１７ａは、液体補充アパーチャと係合するように偏倚される。蓋６１７は、液体補充アパーチャと係合するように偏倚されるように、本体６０１に接続されるか又は接続可能である。
【０４５８】
少なくともジョイナー部分６１７ｄは弾力性があるため、ユーザが、充填のために液体補充アパーチャ６１５を露出させるように液体補充アパーチャ６１５から注ぎ口部分６１７ａを取り外すときに、撓む。少なくともジョイナー部分６１７ｄは、ユーザが注ぎ口部分６１７ａから力を除去すると、注ぎ口部分６１７ａを液体補充アパーチャと係合させるように戻す偏倚力をもたらす。いくつかの形態では、蓋６１７全体が弾力性材料製とし得る。
【０４５９】
蓋は、例えばエラストマー材料などの任意の好適な弾力性材料から作製され得る。例示的な材料は、例えばシリコーン、熱可塑性エラストマー、又はコルクを含む。
【０４６０】
液体補充アパーチャ６１５と係合する蓋６１７の偏倚に加えて、又はその代替例として、注ぎ口部分６１７ａは、液体補充アパーチャ６１５と締り嵌めし得る。
【０４６１】
液体補充アパーチャ６１５を露出させている最中、蓋６１７を本体６０１と接続した状態に保つことによって、容器６００を補充している最中に蓋６１７を失くす可能性を低下させる。
【０４６２】
図５５に示すように、蓋６１７の突出リム６１７ｅが、蓋６１７が液体補充アパーチャ６１５と係合しているとき、容器の本体６０１から露出されて、ユーザが簡単に蓋を掴んで動かすことができるようにし得る。
【０４６３】
視覚及び／又は触覚インジケータ６２２が容器６００の蓋６１７の前側にある。インジケータ６２２は、ユーザを、シールの部分（例えば突出リム部分６１７ｅ）に案内して、容器６００を補充しようとするとき、ユーザがどこで蓋を持ち上げようとするべきかを示す。インジケータ６２２は、ユーザを、蓋６１７を持ち上げるために掴まれ得る蓋６１７の突出リム６１７ｅに案内する。インジケータは、その箇所を指す矢印又は同様の形状に付形され得る。インジケータは、突起又は刻み目を含み得るため、ユーザば、触ることによってインジケータの位置を突き止められる。
【０４６４】
蓋６１７は、コネクター部分に対向する側部から持ち上げられて、蓋が、弾力性ジョイナー部分６１７ｄによって後方に撓むことができるようにして、容器本体６００から蓋６１７を取り外すことなく、補充アパーチャ６１５を露出させる。
【０４６５】
図４３及び図４９を参照して説明すると、容器は、液体が容器から液体流出口６１１を通って流出する間、周囲空気が容器に入ることができるように構成されている通気アパーチャ６２０を備える。これは、本体が固定形状を有しているため、液体が液体流出口６１１から出るときに圧縮できないとき、好都合である。通気アパーチャ６２０は、容器内の真空を回避するのを支援する。通気アパーチャがないと、蓋６１７が液体補充アパーチャ６１５と係合されるとき、完全な空気圧シールが形成され得る。液体が容器から出ると、完全な空気圧シールは本体６０１内に陰圧を発生させ、それが次に、容器からのさらなる液体の流出を防止し得る。
【０４６６】
通気アパーチャ６２０は、本体６０１が最大液体量を入れているときに、塞がれないままとなるように、容器内のいずれの量の液体でも上方に位置する。
【０４６７】
蓋は、蓋６１７が液体補充アパーチャと係合されると、液体補充アパーチャ６１５を実質的に封止し得る。その形態では、通気アパーチャ６２０は、本体６０１にある補助アパーチャとし得る。図示の形式では、通気アパーチャは、本体６０１の頂部６０３に示されている。或いは、通気アパーチャは、周壁部分６０７の壁のうちの１つの上方部分に位置してもよい。
【０４６８】
代替的な形態では、補助通気アパーチャは、蓋６１７に、例えば注ぎ口部分６１７ａに設けられる。
【０４６９】
代替的な形態では、蓋６１７及び液体補充アパーチャ６１５は、蓋が液体補充アパーチャと係合されると、蓋６１７と液体補充アパーチャ６１５との間の空間によって通気アパーチャが設けられるように構成されている。例えば、空間は、注ぎ口部分６１７ａと液体補充アパーチャ６１５との間にあってもよい。
【０４７０】
本体６０１は、液体補充アパーチャ６１５に隣接して排水アパーチャ６１８（図４９）を含み得る。排水アパーチャ６１８は、本体の頂部６０３にある液体補充アパーチャ凹部６１５ｃ内の、液体補充アパーチャ６１５の前部に隣接して設けられ得る。或いは、排水アパーチャ６１８は、凹部６１５ｃ内の他の場所に設けられてもよい。
【０４７１】
排水アパーチャ６１８の目的は、ユーザが容器６００内の液体を実質的に全て空にできるようにすることである。排水アパーチャ６１８がないと、少量の液体が液体補充アパーチャ６１５の周りに捕捉されて、ユーザが液体容器を完全に空にするのを防げ得る。排水アパーチャはまた、蓋６１７によって部分的に塞がれ得る。
【０４７２】
排水アパーチャ６１８はまた、蓋６１７が補充アパーチャ６１５と係合するときに、完全な空気圧シールが形成されないようにし得る。それゆえ、排水アパーチャは、通気アパーチャの機能を果たし得るため、通気アパーチャ６２０の代替形態として設けられ得る。
【０４７３】
代替的な形態では、排水アパーチャ６１８に加えて、別個の通気アパーチャ６２０が設けられ得る。この形態では、排水アパーチャ６１８は、蓋が液体補充アパーチャ６１５と係合されると、蓋６１７によって完全に塞がれ得る。
【０４７４】
蓋６１７の一部は、少なくとも蓋が液体補充アパーチャと係合されると、液体補充アパーチャ凹部６１５ｃ内に位置し得る。そのことにより、蓋６１７の大部分の上面を本体６０１の頂部６０３と実質的に同一平面上にできるようにする。
【０４７５】
図４１、図４２、図５１、図５２、及び図５３に示すように、容器６００は、支持装置２００又は２００’に結合するように構成されている。
【０４７６】
容器６００は少なくとも１つの第１の係合特徴６０９を有し、これは、支持装置２００、２００’の少なくとも１つの相補的な第２の係合特徴３１５、３１５’と係合して、容器を支持装置２００、２００’と結合するように構成されている。容器６００及び支持装置２００、２００’は、複数の係合特徴を有し得る。図示の形式では、容器６００及び支持装置２００、２００’は、それぞれ、２つの係合特徴を有し得る。或いは、容器６００及び支持装置２００、２００’は３つ以上の係合特徴を有し得る。
【０４７７】
第１の係合特徴６０９は、本体６００の対向する側面６０７ｂ、６０７ｄに又はそれに隣接して位置する。
【０４７８】
第２の係合特徴３１５、３１５’は、上方直立部材３０３’、３０７’の内側面に位置し、及び２つの直立部材３０３’、３０７’の上方端部間に延在し且つそれらをつなぐ上方横接続部材３０９、３０９’より下に位置する。
【０４７９】
容器６００及び支持装置２００、２００’のそれぞれに単一の係合特徴が設けられ得ることが理解される。例えば、支持装置２００、２００’は、それぞれ係合特徴を備える２つの離間した直立部材ではなく、第２の係合特徴３１５、３１５’を備える単一の直立部材を有し得る。
【０４８０】
１つの形態では、第１の係合特徴６０９は、第１の上向きの方向に延在する第２の係合特徴３１５、３１５’の支持部分３１５ｂ、３１５ｂ’と係合するためのスロット又は凹部６０９ａを含む。或いは、容器６００の第１の係合特徴６０９’は、第２の下向きの方向に延在する支持部分（支持装置３１３、３１３’にある第２の機械的特徴の支持部分３１３ｂ、３１３ｂ’と同様）を含んで、支持装置にある第２の係合特徴のスロット又は凹部と係合する。
【０４８１】
図示の形式では、第１の係合特徴６０９はスロット又は凹部６０９ａを含む。図５３に示すように、スロット又は凹部６０９ａの上方部分は、サイズが減少してテーパが付けられて、スロット又は凹部６０９ａ内での支持部分３１５ｂ、３１５ｂ’の最大挿入深さを規定する一方で、構成要素同士がロックするのを防止するのを助ける。
【０４８２】
支持装置２００、２００’の上方横接続部材３０９、３０９’はハンドルを形成する。ハンドルは、支持装置２００、２００’、呼吸補助装置１０、１０’、及び容器６００を持ち上げて運ぶことができるようにする。
【０４８３】
係合特徴６０９、３１５、３１５’は、容器が支持装置に結合されるとき、上方横接続部材３０９、３０９’と容器６００との間に空間が設けられるように構成されている。
【０４８４】
容器６００は、容器６００を支持装置２００、２００’に対して下方に動かすことによって、支持装置２００、２００’に結合するように構成されている。
【０４８５】
図５１に示すように、容器６００は、最初に、１つ又は複数の第１の係合特徴６０９が１つ又は複数の第２の係合特徴３１５、３１５’の真上に位置するまで、支持装置２００、２００’に対して水平に動かされ（支持装置の前側から挿入される場合には後方に、又は支持装置の後部から挿入される場合には前方にのいずれかで）、その後、下方に動かされて、１つ又は複数の第１の係合特徴６０９が１つ又は複数の第２の係合特徴３１５、３１５’と係合して容器を支持装置と結合するように、構成されている。
【０４８６】
容器６００は、その動きを逆にすることによって、支持装置２００、２００’から取り外され得る。
【０４８７】
容器が、２つの相補的な第２の係合特徴３１５、３１５’と係合するために２つの第１の係合特徴６０９を有するとき、異なる組み合わせの係合特徴が使用され得る。例えば：第１の係合特徴６０９は、支持装置のそれぞれの部分から上向きの方向に延在する第２の係合特徴３１５のそれぞれの支持部分３１５ｂ、３１５ｂ’と係合するためのスロット若しくは凹部を含むか；第１の係合特徴６０９は、第２の係合特徴のそれぞれのスロット若しくは凹部と係合するために、下向きの方向に延在する支持部分（支持装置にある第２の機械的特徴３１３、３１３’の支持部分３１３ｂ、３１３ｂ’と同様）を含むか；又は１つの第１の係合特徴は、上向きの方向に延在する１つの第２の係合特徴の支持部分と係合するためのスロット若しくは凹部を含み、及び別の第１の係合特徴は、別の第２の係合特徴のスロット若しくは凹部に係合するために、下向きの方向に延在する支持部分を含むかのいずれかである。
【０４８８】
後者の形態は、容器６００を単一の向きのみで支持装置２００、２００’に結合できるようにするため、好都合とし得、これにより、液体流出口６１１は、支持装置の前側ではなく、確実に支持装置の後部に隣接して位置するようにする。
【０４８９】
１つ又は複数の第２の係合特徴は、支持装置２００、２００’の１つ又は複数の内側の機械的特徴３１５、３１５’によって設けられ得る。或いは、１つ又は複数の第２の係合特徴は、支持装置上の異なる１つ又は複数の機械的特徴によって設けられ得、これは、内側の機械的特徴３１５、３１５’に加えて、又はその代わりに設けられ得る。
【０４９０】
１つ又は複数の第１の係合特徴６０９及び１つ又は複数の第２の係合特徴３１５、３１５’の位置決めは、容器６００が、支持装置２００、２００’のハンドル３０９、３０９’に隣接するが真下に離間した箇所で支持装置に結合され且つそれによって支持されるようにする。ユーザの指がハンドル３０９、３０９’と容器との間に収まるため、ハンドル３０９と容器６００との間の間隔は、容器がハンドル３０９の使用に干渉しないようなものになる。
【０４９１】
係合特徴の位置決めは、加湿器液室１５１の自動補充を発生させるための適切な圧力をもたらす距離で、呼吸補助装置１０、１０’及び加湿器液室１５１より上側に容器を吊るすことができるようにする。さらに、容器６００の形状は固定されているため、容器の液体流出口６１１は、容器６００内に液体があるか否かに関わらず、加湿器液室１５１に対して所望の高さに留まる。それは、袋がいっぱいであるときにより高い液体流出口位置を有し且つ袋がほぼ空になって潰れるときと比較して拡張している可撓性液体袋とは異なる。それは、呼吸補助装置及び／又は加湿器液室に対してより高く位置決めされない限り、袋を空にするために液体袋が適切な圧力をもたらさないかもしれないことを意味する。
【０４９２】
図５６及び図５７に示すように、容器６００の本体６０１は、上方ハウジング６０１ａ及び下方ハウジング６０１ｂを含み得、それらは結合される。
【０４９３】
１つ又は複数の第１の係合特徴６０９は、好都合にも、下方ハウジング６０１ｂ上に位置する。使用中、容器６００内の液体の重量は、支持装置２００、２００’と下方ハウジング６０１ｂとの間の接触点を通して作用する下向きの力を生じる。１つ又は複数の第１の係合特徴が上方ハウジング６０１ａにあった場合、その力は、上方ハウジング６０１ａと下方ハウジング６０１ｂとの間の接続部を通して加えられるであろう。それは、使用中に、予期せず、上方ハウジング及び下方ハウジングが切り離されるリスクを生じ得る。代替的な形態では、１つ又は複数の第１の係合特徴は、上方ハウジング６０１ａに設けられ得、且つ上方及び下方ハウジングは、不注意に分離できないことを保証するように構成されている。上方ハウジング及び下方ハウジングは、不注意な分離を防止するために、しっかりとした係合特徴を含み得るか、又は締結具を使用して締結され得る。
【０４９４】
図示の形式では、下方ハウジング６０１ｂは、容器６００の高さの大部分を形成し、及び上方ハウジング６０１ａは、容器の高さの少ない部分のみを形成する。
【０４９５】
上方ハウジング及び下方ハウジング６０１ａ、６０１ｂのリムは、２つのハウジングを接続するコネクター配置構成６２１を含む。図示の形式では、コネクター配置構成は、本体６０１の周壁部分６０７の周りに延在する。他の形式では、コネクター配置構成は、本体６０１の周壁部分６０７の一部分の周りに延在し得る。
【０４９６】
コネクター配置構成６２１は、上方ハウジング及び下方ハウジングを、単に２つのハウジングを押し付けることによって組み立てることができるように構成され得る。コネクター配置構成は、ユーザに可聴及び／又は触覚フィードバックを提供して、ユーザが、コネクター配置構成が完全に係合されていることが分かるようにするように構成され得る。
【０４９７】
図５７に例示的なコネクター配置構成が示されている。コネクター配置構成６２１の下方部分は、上方ハウジング６０１ａにある２つの下方に延在する部材６２７、６２９の間に位置する下向きに開口する凹部６２５に受け入れられるように構成されている直立部材６２３を下方ハウジング６０１ｂに含む。
【０４９８】
内側の下方に延在する部材６２９及び直立部材６２３の一方は、内側の下方に延在する部材６２９及び直立部材６２３の他方にある相補的な横方向の凹部６３３と係合する横方向の突出部６３１を含んで、上方ハウジング及び下方ハウジング６０１ａ、６０１ｂを互いに係合した状態に維持する。
【０４９９】
１つ以上の横方向の突出部６３１は、直立部材６２３の外表面にある１つ以上の相補的な横方向の凹部６３３と係合する、下向きに開口する凹部６２５の内表面に位置し得る。
【０５００】
それに加えて、又はその代わりに、直立部材６２３の外表面に１つ以上の横方向の突起が位置して、下向きに開口する凹部６２５の内表面にある１つ以上の相補的な横方向の凹部と係合し得る。
【０５０１】
直立部材６２３は下方ハウジング６０１ｂに位置し、及び下向きに開口する凹部６２５は上方ハウジング６０１ａに位置すると示しているが、形態は、下方に延在する部材が上方ハウジング６０１ａに位置し、及び上向きに開口する凹部が下方ハウジング６０１ｂに位置する状態で、逆にされ得る。
【０５０２】
コネクター配置構成６２１は、上方ハウジング６０１ａと下方ハウジング６０１ｂとの間での１回限りの嵌り（ｏｎｅ−ｔｉｍｅ  ｆｉｔ）をもたらし得るため、上方ハウジング６０１ａ及び下方ハウジング６０１ｂは、組み立て後、分離できない。或いは、コネクター配置構成は、十分な力の下で分離するように構成され得るため、上方ハウジング６０１ａ及び下方ハウジング６０１ｂは、清掃が必要になる場合など、いくつかの状況では分解され得る。
【０５０３】
コネクター配置構成６０１は、好都合にも、本体６０１の内側と外側との間に曲がりくねった経路を形成するように構成されている。これにより、液体が全く容器から流出しないようにするのを助ける。
【０５０４】
図５７に示すように、凹部６２５の内表面及び直立部材６２３は、実質的にそれらの全高にわたって互いに接触して、液体が容器から流出しないようにするのを助け得る。
【０５０５】
それに加えて、又はその代わりに、容器６００は、下方ハウジング６０１ｂの最も高い点が、充填タブ６１６によって示される本体６００の最大充填量よりも高い位置にあるように構成され、液体が容器から流出しないようにするのを助け得る。
【０５０６】
それに加えて、又はその代替例として、コネクター配置構成６０１、上方ハウジング及び下方ハウジングは、接着剤を使用して接合され得る。接着剤は、上方ハウジング６０１ａ及び下方ハウジング６０１ｂが分解されないようにする。接着剤は、液体が容器から流出しないようにするのを助け得る。
【０５０７】
図５９及び図６０は、加湿器液室１５１に液体を供給するための液体容器又は液体袋を支持するためのトレイ７００を示す。例えば、液体袋１０１、液体容器６００、又は異なる液体容器が、トレイ７００上に支持され得る。液体袋又は液体容器は、加湿器液室１５１に液体を送給するために提供される。液体袋又は液体容器の液体流出口は、加湿器液室と液体連通するように構成されている。
【０５０８】
トレイ７００は、液体袋又は液体容器用の支持面を提供するトレイ本体７０１を有する。トレイ本体７０１は、実質的に平面的な上面を有し得る。
【０５０９】
図示の形式では、トレイ本体７０１は、トレイ本体の前後方向において水平方向に長尺状である。トレイが結合される支持装置２００、２００’の形状に依存して、任意の他の好適な形態が提供され得る。
【０５１０】
トレイ７００は、トレイ本体７０１の周辺に又はそれに隣接して、トレイ本体７０１の少なくとも一部に沿って延在する、上方に突出するリム７０３を含む。図示の形式では、上方に突出するリムは、実質的にトレイ本体全体の周りに延在するように、トレイ本体７０１の実質的に前７０７ａ、左側７０７ｂ、後ろ７０７ｃ、及び右側７０７ｄの全体に沿って延在する。代替的な形態では、支持装置２００、２００’の直立部材３０３、３０３’、３０７、３０７’がトレイ本体７０１の側部に隣接して位置決めされている状態で、１つ以上の突出リムが、トレイ本体７０１の前側７０７ａ及び後ろ側７０７ｃのみの一部又は全てに沿って延在し得る。
【０５１１】
上方に突出するリム７０３及び／又は直立部材３０３、３０３’、３０７、３０７’は、使用中、トレイ７００上の適所に液体袋又は液体容器を維持するのを支援する。
【０５１２】
それに加えて、又はその代わりに、トレイ本体７０１の上面は、トレイ本体７０１上の適所に液体袋又は液体容器を維持するのを支援するための摩擦拘束をもたらすために、非平面及び／又は表面テクスチャーを備え得る。
【０５１３】
トレイ７００は、支持装置２００、２００’に結合するように構成されている。トレイ７００は、トレイを支持装置２００、２００’と結合するために支持装置２００、２００’の少なくとも１つの相補的な第２の係合特徴３１５、３１５’と係合するように構成されている少なくとも１つの第１の係合特徴７０９を有する。トレイ７００を支持装置２００、２００’に結合するための方法及び詳細は、容器６００を支持装置２００、２００’に結合するものと同じである。
【０５１４】
トレイ７００及び支持装置２００、２００’は複数の係合特徴を有し得る。図示の形式では、トレイ７００及び支持装置２００、２００’はそれぞれ、２つの係合特徴を有する。或いは、トレイ７００及び支持装置２００、２００’は３つ以上の係合特徴を有し得る。
【０５１５】
第１の係合特徴７０９は、トレイ本体７００の対向する側部７０７ｂ、７０７ｄに又はそれに隣接して位置する。第１の係合特徴は、トレイ７００のベースから延在し且つ上方に突出するリム７０３の上面を越えて上方に突出する直立ハウジング部材７０９ｂに設けられる。
【０５１６】
第２の係合特徴３１５、３１５’は、支持装置２００、２００’の上方直立部材３０３、３０３’、３０７、３０７’の内側面に位置し、且つ２つの直立部材３０３、３０３’、３０７、３０７’の上方端部間に延在し且つそれらをつなぐ上方横接続部材３０９、３０９’より下に位置する。
【０５１７】
単一の係合特徴は、トレイ７００及び支持装置２００、２００’のそれぞれに設けられ得ることが理解される。例えば、支持装置２００、２００’は、それぞれの係合特徴を備える２つの離間した直立部材ではなく、第２の係合特徴３１５、３１５’を備える単一の直立部材を有し得る。上方横部材は、直立部材の上方端部から延在し得る。
【０５１８】
１つの形態では、第１の係合特徴７０９は、第１の上向きの方向に延在する第２の係合特徴３１５、３１５’の支持部分３１５ｂ、３１５ｂ’と係合するスロット又は凹部７０９ａを含む。或いは、トレイ７００の第１の係合特徴７０９’は、支持装置にある第２の係合特徴のスロット又は凹部に係合するために、第２の下向きの方向に延在する支持部分（支持装置３１３、３１３’にある第２の機械的特徴の支持部分３１３ｂ、３１３ｂ’と同様）を含む。
【０５１９】
図示の形式では、第１の係合特徴７０９は、スロット又は凹部７０９ａを含む。容器６００のスロット又は凹部６０９ａに関して説明したように、スロット又は凹部７０９ａの上方部分は、サイズが減少してテーパが付けられ得る。これにより、スロット又は凹部７０９ａでの支持部分３１５ｂ、３１５ｂ’の最大挿入深さを規定し得るが、構成要素同士がロックしないようにするのを助ける。これはまた、スロット又は凹部７０９ａに支持部分３１５ｂ、３１５ｂ’を挿入するのを案内するための引き込み部の機能を果たし得る。
【０５２０】
支持装置２００、２００’の上方横接続部材３０９、３０９’はハンドルを形成する。ハンドルは、支持装置２００、２００’、呼吸補助装置１０、１０’、及びトレイ７００を持ち上げて運ぶことができるようにする。
【０５２１】
係合特徴７０９、３１５、３１５’は、トレイが支持装置２００、２００’に結合されると、上方横接続部材３０９、３０９’とトレイ７００との間に空間が設けられるように構成されている。
【０５２２】
トレイ７００は、容器６００に関して説明し且つ図５１で容器６００に示すように、支持装置２００、２００’に対してトレイ７００を下方に動かすことによって、支持装置２００、２００’と結合するように構成されている。
【０５２３】
トレイ７００は、最初に、１つ又は複数の第１の係合特徴７０９が１つ又は複数の第２の係合特徴３１５、３１５’の真上に位置するまで、支持装置２００、２００’に対して水平に動かされ（支持装置２００、２００’の前側から挿入される場合には後方に、又は支持装置の後部から挿入される場合には前方にのいずれか）、その後、下方に動かされて、１つ又は複数の第１の係合特徴７０９が１つ又は複数の第２の係合特徴３１５、３１５’と係合してトレイを支持装置と結合するように、構成されている。
【０５２４】
トレイ７００は、その動きを逆にすることによって、支持装置２００、２００’から取り外され得る。
【０５２５】
トレイが、２つの相補的な第２の係合特徴３１５、３１５’と係合するために２つの第１の係合特徴７０９を有するとき、異なる組み合わせの係合特徴が使用され得る。例えば：第１の係合特徴７０９は、支持装置のそれぞれの部分から上向きの方向に延在する第２の係合特徴３１５のそれぞれの支持部分３１５ｂ、３１５ｂ’と係合するためのスロット若しくは凹部を含むか；第１の係合特徴６０９は、第２の係合特徴のそれぞれのスロット若しくは凹部と係合するために、下向きの方向に延在する支持部分（支持装置にある第２の機械的特徴３１３、３１３’の支持部分３１３ｂ、３１３ｂ’と同様）を含むか；又は１つの第１の係合特徴は、上向きの方向に延在する１つの第２の係合特徴の支持部分と係合するスロット若しくは凹部を含み、及び別の第１の係合特徴は、別の第２の係合特徴のスロット若しくは凹部と係合するために、下向きの方向に延在する支持部分を含むかのいずれかである。
【０５２６】
１つ又は複数の第２の係合特徴は、支持装置２００、２００’の１つ又は複数の内側の機械的特徴３１５、３１５’によって提供され得る。或いは、１つ又は複数の第２の係合特徴は、内側の機械的特徴３１５、３１５’に加えて、又はその代わりに提供され得る、支持装置にある異なる１つ又は複数の機械的特徴によって提供され得る。
【０５２７】
１つ又は複数の第１の係合特徴７０９及び１つ又は複数の第２の係合特徴３１５、３１５’の位置決めは、トレイ７００が、支持装置２００、２００’のハンドル３０９、３０９’に隣接するがその真下に離間した箇所で、支持装置に結合され且つそれによって支持されるようにする。ハンドル３０９とトレイ７００との間の間隔は、トレイ及び支持される液体袋又は液体容器が、ハンドル３０９の使用に干渉しないことを意味する。
【０５２８】
係合特徴の位置決めは、液体袋又は液体容器を、呼吸補助装置１０、１０’及び加湿器液室１５１より上側に、加湿器液室１５１の自動補充を発生させる適切な圧力をもたらす距離で、トレイ７００によって支持できるようにする。
【０５２９】
トレイ７００及び呼吸補助装置１０、１０’が支持装置に結合されると、トレイ７００と呼吸補助装置１０、１０’のディスプレイ１４、１４’との間には間隔が設けられるため、トレイはディスプレイを見えなくしない。
【０５３０】
本開示は、いくつかの実施形態に関して説明したが、当業者に明白な他の実施形態も本開示の範囲内にある。それゆえ、本開示の趣旨及び範囲から逸脱せずに、様々な変更及び修正がなされ得る。例えば、様々な構成要素は、所望通りに再位置決めされ得る。説明の実施形態のいずれかからの特徴は互いに組み合わせられ得る、及び／又は装置は、上述の実施形態の特徴の１つ、それよりも多く、又は全てを含み得る。さらに、特徴、態様及び利点の全てが、必ずしも、本開示を実施するのに必要なわけではない。従って、本開示の範囲は、以下の特許請求の範囲によってのみ定義されるものとする。
【０５３１】
説明した様々な形態は例示的な形態にすぎない。いずれかの形態のいずれかの１つ以上の特徴は、いずれかの他の形態からのいずれかの１つ以上の特徴と組み合わせて使用されてもよい。
【０５３２】
例えば、支持装置２００は、解放自在に結合できるホルダー２３１とスタンド２０１を有すると説明されている。代替的な形態では、ホルダー及びスタンドは、一体的に形成されてもよい。
【０５３３】
ホルダー２３１は、呼吸補助装置１０に直接装着し且つ呼吸補助装置から直立形態に延在するように構成され得、且つスタンド２０１なしで設けられ得る。
【０５３４】
いくつかの形態では、ホルダー２３１を形成する直立アーム部品は、付属品を支持するための１つ又は複数の機械的特徴３１１、３１３、３１５を有していなくてもよい、及び／又はハンドル３０９を有していなくてもよい。
【０５３５】
ホルダー２３１は、装置のベース２０３の一方の側部からベース２０３の他方の側部へ延在すると説明されている。或いは、ホルダー２３１は、ベース２０３の前側からベース２０３の後側へ延在し得る。
【０５３６】
別の形態では、ホルダー２３１は、全く機械的特徴３１１、３１３、３１５を備えずに提供され得るが、ハンドル３０９を備えて、支持装置２００及び呼吸補助装置１０、１０’を持ち上げて運ぶことができるようにする。
【０５３７】
第１のマウント３５１及び第２のマウント３７１を有するのではなく、いくつかの形態では、支持装置２００は、第１のマウント３５１（及び任意選択的に支持部材）３６１だけを有し得るか、又は第２のマウント３７１だけを有し得る。
【０５３８】
マウント３５１、３７１は、ホルダー２３１及びベース２０３と一体的に形成されても、又は別々に形成されて、ホルダー２３１及びベース２０３に結合されてもよい。
【０５３９】
別の例として、第１のマウント３５１は、呼吸補助装置１０のハウジングの側部と係合すると説明されているが、支持装置は、上方部、下方部、側部、前方部、又は後方部などのハウジングの任意の好適な部分と係合し得る。
【０５４０】
支持装置２００は、患者又はユーザに加熱・加湿ガスを送給できる呼吸補助装置を参照して説明されている。装置は、慢性閉塞性肺疾患（ＣＯＰＤ）を治療するのに好適とし得る。装置は、高流量（ハイフロー療法）、特にネーザルハイフロー療法（ｎａｓａｌ  ｈｉｇｈ  ｆｌｏｗ  ｔｈｅｒａｐｙ）で患者インターフェースにガスを送給するように構成され得る。
【０５４１】
或いは、支持装置２００は、異なる目的で、装置と一緒に使用され得る。装置は、ハイフロー療法装置としても、又はローフロー療法装置（ｌｏｗ  ｆｌｏｗ  ｔｈｅｒａｐｙ  ａｐｐａｒａｔｕｓ）としてもよい。例えば、支持装置２００は、より低い流量でガス（加湿されているかそうでなかろうが）を送給し得る持続気道陽圧（ＣＰＡＰ）をもたらすための装置と一緒に使用されても、又は医療用送気装置と一緒に使用されてもよい。
【０５４２】
或いは、支持装置２０は、ハウジングと、液室１５１を受け入れるための凹部１０８と、加熱板１４０とを有するが、モータユニットは有していないスタンドアロン加湿器と一緒に使用され得る。スタンドアロン加湿器は、外部源からガスを受け入れ得る。
【０５４３】
或いは、支持装置は、加湿器を必要とせず、それゆえ液室１５１又は室用ベイ（ｃｈａｍｂｅｒ  ｂａｙ）１０８の特徴を必要としない装置と一緒に使用され得る。支持装置は、他のタイプのガス送給装置において広範な用途を有する。
【０５４４】
支持装置は、例えば導入部で説明された患者インターフェースなどの、任意の好適な患者インターフェースを支持するように構成され且つ使用され得る。
【０５４５】
本明細書において、いずれかの従来技術への言及は、従来技術が、世界中のいずれかの国における努力分野での周知の一般知識の一部を形成することの承認又は任意の形式の提案ではなく、そのように取られるべきではない。
【０５４６】
本明細書において「上」、「下」、「前方」、「後方」、「水平」、「垂直」などの方向用語に言及する場合、それらの用語は、装置が、典型的な使用中の位置にあるとき及び／又は図面に示されている特定の向きを参照して、言及し、及び相対的な方向又は向きを示す及び／又は説明するために使用される。
【図１】
2021535790.tif 000003
【図２】
2021535790.tif 000004
【図３】
2021535790.tif 000005
【図４】
2021535790.tif 000006
【図５】
2021535790.tif 000007
【図６】
2021535790.tif 000008
【図７】
2021535790.tif 000009
【図８】
2021535790.tif 000010
【図９】
2021535790.tif 000011
【図１０】
2021535790.tif 000012
【図１１】
2021535790.tif 000013
【図１２】
2021535790.tif 000014
【図１３】
2021535790.tif 000015
【図１４】
2021535790.tif 000016
【図１４Ａ】
2021535790.tif 000017
【図１５】
2021535790.tif 000018
【図１６】
2021535790.tif 000019
【図１７】
2021535790.tif 000020
【図１８】
2021535790.tif 000021
【図１８Ａ】
2021535790.tif 000022
【図１９】
2021535790.tif 000023
【図２０】
2021535790.tif 000024
【図２１】
2021535790.tif 000025
【図２２】
2021535790.tif 000026
【図２３】
2021535790.tif 000027
【図２４】
2021535790.tif 000028
【図２５】
2021535790.tif 000029
【図２６】
2021535790.tif 000030
【図２７】
2021535790.tif 000031
【図２８】
2021535790.tif 000032
【図２９】
2021535790.tif 000033
【図３０】
2021535790.tif 000034
【図３１】
2021535790.tif 000035
【図３２】
2021535790.tif 000036
【図３３】
2021535790.tif 000037
【図３４】
2021535790.tif 000038
【図３５】
2021535790.tif 000039
【図３６】
2021535790.tif 000040
【図３７】
2021535790.tif 000041
【図３８】
2021535790.tif 000042
【図３９】
2021535790.tif 000043
【図４０】
2021535790.tif 000044
【図４１】
2021535790.tif 000045
【図４２】
2021535790.tif 000046
【図４３】
2021535790.tif 000047
【図４４】
2021535790.tif 000048
【図４５】
2021535790.tif 000049
【図４６】
2021535790.tif 000050
【図４７】
2021535790.tif 000051
【図４８】
2021535790.tif 000052
【図４９】
2021535790.tif 000053
【図５０】
2021535790.tif 000054
【図５１】
2021535790.tif 000055
【図５２】
2021535790.tif 000056
【図５３】
2021535790.tif 000057
【図５４】
2021535790.tif 000058
【図５５】
2021535790.tif 000059
【図５６】
2021535790.tif 000060
【図５７】
2021535790.tif 000061
【図５８】
2021535790.tif 000062
【図５９】
2021535790.tif 000063
【図６０】
2021535790.tif 000064
【国際調査報告】
2021535790.tif 000065
2021535790.tif 000066
2021535790.tif 000067
2021535790.tif 000068
2021535790.tif 000069
2021535790.tif 000070
2021535790.tif 000071